(57)【要約】【課題】  本発明は、配信対象の音楽コンテンツに関係する写真画像を容易に楽しませる。【解決手段】  本発明は、携帯型再生装置において、配信対象の音楽コンテンツから生成された音楽配信データ、及び当該配信対象の音楽コンテンツに関係する写真画像から生成された音楽サービスデータが記録される記録媒体から、その音楽配信データ及び音楽サービスデータを読み出すと共に、当該読み出した音楽サービスデータに基づく写真画像を表示部に表示するようにしたことにより、配信対象の音楽コンテンツに関係する写真画像を容易に楽しませることができる。【選択図】        図５７
2006099091.tif 000002
【特許請求の範囲】
【請求項１】
配信対象の音楽コンテンツから生成された音楽配信データ、及び上記配信対象の音楽コンテンツに関係する写真画像から生成された音楽サービスデータが記録される記録媒体と、
上記記録媒体から上記音楽配信データを読み出して出力すると共に、上記記録媒体から上記音楽サービスデータを読み出すデータ読出部と、
上記データ読出部により上記記録媒体から読み出された上記音楽サービスデータに基づく上記写真画像を表示する表示部と
を具えることを特徴とする携帯型再生装置。
【請求項２】
上記データ読出部は、
上記記録媒体から上記音楽配信データ及び上記音楽サービスデータを読み出し、当該読み出した上記音楽配信データを出力し、
上記表示部は、
上記データ読出部により上記記録媒体から読み出された上記音楽サービスデータに基づいて、上記配信対象の音楽コンテンツのタイトルと共に上記写真画像を表示する
ことを特徴とする請求項１に記載の携帯型再生装置。
【請求項３】
上記記録媒体には、
購入された上記配信対象の音楽コンテンツから生成された上記音楽配信データと共に、当該購入された上記配信対象の音楽コンテンツに対応する上記音楽サービスデータが記録される
ことを特徴とする請求項２に記載の携帯型再生装置。
【請求項４】
上記記録媒体に記録される上記音楽サービスデータは、
上記配信対象の音楽コンテンツに関係する上記写真画像として、当該配信対象の音楽コンテンツの上記タイトルの写真画像、又は当該タイトルに合わせたアルバムジャケットの写真画像から生成された
ことを特徴とする請求項３に記載の携帯型再生装置。
【請求項５】
上記記録媒体には、
複数の写真画像をサムネイル表示してなるインデックスデータが記録される
ことを特徴とする請求項４に記載の携帯型再生装置。
【請求項６】
配信対象の音楽コンテンツから生成された音楽配信データ、及び上記配信対象の音楽コンテンツに関係する写真画像から生成された音楽サービスデータが記録された記録媒体から上記音楽配信データ及び上記音楽サービスデータを読み出すデータ読出ステップと、
上記記録媒体から読み出された上記音楽配信データを出力すると共に、上記記録媒体から読み出された上記音楽サービスデータに基づいて上記配信対象の音楽コンテンツのタイトルと共に上記写真画像を表示する再生ステップと
を具えることを特徴とする携帯型再生装置の再生方法。
【請求項７】
上記再生ステップは、
上記音楽サービスデータに基づく写真画像として、上記配信対象の音楽コンテンツのアイコンが設けられたアイコン画像を表示する
ことを特徴とする請求項６に記載の携帯型再生装置の再生方法。
【請求項８】
上記記録媒体に記録される上記音楽サービスデータは、
上記配信対象の音楽コンテンツに関係する上記写真画像として、上記配信対象の音楽コンテンツの上記タイトルの写真画像、又は当該タイトルに合わせたアルバムジャケットの写真画像から生成された
ことを特徴とする請求項７に記載の携帯型再生装置の再生方法。
【発明の詳細な説明】
【技術分野】
【０００１】
本発明は携帯型再生装置及び携帯型再生装置の再生方法に関し、例えばスチルカメラを用いて被写体を撮影することにより写真フィルムに露出形成された写真画像を配信する写真画像商取引システムに適用して好適なものである。
【背景技術】
【０００２】
従来、写真フィルムに露出形成された写真画像は、印画紙に焼付られて生成されたプリント写真等の印刷物として取り扱われている。
【発明の開示】
【発明が解決しようとする課題】
【０００３】
ところで配信対象の音楽コンテンツに関係するアルバムジャケット等の写真画像についても、印刷物として取り扱われている。このため配信対象の音楽コンテンツに関係する写真画像については、わざわざ書店やレコード店等の店舗に出向いて購入しなければならず、容易には楽しませ難いという問題があった。
【０００４】
本発明は以上の点を考慮してなされたもので、配信対象の音楽コンテンツに関係する写真画像を容易に楽しませることができる携帯型再生装置及び携帯型再生装置の再生方法を提案しようとするものである。
【課題を解決するための手段】
【０００５】
かかる課題を解決するため本発明においては、携帯型再生装置に対し、配信対象の音楽コンテンツから生成された音楽配信データ、及び当該配信対象の音楽コンテンツに関係する写真画像から生成された音楽サービスデータが記録される記録媒体と、当該記録媒体から音楽配信データ及び音楽サービスデータを読み出すデータ読出部と、当該データ読出部により記録媒体から読み出された音楽サービスデータに基づく写真画像を表示する表示部とを設けるようにした。
【０００６】
従って本発明では、配信対象の音楽コンテンツに関係する写真画像を容易に楽しませることができる。
【発明の効果】
【０００７】
本発明によれば、携帯型再生装置において、配信対象の音楽コンテンツから生成された音楽配信データ、及び当該配信対象の音楽コンテンツに関係する写真画像から生成された音楽サービスデータが記録される記録媒体から、その音楽配信データ及び音楽サービスデータを読み出すと共に、当該読み出した音楽サービスデータに基づく写真画像を表示部に表示するようにしたことにより、配信対象の音楽コンテンツに関係する写真画像を容易に楽しませることができる携帯型再生装置及び携帯型再生装置の再生方法を実現することができる。
【発明を実施するための最良の形態】
【０００８】
以下図面について、本発明の一実施の形態を詳述する。
【０００９】
（１）写真画像
現在、最も広く使用されている写真フィルムは、日本工業規格（JIS:Japan Industrial Standard ）及び国際標準化機構（ISO:International Standardization for Organization）の規格に定められている35〔mm〕の幅を有する 135系フィルムと呼ばれるフィルムである。
【００１０】
また、最近では、写真フィルムとして、24〔mm〕の幅を有する、いわゆる、ＡＰＳ（Advanced Photo System （商標））フィルムと呼ばれる写真フィルムが市場に導入されている。
【００１１】
このＡＰＳフィルムにおいては、幅が 135系フィルムの幅に比べて狭いことにより、その分、ＡＰＳフィルム専用のスチルカメラ（すなわち、ＡＰＳカメラ）を 135系フィルム専用のスチルカメラに比べて大幅に小型化することができ、かくしてＡＰＳカメラと共に急速に普及し始めている。
【００１２】
図１に示すように、ＡＰＳフィルム１においては、24〔mm〕の幅の帯状でなるベースフィルム２の一面に光透過性の感光層３が積層されると共に、当該ベースフィルム２の他面に光透過性の磁気層４が積層されて形成されている。
【００１３】
また、図２に示すように、ＡＰＳフィルム１においては、感光層３のほぼ中央部に帯状の露出対象領域５が当該ＡＰＳフィルム１の長手方向（以下、これをフィルム長手方向と呼ぶ）に沿って設けられると共に、ＡＰＳフィルム１の幅方向（以下、これをフィルム幅方向と呼ぶ）の両側縁部には、帯状の非露出領域でなるユーザ（カメラ）使用領域６及びラボ使用領域７が設けられている。
【００１４】
さらに、ラボ使用領域７には、近接する一対のフィルム位置予測孔（角孔）８及びフィルム位置決め孔（角孔）９がフィルム長手方向に沿って順次所定ピッチで穿設されている。
【００１５】
因みに、ＡＰＳフィルム１においては、露出対象領域５の幅が、当該露出対象領域５とユーザ（カメラ）使用領域６及びラボ使用領域７との間に設けられるガード領域（図示せず）の幅を考慮して16.9〔mm〕程度に選定されると共に、ユーザ（カメラ）使用領域６及びラボ使用領域７の幅がそれぞれ 2.5〔mm〕程度に選定されている。また、一対のフィルム位置予測孔（角孔）８及びフィルム位置決め孔（角孔）９は、それぞれ２〔mm〕程度の辺を有し、フィルム幅方向の縁から1.35〔mm〕程度内側の位置に穿設されている。
【００１６】
そして、ＡＰＳフィルム１においては、図３に示すように、略楕円形の筒状のフィルムカートリッジ１０に収納されており、この状態でＡＰＳカメラ（図示せず）に装填され、当該ＡＰＳカメラ内において、フィルムカートリッジ１０から引き出されると、一対のフィルム位置予測孔（角孔）８Ａ及びフィルム位置決め孔（角孔）９Ａのうちの当該フィルム位置予測孔（角孔）８Ａと、これに続いて引き出される一対のフィルム位置予測孔（角孔）８Ｂ及びフィルム位置決め孔（角孔）９Ｂのうちの当該フィルム位置決め孔（角孔）９Ｂとにより位置決めされる。
【００１７】
これにより、ＡＰＳフィルム１においては、図４に示すように、露出対象領域５にＨＤＴＶ（High Definition Television）のアスペクト比と同様な９対16のアスペクト比を有する所定フレームサイズの露出領域１１がフィルム長手方向に沿って順次所定ピッチで確保され、当該露出領域１１の全面に渡って写真画像が露出形成される。
【００１８】
なお、図面上の文字（Y.T 29.5.96 ）は実際には、磁気記録されたディジタル信号であり、特に（Y.T ）はカメラ所有者等のＩＤ（IDentification）に変更される。
【００１９】
因みに、ＡＰＳフィルム１においては、図５に示すように、露出領域１１の全面に渡って露出形成された写真画像を印画紙に焼き付ける場合、９対16のアスペクト比を有する所定フレームサイズのまま印画紙に焼き付ける第１の焼付タイプＨと、当該９対16のアスペクト比をフィルム長手方向に沿って狭めた２対３のアスペクト比を有するフレームサイズで印画紙に焼き付ける第２の焼付タイプＣ（ Classicタイプ）と、９対16のアスペクト比をフィルム幅方向に沿って狭めた１対３のアスペクト比を有するフレームサイズで印画紙に焼き付ける第３の焼付タイプＰ（Panoramaタイプ）とのうちの所望する焼付タイプを選定し得るようになされている。
【００２０】
ところで、ＡＰＳフィルム１においては、ユーザ（カメラ）使用領域６及びラボ使用領域７にそれぞれ所定のデータを記録し得るようになされており、当該ユーザ（カメラ）使用領域６及びラボ使用領域７に記録されたデータを写真画像の印画紙への焼き付け処理等に使用し得るようになされている。
【００２１】
実際にＡＰＳフィルム１の他面側（すなわち、磁気層４）のユーザ（カメラ）使用領域６（図４）には、ＡＰＳカメラを用いた撮影時（以下、これを単に撮影時と呼ぶ）、各露出領域１１にそれぞれ対応させて撮影条件等のデータ（以下、これをユーザデータと呼ぶ）が磁気的にディジタル記録される。
【００２２】
このユーザデータは、写真画像の焼付時に撮影条件を反映させて焼き付けるためのデータであり、写真画像の焼付条件、さらには、写真画像の取扱条件とも言えるため、基本的には永久的に保存されるようになされている。
【００２３】
ここで、図６（Ａ）に示すように、ユーザデータ１２は、磁気データとしてシンクデータ１２Ａ、実データ１２Ｂ及び当該実データ１２Ｂに対する誤り検出用のパリティデータ１２Ｃが順次格納されて構成されている。
【００２４】
また、ユーザ（カメラ）使用領域６上に記録される磁気データの実データ１２Ｂは、図６（Ｂ）に示すように、撮影日時、撮影カメラ情報、第１〜第３の焼付タイプＨ、Ｃ、Ｐのうちのユーザにより選択された焼付タイプ、ユーザにより指定された焼付枚数、フレーム位置情報、撮影に用いられたＡＰＳカメラに予め割り当てられたカメラＩＤ、フィルムカートリッジの途中交換の有無の情報、被写体の明るさの情報、人工光源の使用の有無の情報、撮影距離による被写体の像倍率の情報、焼付時に写真の一面及び又は他面にプリントするタイトル及びメッセージ、撮影者の氏名の各種情報等からなる。
【００２５】
そして、ユーザデータ１２は、１バイト内の「１」又は「０」ビットの位置や、当該１バイト内の「１」及び「０」ビットの組み合わせにより表現されるビット列として記録されている。
【００２６】
因みに、撮影カメラ情報は、絞り値、シャッタ速度、ＩＳＯ（International Standardization for Organization）感度、露出補正値、ストロボ発光の有無及び撮影レンズ焦点距離等からなる。また、フレーム位置情報は、ＡＰＳカメラ内における露出領域１１の方向を示す情報と、当該露出領域１１に形成された写真画像の印画紙への焼き付けの有無の情報とからなる。
【００２７】
これに加えて、ＡＰＳフィルム１の一面側（すなわち感光層３）のユーザ（カメラ）使用領域６には、予めフィルム長手方向に沿って露出領域１１に順番に割り当てられたフレーム番号がフレーム番号データとして当該露出領域１１に対応させて光学的に記録されている。因みに、フレーム番号データは、数字と、これを表すバーコードとにより表現されて記録されている。
【００２８】
また、ＡＰＳフィルム１の他面側（すなわち、磁気層４）のラボ使用領域７（図４）には、写真店において、後述する写真画像焼付装置を用いた印画紙への写真画像の焼付時（以下、これを単に焼付時と呼ぶ）、ユーザデータ１２に基づいて設定された焼付条件等のデータ（以下、これをラボデータと呼ぶ）が磁気的に記録され、当該ラボデータは必要に応じて書き換えることができるようになされている。
【００２９】
さらに、ＡＰＳフィルム１の一面側（すなわち、感光層３）のラボ使用領域７には、予め初期データとして、当該ＡＰＳフィルム１の先頭部分に、ＡＰＳフィルム１の規格に関するフィルムタイプや撮影可能枚数等の所定の情報、ＡＰＳフィルム１を製造した製造メーカの名称及びＡＰＳフィルム１に予め割り当てられたフィルムＩＤ等の各種情報が光学的に記録されている。
【００３０】
因みに、ユーザ（カメラ）使用領域６及びラボ使用領域７には、フレーム番号データ及び初期データがＡＰＳフィルム１の現像後に光学的に検出可能又は目視可能となる潜像として記録されている。
【００３１】
従って、光学的に記録されたフレーム番号データ及び初期データは磁気的に記録されたユーザデータ１２及びラボデータの記録再生に何ら影響を与えないと共に、当該磁気的に記録されたユーザデータ１２及びラボデータも、光学的に記録されたフレーム番号データ及び初期データの再生に何ら影響を与えないようになされている。
【００３２】
このため、ユーザ（カメラ）使用領域６及びラボ使用領域７には、ユーザデータ１２及びフレーム番号データと、初期データ及びラボデータとを一面側及び他面側から対向させて記録することができ、かくして、一面及び他面を有効に活用して多量のデータを記録し得るようになされている。
【００３３】
ここで、図７及び図８に示すように、ＡＰＳフィルム１が装填されるＡＰＳカメラ１５においては、暗箱部１６と、当該暗箱部１６を密閉する裏蓋１７とから構成されている。
【００３４】
暗箱部１６（図７）においては、外部にシャッタレリーズボタン１８と、焼付タイプを設定するためのフレームサイズ設定スイッチ１９とが配設され、当該暗箱部１６の内部には、フィルムカートリッジ１０を装填するための公知構造のカートリッジ収容室２０と、ＡＰＳフィルム１に写真画像を露出するための露出用開口部２１と、露出済のＡＰＳフィルム１を収容するためのフィルムハウジング２２とが並設されている。
【００３５】
また、露出用開口部２１の上側には、一対の上側フィルムガイド２３及び２４同士がほぼ平行に設けられると共に、当該露出用開口部２１の下側にも同様に一対の下側フィルムガイド２５及び２６同士がほぼ平行に設けられている。
【００３６】
さらに、フィルムハウジング２２の内部には、ＡＰＳフィルム１を自動的に装填するためのガイドローラ２７が設けられると、当該ＡＰＳフィルム１を巻き取るためのフィルム巻取スプロール２８が回動自在に設けられている。
【００３７】
そして、裏蓋１７（図８）の内面には、暗箱部１６の露出用開口部２１に対向させて圧板２９が設けられている。
【００３８】
これにより、ＡＰＳカメラ１５においては、カートリッジ収容室２０にフィルムカートリッジ１０が装填されると、当該フィルムカートリッジ１０からＡＰＳフィルム１を自動的に引き出しながら露出用開口部２１及び圧板２９の間を通してガイドローラ２７に自動的に装填し、かくして、ＡＰＳフィルム１をフィルム巻取スプロール２８に巻き取るようになされている。
【００３９】
ところで、一対の下側フィルムガイド２５及び２６の間には、当該下側フィルムガイド２５及び２６の長手方向（以下、これをガイド長手方向と呼ぶ）に沿った一端側に、例えば 1.5〔mm〕程度の直径を有するＬＥＤ（Light Emitting Diode）でなるフィルム位置検出用光源３１が設けられ、当該ガイド長手方向に沿った他端側に同様のＬＥＤでなるフィルム予測用光源３２が設けられている。
【００４０】
これに対して、裏蓋１７の圧板２９には、フィルム位置検出用光源３１及びフィルム予測用光源３２にそれぞれ対向させて光電検出器３３及び３４が設けられると共に、一対の上側フィルムガイド２３及び２４間の所定部位に対向させて磁気ヘッド３５が設けられている。
【００４１】
そして、図９に示すように、ＡＰＳカメラ１５においては、フィルムカートリッジ１０から引き出されたＡＰＳフィルム１のユーザ（カメラ）使用領域６側の縁部を一対の上側フィルムガイド２３及び２４の間に通し、かつラボ使用領域７側の縁部を一対の下側フィルムガイド２５及び２６の間に通すと共に、裏蓋１７の圧板２９によりＡＰＳフィルム１をその他面側から露出用開口部２１側に押圧することにより、ＡＰＳフィルム１の上下方向への移動を規制しながら露出対象領域５を張った状態にし得るようになされている。
【００４２】
また、ＡＰＳカメラ１５においては、ＡＰＳフィルム１のユーザ（カメラ）使用領域６（図４）の他面側を磁気ヘッド３５に対向させると共に、ラボ使用領域７（図４）をフィルム位置検出用光源３１及び光電検出器３３間と、フィルム予測用光源３２及び光電検出器３４間とに順次通すようになされている。
【００４３】
これにより、ＡＰＳカメラ１５においては、フィルムカートリッジ１０からＡＰＳフィルム１を自動的に引き出したとき、フィルム予測用光源３２及び光電検出器３４によりフィルム位置予測孔（角孔）８を検出した後、フィルム位置検出用光源３１及び光電検出器３３によりフィルム位置決め孔（角孔）９を検出するようにして未露出の露出領域１１のほぼ中央を露出用開口部２１のほぼ中央に位置させてＡＰＳフィルム１を位置決めする。
【００４４】
ここで、露出用開口部２１においては、ＡＰＳフィルム１の送り方向に沿った露出用開口部２１の長さが、フィルム長手方向に沿った露出領域１１の長さに応じて、例えば 30.03〔mm〕程度に選定されると共に、当該ＡＰＳフィルム１の送り方向とほぼ直交する方向に沿った幅が、フィルム幅方向に沿った露出領域１１の幅に応じて、例えば 16.93〔mm〕程度に選定されている。
【００４５】
従って、ＡＰＳカメラ１５においては、ＡＰＳフィルム１を位置決めした状態でシャッタレリーズボタン１８が押下されると、被写体（図示せず）から到来する撮像光をカメラレンズ、絞り及びシャッタ（図示せず）を順次介して露出用開口部２１内に取り込み、当該取り込んだ撮像光によりＡＰＳフィルム１の未露出の露出領域１１を露出することにより当該露出領域１１に被写体の像を含む視野画像を写真画像として形成し得るようになされている。
【００４６】
因みに、ＡＰＳカメラ１５においては、このとき上述したように露出領域１１を張った状態にしていることにより、当該露出領域１１に形成される写真画像が歪むことを防止し得るようになされている。
【００４７】
また、ＡＰＳカメラ１５においては、このようにシャッタレリーズボタン１８が押下されると、ユーザ（カメラ）使用領域６に磁気ヘッド３５を介してユーザデータ１２を磁気的に記録しながら再びＡＰＳフィルム１をフィルム巻取スプロール２８に巻き取り、かくして、フィルム予測用光源３２及び光電検出器３４と、フィルム位置検出用光源３１及び光電検出器３３とによりフィルム位置予測孔（角孔）８及びフィルム位置決め孔（角孔）９を順次検出するようにして新たな未露出の露出領域１１のほぼ中央を露出用開口部２１のほぼ中央に位置させてＡＰＳフィルム１を位置決めする。
【００４８】
このようにＡＰＳカメラ１５においては、シャッタレリーズボタン１８が押下される毎に、未露出の露出領域１１に写真画像を形成すると共に、ユーザ（カメラ）使用領域６にユーザデータ１２を磁気的に記録した後、露出用開口部２１に対して新たな未露出の露出領域１１を位置決めするようになされている。
【００４９】
因みに、ＡＰＳカメラ１５においては、露出領域１１に写真画像を形成する毎に、ユーザ（カメラ）使用領域６に対し露出領域１１に対応するユーザデータ１２を例えば３回程度繰り返して記録したり、ユーザ（カメラ）使用領域６に記録されたディジタル信号に誤り訂正符号を付加して誤り訂正又は誤り検出しても良い。
【００５０】
これにより例えば写真画像焼付装置（図示せず）においては、焼付時、ＡＰＳフィルム１から露出領域１１毎に３回程度繰り返して記録されているユーザデータ１２を全て再生し、これらを比較して誤り検出することにより、同一なもの同士の割合から正確なユーザデータ１２を判別して焼き付けに使用する。すなわち、写真画像焼付装置においては、３回再生したユーザデータ１２が全て同一であれば、これらユーザデータ１２が正確なものと判断すると共に、３回再生したユーザデータ１２のうち、２回の再生により同一のユーザデータ１２が得られれば、この同一のユーザデータ１２を正確なものと判断し、３回再生したユーザデータ１２が全て異なるときには再び再生するようになされたり、ユーザデータ１２が誤っていると判断しても良い。
【００５１】
また、フィルム予測用光源３２及びフィルム位置検出用光源３１は、ＡＰＳフィルム１が感光する波長領域から外れた、例えば、 940〔nm〕程度の波長を有する赤外線を射出するようになされており、これにより、フィルム予測用光源３２及びフィルム位置検出用光源３１から射出される赤外線によりＡＰＳフィルム１の露出領域１１が露出されることを防止し得るようになされている。
【００５２】
実際上、図１０に示すように、ＡＰＳカメラ１５においては、内部にマイクロコンピュータ構成のシステムコントローラ４０が設けられている。
【００５３】
そして、システムコントローラ４０は、フィルムカートリッジ１０が装填されると、所定のフィルム引出し機構（図示せず）を駆動制御して当該フィルムカートリッジ１０からＡＰＳフィルム１を自動的に引き出すと共に、このときフィルム予測用光源３２及び光電検出器３４と、フィルム位置検出用光源３１及び光電検出器３３とからなる孔センサ４１によりフィルム位置予測孔（角孔）８及びフィルム位置決め孔（角孔）９が順次検出されて検出信号が与えられると、当該検出信号に基づいて制御信号を生成し、これを増幅回路４２を介してモータ４３へ送出する。
【００５４】
これにより、システムコントローラ４０は、制御信号に基づいてモータ４３を駆動制御し、当該モータ４３に連結されたフィルム巻取スプロール２８を回転させることにより、フィルム巻取スプロール２８にＡＰＳフィルム１を所定長さだけ巻き取り、かくして露出用開口部２１に対して露出領域１１を位置決めし得るようになされている。
【００５５】
因みに、システムコントローラ４０は、孔センサ４１によりフィルム位置決め孔（角孔）９が検出されて検出信号が与えられると、当該検出信号に基づいて内部のカウンタをカウントアップし、これにより露出用開口部２１に対して位置決めした露出領域１１のフレーム番号を認識し得るようになされている。
【００５６】
そして、システムコントローラ４０は、このように露出用開口部２１に対して露出領域１１を位置決めした状態において、シャッタレリーズボタン１８が押下されると、ステッピングモータ制御回路４５を介してステッピングモータ４６を駆動制御してフォーカシング及び露出を調整し、この後シャッタを開放して露出用開口部２１内に撮像光を取り込むことにより露出領域１１に写真画像を露出形成する。
【００５７】
また、システムコントローラ４０は、このときフレームサイズ設定スイッチ１９を介して選択されている写真画像の焼付タイプや、裏蓋１７（図８）の外面に設けられたキーパッド等の入力部４７を介して入力された撮影日時や撮影者等の各種情報等を取り込んでおり、当該取り込んだ各種情報と、フォーカシング及び露出の調整により得られた露出条件等の各種情報とに基づいてユーザデータ１２を生成する。
【００５８】
因みに、入力部４７には、表示パネル４７Ａが設けられており、入力キーを介して所定の情報が入力されると、その情報を表示パネル４７Ａに表示させることによりユーザデータ１２としてＡＰＳフィルム１のユーザ（カメラ）使用領域６に記録すべき情報が正しく入力されたか否かを目視確認させ得るようになされている。
【００５９】
例えば、表示パネル４７Ａは、ユーザ（カメラ）使用領域６に記録すべきプリントアウト時に付加されるタイトル又は標題を選定するコード入力を確認するために使用されたりする。なお、表示パネル４７Ａに表示する他の情報として、露光情報等がある。
【００６０】
そして、システムコントローラ４０は、露出領域１１への写真画像の露出形成が終了すると、増幅回路４２を介してモータ４３を駆動制御することによりフィルム巻取スプロール２８にＡＰＳフィルム１を巻き取らせながら、露出形成した写真画像に対応するユーザデータ１２を磁気記録回路４８に送出し、かくして、磁気記録回路４８により磁気ヘッド３５を介してＡＰＳフィルム１のユーザ（カメラ）使用領域６にユーザデータ１２を磁気的に記録し、再び上述と同様にして、露出用開口部２１に対して未露出の新たな露出領域１１を位置決めする。
【００６１】
このようにしてＡＰＳカメラ１５においては、ＡＰＳフィルム１の露出領域１１に順次写真画像を露出形成し得ると共に、これに伴い写真画像に対応するユーザデータ１２をユーザ（カメラ）使用領域６に記録し得るようになされている。
【００６２】
また、システムコントローラ４０は、ＡＰＳフィルム１に対して撮影可能枚数分の全ての露出領域１１に写真画像を露出形成すると、フィルム引出し機構を駆動制御してフィルムカートリッジ１０内にＡＰＳフィルム１を巻き取るように収納する。これによりＡＰＳカメラ１５においては、露出済のＡＰＳフィルム１をフィルムカートリッジ１０に収納した状態で取り出すことができ、かくして外部に取り出された露出済のＡＰＳフィルム１をフィルムカートリッジ１０により保護し得るようになされている。
【００６３】
また、システムコントローラ４０は、ＡＰＳフィルム１の全ての露出領域１１に対して写真画像を露出形成する以前に、所定のフィルム巻取ボタン（図示せず）が押下されると、その時点において露出用開口部２１に対して位置決めさせていた露出領域１１の対応するユーザ（カメラ）使用領域６に関する情報をフィルムカートリッジ１０が途中交換されることを示す情報と合わせて磁気的に記録する。
【００６４】
この後、システムコントローラ４０は、フィルム引出し機構を駆動制御してフィルムカートリッジ１０内にＡＰＳフィルム１を巻き取るように収納しながら、当該ＡＰＳフィルム１の先頭のユーザ（カメラ）使用領域６に、そのときまでに写真画像を露出形成した露出領域１１のフレーム番号データを磁気的に記録する。
【００６５】
これにより、システムコントローラ４０は、ＡＰＳカメラ１５に１度装填されたフィルムカートリッジ１０が、ＡＰＳフィルム１の全ての露出領域１１に写真画像を露出形成する以前に取り出されても、この後、そのフィルムカートリッジ１０が再びＡＰＳカメラ１５に装填されると、当該フィルムカートリッジ１０から引き出したＡＰＳフィルム１の先頭のユーザ（カメラ）使用領域６により、交換前までに写真画像を露出形成した露出領域１１のフレーム番号を認識し、その認識したフレーム番号の露出領域１１に続く未露出の露出領域１１にのみ写真画像を露出形成することができる。
【００６６】
そして、全て又は一部の露出領域１１に写真画像が露出形成されたＡＰＳフィルム１は、フィルムカートリッジ１０に収納された状態で写真店に持ち込まれ、当該写真店において、現像処理された後、所定の写真画像焼付装置を用いて印画紙に写真画像が焼き付けられるようになされている。
【００６７】
（２）写真画像焼付装置の構成
ここで、図１１に示すように、写真店に設置された写真画像焼付装置１００においては、写真画像取込機１０１にモニタ１０２及びプリンタ１０３が接続されて構成されている。
【００６８】
写真画像取込機１０１においては、例えば、図１２に示すように、略Ｌ字状でなる下部ボディ１０５と、当該下部ボディ１０５の背板部１０５Ａに設けられた上部ボディ１０６とを有し、当該上部ボディ１０６の正面に焼付選択パネル１０７が設けられている。
【００６９】
また、上部ボディ１０６の側面には電源表示パネル１０８が設けられると共に、当該上部ボディ１０６の内部には後述する所定の光学機構、電荷結合デバイス（CCD:Charge Coupled Device ）及び所定の駆動回路が設けられている。
【００７０】
一方、下部ボディ１０５の台座部１０５Ｂには、モニタ調節パネル１０９と、カートリッジ装填室１１０と、光透過性のウィンドウ１１１とが設けられると共に、下部ボディ１０５の背板部１０５Ａの側面には、主電源スイッチ１１２が設けられている。
【００７１】
また、図１３に示すように、下部ボディ１０５の台座部１０５Ｂの内部には、一対のフィルム送りローラ１１８Ａ及び１１８Ｂと、一対のアイドルローラ１１９Ａ及び１１９Ｂと、フィルムハウジング１２１とが内蔵されると共に、ウィンドウ１１１に対向させてランプ１２２が内蔵されている。
【００７２】
さらに、ランプ１２２及びウィンドウ１１１間には、当該ランプ１２２側からウィンドウ１１１側にかけて順に拡散フィルタ１２３と、一対のフィルムガイド１２４及び１２５とが配設されており、当該フィルムガイド１２４及び１２５には、それぞれＡＰＳネガフィルム１Ａの露出領域１１（図４）の画角（９体16のアスペクト比を有する画角）に応じた開口部が形成されている。
【００７３】
そして、台座部１０５Ｂにおいては、現像処理の済んだＡＰＳフィルム（以下、これをＡＰＳネガフィルムと呼ぶ）１Ａが収納されたフィルムカートリッジ１０がカートリッジ装填室１１０に装填されると、当該フィルムカートリッジ１０からフィルム引出機構（図示せず）によってＡＰＳネガフィルム１Ａを引き出し、当該引き出したＡＰＳネガフィルム１Ａをフィルム送りローラ対１１８Ａ及び１１８Ｂ間と、フィルムガイド１２４及び１２５間と、アイドルローラ対１１９Ａ及び１１９Ｂ間とを順次通してフィルムハウジング１２１内のフィルム巻取リール１２６に巻き取る。
【００７４】
また、フィルムガイド１２４及び１２５間には、フィルムカートリッジ１０から引き出したＡＰＳネガフィルム１Ａのラボ使用領域７（図２）を挟み込むように孔検出用センサ１２７Ａ及び１２７Ｂが設けられると共に、ユーザ（カメラ）使用領域６（図２）に対向させてユーザデータ用磁気ヘッド１２８及びフレーム番号用光学ヘッド１２９が設けられ、ラボ使用領域７に対向させてラボデータ用磁気ヘッド１３０及び初期データ用光学ヘッド１３１が設けられている。
【００７５】
これにより、台座部１０５Ｂにおいては、フィルムカートリッジ１０からＡＰＳネガフィルム１Ａを引き出したとき、孔検出用センサ１２７Ａ及び１２７Ｂによりフィルム位置予測孔（角孔）８（図２）及びフィルム位置決め孔（角孔）９（図２）を順次検出して露出領域１１をフィルムガイド１２４及び１２５の開口部に対して位置決めすることができる。
【００７６】
そして、台座部１０５Ｂにおいては、ＡＰＳネガフィルム１Ａの露出領域１１をフィルムガイド１２４及び１２５の開口部に対して位置決めした状態において、ランプ１２２から得られる光線を拡散フィルタ１２３を通して拡散させることにより露出領域１１の全面に渡って照射し、当該露出領域１１を透過して得られる写真画像光をウィンドウ１１１を通して上部ボディ１０５Ａの電荷結合デバイスの受光面に受光させる。
【００７７】
これにより、写真画像取込機１０１においては、電荷結合デバイスによって受光した写真画像光を光電変換し、ＡＰＳネガフィルム１Ａの露出領域１１に露出形成されている写真画像の写真画像データを生成することができる。
【００７８】
また、写真画像取込機１０１においては、写真画像データに基づき所定の表示用写真画像データを生成し、これをモニタ１０２（図１１）に送出することにより当該表示用写真画像データに基づく写真画像を表示させる。
【００７９】
さらに、写真画像取込機１０１においては、写真画像データに基づき、焼付用写真画像データを生成し、これをプリンタ１０３に送出することにより当該焼付用写真画像データに基づいて、所定サイズ（以下、これをプリントサイズと呼ぶ）の印画紙片に写真画像を焼き付けてなるプリント写真を生成し得るようになされている。
【００８０】
因みに、モニタ調節パネル１０９（図１２）には、色調節スイッチ１３３と、ズーム制御スイッチ１３４と、フォーカス制御スイッチ１３５と、絞り制御スイッチ１３６と、主電源表示灯１３７とが設けられており、当該色調節スイッチ１３３、ズーム制御スイッチ１３４、フォーカス制御スイッチ１３５及び絞り制御スイッチ１３６を手動操作することによりモニタ１０２に表示させた写真画像の画質を調節し得るようになされている。
【００８１】
実際上、写真画像取込機１０１においては、図１４に示すように、マイクロコンピュータ構成のシステムコントローラ１４０が設けられ、当該マイクロコンピュータ１４０が写真画像取込機１０１全体を制御することにより、上述した一連の写真画像データの生成処理を自動的に実行し得るようになされている。
【００８２】
すなわち、システムコントローラ１４０は、カートリッジ装填室１１０（図１２及び図１３）に装填されたフィルムカートリッジ１０（図１３）からＡＰＳネガフィルム１Ａを引き出すと、フィルム駆動回路１４１を制御する。
【００８３】
これにより、フィルム駆動回路１４１は、フィルム駆動モータ１４２を駆動制御してフィルム送りローラ対１１８Ａ及び１１８Ｂ（図１３）と、アイドルローラ対１１９Ａ及び１１９Ｂ（図１３）と、フィルム巻取リール１２６（図１３）とを回転させ、かくしてＡＰＳネガフィルム１Ａをフィルム巻取リール１２６に巻き取る。
【００８４】
また、システムコントローラ１４０は、孔検出用センサ１２７Ａ及び１２７Ｂ（図１３）から孔検出回路１４３を介してＡＰＳネガフィルム１Ａのフィルム位置予測孔（角孔）８（図２）及びフィルム位置決め孔（角孔）９（図２）の検出結果が得られると、フィルム駆動モータ１４２の駆動制御を一時停止させることにより、ＡＰＳネガフィルム１Ａの露出領域１１（図４）をフィルムガイド１２４及び１２５の開口部に対して位置決めする。
【００８５】
このようにして、システムコントローラ１４０は、ＡＰＳネガフィルム１Ａの巻き取りと、当該ＡＰＳネガフィルム１Ａの露出領域１１の位置決めとを順次交互に実行し得るようになされている。
【００８６】
これに加えて、システムコントローラ１４０は、ＡＰＳネガフィルム１Ａの送り移動時、光学再生回路１４４を介して初期データ用光学ヘッド１３１を制御することによりＡＰＳネガフィルム１Ａのラボ使用領域７から初期データを再生すると共に、光学再生回路１４５を介してフレーム番号用光学ヘッド１２９を制御することにより当該ＡＰＳネガフィルム１Ａのユーザ（カメラ）使用領域６からフレーム番号データを再生する。
【００８７】
また、システムコントローラ１４０は、磁気再生回路１４６を介してユーザデータ用磁気ヘッド１２８を制御することによりＡＰＳネガフィルム１Ａのユーザ（カメラ）使用領域６からユーザデータを再生する。
【００８８】
そして、システムコントローラ１４０は、ＡＰＳネガフィルム１Ａの露出領域１１に対応するユーザデータを再生する毎に、当該再生したユーザデータに含まれる撮影カメラ情報、被写体の明るさの情報、人工光源の使用の有無の情報及び撮影距離による被写体の像倍率の情報等に基づいて、ズームモータ駆動回路１４８、フォーカスモータ駆動回路１４９及び絞りモータ駆動回路１５０を制御する。
【００８９】
これにより、ズームモータ駆動回路１４８は、ズームモータ１５１を駆動制御し、当該ズームモータ１５１を介してズームレンズ１５２を光軸に沿って移動させることにより写真画像光の倍率を調整する。
【００９０】
また、フォーカスモータ駆動回路１４９は、フォーカスモータ１５３を駆動制御することにより、当該フォーカスモータ１５３を介してフォーカスレンズ１５４を光軸に沿って移動させ、かくして写真画像光のフォーカスを調整する。
【００９１】
さらに、絞りモータ駆動回路１５０は、絞りモータ１５５を駆動制御することにより、ズームレンズ１５２により調整された倍率に応じて、絞りモータ１５５を介して写真画像光に対する絞り１５６を調整する。
【００９２】
このようにして、システムコントローラ１４０は、ＡＰＳネガフィルム１Ａの露出領域１１をフィルムガイド１２４及び１２５の開口部に対して位置決めする毎に、対応するユーザデータに基づいて、写真画像の撮影条件を再現するようにズームレンズ１５２、フォーカスレンズ１５４及び絞り１５６を調整することができ、この状態において、電源回路１５７からランプ駆動回路１５８に電源電圧を給電して駆動制御することにより、当該ランプ駆動回路１５８を介してランプ１２２を点灯させる。
【００９３】
これにより、ランプ１２２から発射された光線は、拡散フィルタ１２３を通って拡散された状態で露出領域１１の全面に渡って照射され、この結果、露出領域１１を透過して得られる写真画像光は、ウィンドウ１１１、対物レンズ１５９、ズームレンズ１５２、フォーカスレンズ１５４及び絞り１５６を順次介して電荷結合デバイス１６０の受光面に受光される。
【００９４】
ここで、電荷結合デバイス１６０の受光面は、露出領域１１と同様な９対16のアスペクト比を有し、露出領域１１に露出形成されている写真画像がそのままの画角の写真画像光として当該受光面の全面に渡って投影される。そして、電荷結合デバイス１６０は、受光面の全面に渡って受光した写真画像光を光電変換し、得られたアナログの光電信号を画像データ処理部１６１に送出する。
【００９５】
画像データ処理部１６１は、システムコントローラ１４０の制御のもとに、電荷結合デバイス１６０から与えられた光電信号をアナログデジタル変換することにより、ＡＰＳネガフィルム１Ａの露出領域１１に露出形成されている写真画像の写真画像データを生成する。
【００９６】
また、画像データ処理部１６１は、システムコントローラ１４０からユーザデータ、初期データ及びフレーム番号データ等が与えられており、これらユーザデータ、初期データ及びフレーム番号データに基づいて、写真画像データに対して焼付タイプに応じた画角の変換処理等の所定のデータ処理を施し、得られた表示用写真画像データをモニタ１０２（図１１）に送出する。
【００９７】
これにより、画像データ処理部１６１は、モニタ１０２に表示用写真画像データに基づく写真画像を表示させ、かくして、写真画像の焼付状態を、予めモニタ１０２上で目視確認させ得るようになされている。
【００９８】
また、画像データ処理部１６１は、写真画像データにユーザデータに含まれる焼付枚数の情報等を付加するようにして所定のデータ処理を施し、得られた焼付用写真画像データをプリンタ１０３（図１１）に送出し、かくしてプリンタ１０３に焼付枚数に応じたプリント写真を生成させ得るようになされている。
【００９９】
ところで、写真画像取込機１０１においては、リモートコントローラ１６２が設けられており、当該リモートコントローラ１６２により、主電源のオン／オフ命令、ＡＰＳネガフィルム１Ａの送り移動命令、焼付タイプの変更指定命令及び焼付枚数の変更指定命令を入力し得るようになされている。
【０１００】
実際に、システムコントローラ１４０は、リモートコントローラ１６２からＡＰＳネガフィルム１Ａの送り移動命令に応じた光電信号が発射されると、当該光電信号を受光素子１６３を介して取り込み、その送り移動命令に基づいて、フィルム駆動回路１４１を介してフィルム駆動モータ１４２を駆動制御することにより、ＡＰＳネガフィルム１Ａの各露出領域１１のうちの指定されたフレーム番号の露出領域１１をフィルムガイド１２４及び１２５の開口部に対して位置決めする。
【０１０１】
また、システムコントローラ１４０は、リモートコントローラ１６２から焼付タイプの変更指定命令や、焼付枚数の変更指定命令に応じた光電信号が発射されると、当該光電信号を受光素子１６３を介して取り込み、当該取り込んだ光電信号に基づく焼付変更データを画像データ処理部１６１に送出する。
【０１０２】
これにより、画像データ処理部１６１は、通常、システムコントローラ１４０から与えられるユーザデータに基づいて、写真画像の焼付タイプや、焼付枚数を設定するものの、当該システムコントローラ１４０から焼付変更データが与えられると、当該焼付変更データに基づいて写真画像の焼付タイプや、焼付枚数を変更する。
【０１０３】
因みに、システムコントローラ１４０は、リモートコントローラ１６２からＡＰＳネガフィルム１Ａの送り移動命令、焼付タイプの変更指定命令及び焼付枚数の変更指定命令に応じた光電信号が与えられたときには、当該光電信号に基づく選択画像表示命令を画像データ処理部１６１に送出する。
【０１０４】
そして、画像データ処理部１６１は、システムコントローラ１４０から与えられた選択画像表示命令に基づいて、選択画像データを生成し、これを表示用写真画像データと合成してモニタ１０２に送出する。
【０１０５】
これにより、モニタ１０２には、例えば、図１５に示すように、表示用写真画像データに基づく写真画像に、選択画像データに基づく選択画像が重ねられて表示されると共に、リモートコントローラ１６２の操作に応じて選択画像が順次更新され、かくしてモニタ１０２の表示画面を見ながら、リモートコントローラ１６２を操作してＡＰＳネガフィルム１Ａの送り移動、焼付タイプの変更及び焼付枚数の変更を容易に指定し得るようになされている。
【０１０６】
これに加えて、写真画像取込機１０１の焼付選択パネル１０７には、図１６に示すように、自動モード選択スイッチ１６５、ズーム制御スイッチ１６６、フォーカス制御スイッチ１６７、絞り制御スイッチ１６８、アスペクト比変更スイッチ１６９が設けられている。
【０１０７】
そして、システムコントローラ１４０は、焼付選択パネル１０７の自動モード選択スイッチ１６５がオン状態のときには、自動モードとなり、上述したように、ユーザデータに基づいてズームモータ駆動回路１４８、フォーカスモータ駆動回路１４９及び絞りモータ駆動回路１５０を制御し、また、電荷結合デバイス１６０の受光面によって受光し得る写真画像光のアスペクト比を９対16に固定する。
【０１０８】
これに対して、システムコントローラ１４０は、自動モード選択スイッチ１６５がオフ状態のときには手動モードに移り、ズーム制御スイッチ１６６、フォーカス制御スイッチ１６７、絞り制御スイッチ１６８が操作されると、その操作に応じて焼付選択パネル１０７から与えられる操作命令に基づいて、ズームモータ駆動回路１４８、フォーカスモータ駆動回路１４９及び絞りモータ駆動回路１５０を制御する。
【０１０９】
また、システムコントローラ１４０は、手動モード時、アスペクト比変更スイッチ１６９が操作されると、その操作に応じて焼付選択パネル１０７から与えられる操作命令に基づいて、電荷結合デバイス１６０の受光面によって受光し得る写真画像光のアスペクト比を変更すると共に、このときアスペクト比変更スイッチ１６９によって選択されたアスペクト比の種類を焼付選択パネル１０７のアスペクト比表示部１７０に表示させる。
【０１１０】
因みに、システムコントローラ１４０は、手動モード時、アスペクト比変更スイッチ１６９が操作されると、図１７に示すように、９対16及び１対３のアスペクト比が選定されたときには、電荷結合デバイス１６０の受光面１６０Ａにおける有効受光領域の横幅をａに示す所定長さに選定し、３対４のアスペクト比が選定されたときには、有効受光領域の横幅をｂに示す所定長さに選定し、９対16のハーフサイズのアスペクト比が選定されたときには、有効受光領域の横幅をｃに示す所定長さに選定し、３対４のハーフサイズのアスペクト比が選定されたときには、有効受光領域の横幅をｄに示す所定長さに選定する。
【０１１１】
また、システムコントローラ１４０は、９対16及び３対４のアスペクト比と、当該９対16及び３対４のハーフサイズのアスペクト比とがそれぞれ選定されたときには、有効受光領域の縦の長さをｅに示す所定長さに選定し、１対３のアスペクト比が選定されたときには、有効受光領域の縦の長さをｆに示す所定長さに選定する。
【０１１２】
これに加えて、焼付選択パネル１０７（図１６）には、画像種類変更スイッチ１７１、モニタ画像切換スイッチ（図示せず）、選択画像表示スイッチ１７３、サイズ選択スイッチ１７４及び焼付変更スイッチ１７５が設けられている。
【０１１３】
そして、システムコントローラ１４０（図１４）は、画像種類変更スイッチ１７１が操作されると、その操作に応じて焼付選択パネル１０７から与えられる操作命令に基づいて画像データ処理部１６１（図１４）を制御することにより、ＡＰＳネガフィルム１Ａの写真画像（ポジ画像又はネガ画像）から白黒でなる写真画像データ又はカラーでなる写真画像データのいずれか一方を生成させる。
【０１１４】
また、システムコントローラ１４０は、モニタ画像切換スイッチが操作されると、その操作に応じて焼付選択パネル１０７から与えられる操作命令に基づいて画像データ処理部１６１を制御することにより、モニタ１０２（図１１）に写真画像又は選択画像のいずれか一方を表示させると共に、選択画像表示スイッチ１７３が操作されると、その操作に応じて焼付選択パネル１０７から与えられる操作命令に基づいて画像データ処理部１６１を制御することにより、モニタ１０２（図１１）に写真画像と共に選択画像を表示させる。
【０１１５】
さらに、システムコントローラ１４０は、サイズ選択スイッチ１７４が操作されると、その操作に応じて焼付選択パネル１０７から与えられる操作命令に基づいて画像データ処理部１６１を制御することにより、プリンタ１０３（図１１）に、例えば、サービス判、キャビネ判、四切判等のいずれかのプリントサイズのプリント写真を生成させると共に、このときサイズ選択スイッチ１７４によって選択されたプリントサイズの種類を焼付選択パネル１０７のサイズ表示部１７６に表示させる。
【０１１６】
さらに、システムコントローラ１４０は、焼付変更スイッチ１７５がフレーム番号の設定側に切り換えられると、焼付選択パネル１０７に設けられた入力パネル１７７を介して入力されるフレーム番号を当該焼付選択パネル１０７のフレーム番号表示部１７８に表示させると共に、当該入力されたフレーム番号に基づいて、フィルム駆動回路１４１を介してフィルム駆動モータ１４２を駆動制御することにより、ＡＰＳネガフィルム１Ａの各露出領域１１のうちの指定されたフレーム番号の露出領域１１をフィルムガイド１２４及び１２５の開口部に対して位置決めする。
【０１１７】
そして、システムコントローラ１４０は、焼付変更スイッチ１７５が焼付枚数の設定側に切り換えられると、入力パネル１７７を介して入力される焼付枚数を焼付選択パネル１０７の焼付枚数表示部１７９に表示させると共に、ユーザデータに代えて、当該入力された焼付枚数に基づいて画像データ処理部１６１を制御することにより、プリンタ１０３（図１１）に新たに指定された焼付枚数分のプリント写真を生成させる。
【０１１８】
これにより、システムコントローラ１４０は、ユーザデータに基づいて得られる焼付条件を容易に変更することができ、かくして、撮影時にユーザがユーザデータとして指定した条件以外でも、写真画像からプリント写真を生成させ得るようになされている。
【０１１９】
また、システムコントローラ１４０（図１４）は、ＡＰＳネガフィルム１Ａの写真画像から写真画像データを生成し、当該写真画像データに基づくプリント写真を生成させると、ユーザデータと、焼付選択パネル１０７及びリモートコントローラ１６２を介して与えられた各種情報（プリントサイズ、焼付枚数、アスペクト比等）に基づいてラボデータを生成し、これを磁気記録再生回路１８０に送出することにより、当該磁気記録再生回路１８０によりラボデータ用磁気ヘッド１３０を介してＡＰＳネガフィルム１Ａのラボ使用領域７にラボデータを磁気的に記録する。
【０１２０】
これにより、システムコントローラ１４０は、写真画像の焼付条件等の履歴をラボデータとしてＡＰＳネガフィルム１Ａのラボ使用領域７に保存することができる。
【０１２１】
従って、システムコントローラ１４０は、一度、写真画像の焼き付けに用いたＡＰＳネガフィルム１Ａを再び写真画像の焼き付けに用いる場合、磁気記録再生回路１８０によりラボデータ用磁気ヘッド１３０を介してＡＰＳネガフィルム１Ａのラボ使用領域７からラボデータを再生し、当該再生したラボデータに基づいて写真画像の焼付処理を実行することにより、過去の写真画像の焼き付けを再現してプリント写真を生成させることができる。
【０１２２】
因みに、システムコントローラ１４０は、ＡＰＳネガフィルム１Ａの写真画像に対して２回目以降の焼付処理を実行する際に、焼付条件を変更すると、当該変更した焼付条件に応じてラボデータを生成し直し、これによりＡＰＳネガフィルム１Ａのラボ使用領域７のラボデータを書き換えるようになされている。
【０１２３】
ここで、画像データ処理部１６１（図１４）は、写真画像の焼付処理時、システムコントローラ１４０の制御のもとに、図１８に示す以下の手順に従って焼付条件の変更処理を実行する。
【０１２４】
すなわち、画像データ処理部１６１は、ステップＳＰ１において、ユーザデータに基づいて、写真画像データに所定のデータ処理を施すことにより表示用写真画像データを生成すると、当該表示用写真画像データをモニタ１０２（図１１）に送出することにより、そのモニタ１０２に表示用写真画像データに基づいて、写真画像１８３と共に焼付タイプ１８４及びフレーム番号１８５等を表示させる。
【０１２５】
次いで、画像データ処理部１６１は、リモートコントローラ１６２（図１４）や、焼付選択パネル１０７（図１６）の操作に応じて、システムコントローラ１４０から選択画像表示命令が与えられると、ステップＳＰ２に進み、当該選択画像表示命令に基づいて生成した選択画像データを表示用写真画像データと合成してモニタ１０２に送出することにより、当該モニタ１０２に表示用写真画像データに基づく写真画像１８３に、選択画像データに基づき、例えば焼付条件の変更の実行を確認するための選択画像１８６を重ねて表示させる。
【０１２６】
そして、画像データ処理部１６１は、ステップＳＰ２において、例えば、リモートコントローラ１６２が操作されて、焼付条件の変更を中止する命令が入力されることによりシステムコントローラ１４０から選択画像表示中止命令が与えられると、選択画像１８６の表示を中止してステップＳＰ１に戻る。
【０１２７】
これに対して、画像データ処理部１６１は、ステップＳＰ２において、例えば、リモートコントローラ１６２が操作されて、焼付枚数の変更を実行する命令が入力されることによりシステムコントローラ１４０から選択画像表示更新命令が与えられると、ステップＳＰ３に進む。
【０１２８】
このステップＳＰ３において、画像データ処理部１６１は、リモートコントローラ１６２や、焼付選択パネル１０７の操作に応じて、システムコントローラ１４０から焼付条件の変更内容を示す選択画像表示命令が与えられると、当該選択画像表示命令に基づいて生成した選択画像データを表示用写真画像データと合成してモニタ１０２に送出することにより、当該モニタ１０２に表示用写真画像データに基づく写真画像１８３に、選択画像データに基づき、例えばプリントサイズ１８７及び焼付枚数１８８と、焼付条件の変更内容を確認するための確認部１８９とからなる選択画像１９０を重ねて表示させる。
【０１２９】
かくして、画像データ処理部１６１は、モニタ１０２に表示させた選択画像１９０を目視確認させながら、焼付条件を変更させ得るようになされている。
【０１３０】
実際上、画像データ処理部１６１は、図１９に示すように、電荷結合デバイス１６０から与えられる光電信号Ｓ１をマイクロプロセッサ１９５に取り込む。
【０１３１】
マイクロプロセッサ１９５は、システムコントローラ１４０の制御のもとに動作し、電荷結合デバイス１６０から与えられる光電信号Ｓ１を、内部に設けられたアナログディジタル変換回路（図示せず）によってアナログディジタル変換し、かくしてＲＧＢ（Red Green Blue）データを生成する。
【０１３２】
また、マイクロプロセッサ１９５は、メモリ１９６に予め格納されている補正データＤ１及び色変換データＤ２を読み出し、ＲＧＢデータに対して補正データＤ１に基づいて輝度補正処理を施し、かつ色変換データＤ２に基づいて色変換処理を施し、得られた補正変換処理データＤ３をイメージプロセッサ１９７に送出する。
【０１３３】
これに加えて、マイクロプロセッサ１９５は、システムコントローラ１４０からユーザデータＤ４、初期データＤ５及びフレーム番号データＤ６が与えられており、これらユーザデータＤ４、初期データＤ５及びフレーム番号データＤ６もイメージプロセッサ１９７に送出する。
【０１３４】
因みに、補正データＤ１は、電荷結合デバイス１６０及びアナログディジタル変換回路間等における変換偏差を補正するためのデータであり、色変換データＤ２は、ポジフィルムとネガフィルムとの間の変換のためのデータであると共に、焼付選択パネル１０７（図１６）の操作に応じた白黒画像とカラー画像とのいずれか一方を選択するためのデータでもある。
【０１３５】
イメージプロセッサ１９７は、マイクロプロセッサ１９５を介したシステムコントローラ１４０の制御のもとに動作し、当該マイクロプロセッサ１９５から補正変換処理データＤ３と共に、ユーザデータＤ４、初期データＤ５及びフレーム番号データＤ６が与えられると、初期データＤ５に含まれる、ＡＰＳネガフィルム１Ａのフィルムタイプを示す情報に基づいて、メモリ１９９からこれに予め格納された対応する感度補正データＤ７を読み出す。
【０１３６】
そして、イメージプロセッサ１９７は、その感度補正データＤ７に基づいて、補正変換処理データＤ３に対してフィルムタイプ毎に異なるフィルム感度偏差を補正するための感度補正処理を施し、これによりＡＰＳネガフィルム１Ａの写真画像に応じた写真画像データを生成する。
【０１３７】
これに加えて、イメージプロセッサ１９７は、写真画像データに対して、モニタ偏差を補正する偏差補正処理を施すと共に、ユーザデータＤ４に基づいて写真画像の画角を焼付タイプに応じて調節した後、モニタ１０２の表示面の画角に応じて写真画像のサイズを調節するためのサイズ調節処理を施し、さらに、ユーザデータＤ４に基づいて得られる各種情報をスーパーインポーズ処理し、これにより表示用写真画像データＤ８を生成する。
【０１３８】
そして、イメージプロセッサ１９７は、表示用写真画像データＤ８をマイクロプロセッサ１９５及びインタフェース２００を順次介してモニタ１０２（図１１）に送出する。
【０１３９】
因みに、イメージプロセッサ１９７は、必要に応じてシステムコントローラ１４０からマイクロプロセッサ１９５を介して選択画像表示命令が与えられており、当該選択画像表示命令に基づいて所定の選択画像データＤ９を生成し、当該選択画像データＤ９を表示用写真画像データＤ８と共に、マイクロプロセッサ１９５及びインタフェース２００を順次介してモニタ１０２に送出する。
【０１４０】
また、イメージプロセッサ１９７は、選択画像データＤ９の送出を終了すると、ＡＰＳネガフィルム１Ａ一本分の表示用写真画像データＤ８に基づいて、焼付条件確認用画像データＤ１０を生成し、これをマイクロプロセッサ１９５及びインタフェース２００を順次介してモニタ１０２に送出する。
【０１４１】
これにより、写真画像取込機１０１（図１１）においては、図２０（Ａ）〜（Ｃ）に示すように、モニタ１０２に表示用写真画像データＤ８に基づいて、所定の大きさの写真画像１８３又は拡大した写真画像２０１と共に焼付タイプ１８４、フレーム番号１８５及び所定のメッセージ２０２等を表示させる。
【０１４２】
また、写真画像取込機１０１においては、モニタ１０２に図１８のステップＳＰ３について上述した写真画像１８３及び選択画像１９０を表示した後、図２１に示すように、モニタ１０２に焼付条件確認用画像データＤ１０に基づいて、焼付条件確認画像２０３を表示させる。この焼付条件確認画像２０３は、ＡＰＳネガフィルム１Ａ一本分の写真画像１８３がサムネイル画像として表示され、各サムネイル画像の下側には、プリント写真のサイズ１８７及び焼付枚数１８８等が表示されている。
【０１４３】
一方、イメージプロセッサ１９７（図１９）は、写真画像データに対して、プリンタ偏差を補正する偏差補正処理を施すと共に、ユーザデータＤ４に基づいて写真画像の画角を焼付タイプに応じて調節した後、プリントサイズに応じて写真画像のサイズを調節するためのサイズ調節処理を施し、必要に応じてユーザデータＤ４に含まれる所定のメッセージ等を合成し、これにより焼付用写真画像データＤ１１を生成する。
【０１４４】
そして、イメージプロセッサ１９７は、その焼付用写真画像データＤ１１を、焼付枚数及びプリントサイズ等を示す焼付条件データＤ１２と共に、マイクロプロセッサ１９５及びインタフェース２００を順次介してプリンタ１０３（図１１）に送出する。
【０１４５】
これに加えて、イメージプロセッサ１９７は、焼付用写真画像データＤ１１とは別に、ＡＰＳネガフィルム１Ａ一本分の写真画像データに対して、プリンタ偏差を補正する偏差補正処理を施すと共に、ユーザデータＤ４に含まれる焼付タイプに基づいて所定の処理を施し、ユーザデータＤ４に含まれる所定のメッセージ等を合成し、これによりインデックス画像データＤ１３を生成する。
【０１４６】
そして、イメージプロセッサ１９７は、そのインデックス画像データＤ１３を、マイクロプロセッサ１９５及びインタフェース２００を順次介してプリンタ１０３に送出する。
【０１４７】
これにより、写真画像取込機１０１（図１１）においては、図２２（Ａ）〜（Ｃ）に示すように、プリンタ１０３により焼付用写真画像データＤ１１及び焼付条件データＤ１２に基づいて、指定されたプリントサイズの印画紙に、第１〜第３焼付けタイプＨ、Ｃ、Ｐのうちの指定された焼付タイプで写真画像を焼き付けるようにしてプリント写真２０５Ａ、２０５Ｂ、２０５Ｃを生成させることができると共に、当該プリント写真２０５Ａにユーザの指定したメッセージ２０６を印画することもできる。
【０１４８】
また、写真画像取込機１０１においては、図２３に示すように、プリンタ１０３によりインデックス画像データＤ１３に基づいて、ＡＰＳネガフィルム１Ａ一本分の写真画像２０７がサムネイル表示されたインデックスプリント２０８を生成させることもでき、かくして、ＡＰＳネガフィルム１Ａが収納されたフィルムカートリッジ１０（図３）と共に、複数のプリント写真２０５Ａ〜２０５Ｃ及びインデックスプリント２０８をユーザに受け渡すことができる。
【０１４９】
因みに、インデックスプリント２０８においては、各写真画像２０７が全て第１の焼付タイプＨの画角でサムネイル表示され、当該写真画像２０７内の右下にフレーム番号２０９と、焼付タイプを示す文字２１０とが表示されている。
【０１５０】
また、インデックスプリント２０８の例えば右下には、フィルムＩＤがバーコード２１１として表示され、当該インデックスプリント２０８をＡＰＳネガフィルム１Ａと対応させ得るようになされている。
【０１５１】
さらに、第１の焼付タイプＨとは異なる第２又は第３の焼付タイプＣ又はＰ（図５）に指定されている写真画像２０７Ａ、２０７Ｂには、それぞれ指定されている焼付タイプの画角を示すライン２１２が表示されている。
【０１５２】
これにより、インデックスプリント２０８においては、ユーザの指定した第２又は第３の焼付タイプＣ又はＰの画角を示すライン２１２により、第１の焼付タイプＨの画角を有する写真画像２０７の構図がどのように変わるかを容易に目視確認させることができる。
【０１５３】
ところで、イメージプロセッサ１９７（図１９）は、写真画像データに対して、パーソナルコンピュータ（図示せず）で取り扱うことのできる所定のデータ処理を施した後、そのデータフォーマットをビットマップ（Bitmap）、ＴＩＦＦ（Tag Image File Forma）、ＧＩＦ（Graphics Interchange Format ）、ＪＰＥＧ（Joint Photographic coding Experts Group ）等の所定のデータフォーマットに変換し、これにより変換写真画像データを生成する。
【０１５４】
また、イメージプロセッサ１９７は、システムコントローラ１４０からマイクロプロセッサ１９５を介してラボデータＤ１４が与えられており、そのラボデータＤ１４と、ユーザデータＤ４及びフレーム番号データＤ６に基づいて、変換写真画像データに固有のフレーム番号や写真画像の焼付条件等からなる写真画像ヘッダデータを生成し、当該生成した写真画像ヘッダデータを変換写真画像データの先頭に付加する。
【０１５５】
さらに、イメージプロセッサ１９７は、パーソナルコンピュータからシステムコントローラ１４０及びマイクロプロセッサ１９５を順次介して所定の送信用データが与えられており、その送信用データと、初期データＤ５とに基づいてフィルムヘッダデータを生成し、これをＡＰＳネガフィルム１Ａ一本分の変換写真画像データの先頭に付加することによりフィルムデータＤ１５を生成し、当該生成したフィルムデータＤ１５をマイクロプロセッサ１９５及びインタフェース２００を順次介してパーソナルコンピュータ（図示せず）に送出する。
【０１５６】
これにより、写真画像焼付装置１００（図１１）が設置された写真店においては、当該写真画像焼付装置１００に接続されたパーソナルコンピュータにより、フィルムデータＤ１５に対して各種加工処理を施すことにより写真画像を加工し、又は、当該フィルムデータＤ１５をインターネット等を介して所望する遠隔地に送信し得るようになされている。
【０１５７】
因みに、フィルムデータＤ１５と同様にパーソナルコンピュータを介して、ディジタルカメラ（電子カメラ）により被写体を撮影して得られた画像データを送信することもできるが、両データは露光特性がフィルムとＣＣＤ（Charge Coupled Device ）イメージャとで異なった特性となっているため、両データにおいて高精細で高い色再現性を得るには補正量を各々適正としなければならない。
【０１５８】
（３）写真画像商取引システムの原理
ここで、図１１について上述した写真画像焼付装置１００を用いて、写真画像による電子商取引を実現する写真画像商取引システムについて説明する。
【０１５９】
図２４に示すように、写真画像商取引システム２２０においては、国内外の受付業者が所有する写真店（以下、これを受付写真店と呼ぶ）２２１と、引渡業者が所有する写真店（以下、これを引渡写真店と呼ぶ）２２２とが受付店側及び引渡店側サービスプロパイダ２２３及び２２４並びにインターネット２２５によって構築されるネットワークを介して接続されると共に、当該インターネット２２５に課金業者の所有する金融機関２２６が接続されて構成されている。
【０１６０】
また、受付写真店２２１及び引渡写真店２２２においては、それぞれ図１１について上述した写真画像取込機１０１、モニタ１０２及びプリンタ１０３が一体化されてなる写真画像焼付装置１００Ａ及び１００Ｂと、これに接続されたパーソナルコンピュータ２２７及び２２８とが設けられ、当該写真画像焼付装置１００Ａ及び１００Ｂにより写真画像の焼付処理を実行すると共に、パーソナルコンピュータ２２７及び２２８によりデータの加工処理及び送受信処理を実行し得るようになされている。
【０１６１】
実際に受付写真店２２１においては、写真画像の焼付を依頼するユーザ（以下、これを焼付依頼ユーザと呼ぶ）により、露出済のＡＰＳフィルムが収納されたフィルムカートリッジ１０が持ち込まれ、当該ＡＰＳフィルムに露出形成されている写真画像の焼き付けが依頼されると、ＡＰＳフィルムを現像処理し、ＡＰＳネガフィルムを生成する。
【０１６２】
また、受付写真店２２１においては、写真画像焼付装置（以下、これを受付店写真画像焼付装置と呼ぶ）１００Ａにより、そのＡＰＳネガフィルムを用いて図１２〜図２１について上述した焼付処理を実行し、かくしてＡＰＳネガフィルムの写真画像から、図２２及び２３について上述したプリント写真及びインデックスプリントを生成する。
【０１６３】
そして、受付写真店２２１においては、写真画像の焼付依頼時、プリント写真の受渡日時を指定しており、当該プリント写真の受渡日時以降に焼付依頼ユーザが再び来店すると、ＡＰＳフィルムの現像代金及びプリント写真のプリント代金と引き換えに、ＡＰＳネガフィルムを収納したフィルムカートリッジ１０と、対応する複数のプリント写真及びインデックスプリントとを焼付依頼ユーザに引き渡す。
【０１６４】
ところで、受付店写真画像焼付装置１００Ａは、写真画像の焼付処理時、ＡＰＳネガフィルムの写真画像から写真画像データを生成すると、当該生成した写真画像データからフィルムデータＤ１５を生成し、これをパーソナルコンピュータ（以下、これを受付店パーソナルコンピュータと呼ぶ）２２７に送出する。
【０１６５】
受付店パーソナルコンピュータ２２７は、受付店写真画像焼付装置１００ＡからフィルムデータＤ１５が与えられると、当該フィルムデータＤ１５を受付店サーバ２２９に格納すると共に、そのフィルムデータＤ１５に基づいて、プリント写真とほぼ同等な構図及び画質の写真画像をサムネイル表示するインデックス画像のインデックスデータＤ１６を生成し、当該生成したインデックスデータＤ１６も受付店サーバ２２９に格納する。
【０１６６】
そして、受付写真店２２１においては、写真画像の焼付処理が終了したときや、指定した受渡日時を大幅に過ぎても焼付依頼ユーザがプリント写真を受け取りに来店しないときには、受付店パーソナルコンピュータ２２７により、受付店サーバ２２９から対応するインデックスデータＤ１６を読み出すと共に、当該読み出したインデックスデータＤ１６を用いて、写真画像の焼付処理の終了を示す電子メール用の通知データＥＭ１を生成し、これを公衆回線網（図示せず）を介して、焼付依頼ユーザの所有するパーソナルコンピュータ２３０に送信する。
【０１６７】
これにより、受付写真店２２１においては、焼付依頼ユーザにパーソナルコンピュータ２３０のモニタの画面を通じて写真画像の焼付処理が終了したことを通知すると共に、当該モニタにインデックス画像を表示させ、写真画像の焼付状態（すなわち、プリント写真の仕上がり状態）を目視確認させ得るようになされている。
【０１６８】
これに加えて、受付写真店２２１においては、プリント写真の送付を希望するユーザ（以下、これを送付依頼ユーザと呼ぶ）によりプリント写真の送付が依頼されると、当該送付依頼ユーザの持ち込んだＡＰＳネガフィルム（又はＡＰＳフィルム）から受付店写真画像焼付装置１００Ａを用いてフィルムデータＤ１５を生成し、これを受付店パーソナルコンピュータ２２７により受付店側サービスプロバイダ２２３、インターネット２２５及び引渡店側サービスプロバイダ２２４を順次介して、プリント写真の送付相手でなるユーザ（以下、これを写真受取ユーザと呼ぶ）の最寄りの引渡写真店２２２に送信する。
【０１６９】
因みに、受付写真店２２１においては、プリント写真の送付依頼に応じて送信すべきフィルムデータＤ１５をすでに生成して受付店サーバ２２９に格納しているときには、受付店パーソナルコンピュータ２２７により受付店サーバ２２９から対応するフィルムデータＤ１５を読み出し、当該読み出したフィルムデータＤ１５を受付店側サービスプロバイダ２２３、インターネット２２５及び引渡店側サービスプロバイダ２２４を順次介して引渡写真店２２２に送信する。
【０１７０】
引渡写真店２２２においては、受付写真店２２１から送信されたフィルムデータＤ１５をパーソナルコンピュータ（以下、これを引渡店パーソナルコンピュータと呼ぶ）２２８によって受信し、当該受信したフィルムデータＤ１５を引渡店サーバ２３１に一旦格納すると共に、そのフィルムデータＤ１５に基づいてインデックスデータＤ１６を生成し、これも引渡店サーバ２３１に格納する。
【０１７１】
そして、引渡写真店２２２においては、引渡店パーソナルコンピュータ２２８により、引渡店サーバ２３１からインデックスデータＤ１６を読み出すと共に、当該読み出したインデックスデータＤ１６を用いて、プリント写真の送付を示す電子メール用の通知データＥＭ２を生成し、これを公衆回線網（図示せず）を介して、写真受取ユーザの所有するパーソナルコンピュータ２３２に送信する。
【０１７２】
これにより、引渡写真店２２２においては、写真受取ユーザにパーソナルコンピュータ２３２のモニタの画面を通じて当該写真受取ユーザ宛にプリント写真が送付されたことを通知すると共に、そのモニタにインデックス画像を表示させ、かくして、どのようなプリント写真が送付されたかを知らせるようになされている。
【０１７３】
そして、引渡写真店２２２においては、引渡店パーソナルコンピュータ２２８により引渡店サーバ２３１からフィルムデータＤ１５を読み出して写真画像焼付装置（以下、これを引渡店写真画像焼付装置と呼ぶ）１００Ｂに送出する。
【０１７４】
引渡店写真画像焼付装置１００Ｂは、フィルムデータＤ１５の変換写真画像データ及び対応する写真画像ヘッダデータに基づいて、焼付用写真画像データ及びインデックス画像データを生成することにより、当該換写真画像データに基づく写真画像を、写真画像ヘッダデータに基づいて、受付写真店２２１及び又は送付依頼ユーザに指定された焼付条件を忠実に再現して印画紙に焼き付けたプリント写真及びインデックスプリントを生成し得るようになされている。
【０１７５】
これにより、引渡写真店２２２においては、そのプリント写真及びインデックスプリントを写真受取ユーザが来店したときに引き渡し、又は、郵送により写真受取ユーザに引き渡す。
【０１７６】
かくして、写真画像商取引システム２２０においては、送付依頼ユーザに代わって当該送付依頼ユーザの遠方の知人（写真受取ユーザ）にプリント写真及びインデックスプリントを容易に送付することができる。
【０１７７】
一方、受付写真店２２１においては、写真画像の販売を希望するユーザ（以下、これを販売依頼ユーザと呼ぶ）により写真画像の販売が依頼されると、当該販売依頼ユーザの持ち込んだＡＰＳネガフィルム（又はＡＰＳフィルム）から受付店写真画像焼付装置１００Ａを用いてフィルムデータＤ１５を生成すると共に、当該フィルムデータＤ１５からインデックスデータＤ１６を生成し、これを受付店パーソナルコンピュータ２２７を介して受付店サーバ２２９に格納するようにして、当該インデックスデータＤ１６に基づいて販売対象の写真画像をインターネット２２５上で公開する。
【０１７８】
因みに、受付写真店２２１においては、販売依頼ユーザの販売依頼に応じて写真画像の公開に用いるインデックスデータＤ１６をすでに生成して受付店サーバ２２９に格納しているときには、受付店パーソナルコンピュータ２２７により受付店サーバ２２９から対応するインデックスデータＤ１６を読み出して販売対象の写真画像をインターネット２２５上で公開する。
【０１７９】
すなわち、受付店パーソナルコンピュータ２２７は、写真画像の購入を希望するユーザ（以下、これを購入希望ユーザと呼ぶ）のパーソナルコンピュータ２３２から引渡店側サービスプロバイダ２２４、インターネット２２５及び受付店側サービスプロバイダ２２３を順次介してインデックスデータＤ１６の読出要求が与えられると、当該読出要求に応じて受付店サーバ２２９から対応するインデックスデータＤ１６を読み出し、これを受付店側サービスプロバイダ２２３、インターネット２２５及び引渡店側サービスプロバイダ２２４を順次介して購入希望ユーザのパーソナルコンピュータ２３２に送信する。
【０１８０】
これにより、購入希望ユーザのパーソナルコンピュータ２３２は、受信したインデックスデータＤ１６に基づくインデックス画像をモニタに表示させ、かくしてサムネイル表示されている販売対象の写真画像から所望する写真画像を選択指定させることができる。
【０１８１】
そして、購入希望ユーザのパーソナルコンピュータ２３２は、モニタに表示させたインデックス画像に基づいて当該購入希望ユーザの所望する写真画像が購入用に選択指定されると、当該選択指定された写真画像を特定する電子メール用の通知データＥＭ３を生成し、これを公衆回線網を介して引渡写真店２２２の引渡店パーソナルコンピュータ２２８に送信し、かくして、引渡写真店２２２にプリント写真の購入依頼を通知する。
【０１８２】
引渡写真店２２２においては、写真画像の購入依頼を請けると、引渡店パーソナルコンピュータ２２８により、引渡店側サービスプロバイダ２２４、インターネット２２５及び受付店側サービスプロバイダ２２３を順次介して、受付写真店２２１の受付店パーソナルコンピュータ２２７から対応するフィルムデータＤ１５を読み出し、これを引渡店写真画像焼付装置１００Ｂに送出することにより、当該引渡店写真画像焼付装置１００ＢによりフィルムデータＤ１５に基づいて、購入希望ユーザの所望する写真画像のプリント写真を生成する。
【０１８３】
これにより、引渡写真店２２２においては、購入希望ユーザにより購入の希望された写真画像をプリント写真にして、当該購入希望ユーザが来店したときに引き渡し、又は郵送により引き渡すようにする。因みに、引渡写真店２２２においては、このときプリント写真に加えてインデックスプリントも生成し、これも購入希望ユーザに引き渡すこともできる。
【０１８４】
かくして、写真画像商取引システム２２０においては、例えば、写真家等の販売依頼ユーザによって撮影された写真画像を遠方の顧客（購入希望ユーザ）に容易に販売することができる。
【０１８５】
かかる構成に加えて、この写真画像商取引システム２２０の場合、受付写真店２２１においては、フィルムデータＤ１５の送信時、受付店パーソナルコンピュータ２２７により、送付依頼ユーザ、販売依頼ユーザ、購入希望ユーザの所有するクレジットカードの登録番号等と、受付写真店２２１の取引銀行の口座番号と、プリント写真の送付形態や販売形態に応じた送付手数料等の各種情報からなる課金情報を生成し、これをフィルムデータＤ１５に付加して送信している。
【０１８６】
そして、例えば、受付店側サービスプロバイダ２２３は、フィルムデータＤ１５が送信されたとき、当該フィルムデータＤ１５から課金情報を取り出し、これを課金データＤ２０としてインターネット２２５を介して金融機関２２６に送信する。
【０１８７】
これにより、金融機関２２６は、受付店側サービスプロバイダ２２３から与えられた課金データＤ２０に基づいてプリント写真の送付又は写真画像の販売に対する課金処理を実行し、かくして、その課金処理の結果に基づき、送付依頼ユーザ、販売依頼ユーザ、購入希望ユーザ、受付写真店２２１、引渡写真店２２２、受付店側サービスプロバイダ２２３及び引渡店側サービスプロバイダ２２４等の各口座間でそれぞれ対応する金銭を電子的に移動させることにより、プリント写真の送付又は写真画像の販売に対して決済処理し、かくして、プリント写真の送付及び写真画像の販売に対する電子商取引を成立させる。
【０１８８】
因みに、写真画像商取引システム２２０においては、プリント写真の送付依頼時、例えば、送付依頼ユーザの口座から、受付写真店２２１の口座にプリント写真及びインデックスプリントの送付手数料が支払われると共に、引渡写真店２２２の口座にプリント写真のプリント代金が支払われ、また、受付店側及び引渡店側サービスプロバイダ２２３及び２２４の口座にその使用手数料が支払われる。
【０１８９】
また、写真画像商取引システム２２０においては、写真画像の販売依頼時、例えば、購入希望ユーザの口座から、引渡写真店２２２の口座にプリント写真のプリント代金が支払われると共に、販売依頼ユーザの口座にプリント写真の購入代金が支払われ、当該購入代金の一部が販売依頼ユーザの口座から、受付写真店２２１の口座にプリント写真及びインデックスプリントの送付手数料として支払われると共に、受付店側及び引渡店側サービスプロバイダ２２３及び２２４の口座にそれぞれその使用手数料として支払われる。
【０１９０】
なお、送付依頼ユーザ及び販売依頼ユーザのパーソナルコンピュータ２３０は、受付写真店２２１の受付店パーソナルコンピュータ２２７から受付店側サービスプロパイダ２２３を介してインデックスデータＤ１６を取り込み、当該パーソナルコンピュータ２３０のモニタにインデックスデータＤ１６に基づくインデックス画像を表示させ、これにより送付されるプリント写真及び販売される写真画像をモニタ上で目視確認させ得るようになされている。
【０１９１】
また、引渡写真店２２２においては、引渡店パーソナルコンピュータ２２８により定期的に受付店パーソナルコンピュータ２２７からインデックスデータＤ１６を読み出し、当該読み出したインデックスデータＤ１６を購入希望ユーザのパーソナルコンピュータ２３２に送出することにより、当該パーソナルコンピュータ２３２のモニタ上で購入希望ユーザに販売対象の各種写真画像を紹介し得るようになされている。
【０１９２】
さらに、引渡写真店２２２においては、引渡店パーソナルコンピュータ２２８により受付店パーソナルコンピュータ２２７から各種インデックスデータＤ１６を読み出して引渡店サーバ２３１に格納し、当該引渡店パーソナルコンピュータ２２８により引渡店サーバ２３１から定期的にインデックスデータＤ１６を読み出して購入希望ユーザのパーソナルコンピュータ２３２に提供することにより、購入希望ユーザに販売対象の各種写真画像を紹介し得るようにもなされている。
【０１９３】
（４）第１の実施の形態
図２５において、２５０は全体として第１の実施の形態による写真画像商取引システムを示し、受付写真店２５１及び引渡写真店２５２が、受付店側及び引渡店側サービスプロバイダ２５３及び２５４並びにインターネット２５５からなるネットワークを介して接続されると共に、当該インターネット２５５に金融機関２５６が接続されて構成されている。
【０１９４】
また、受付写真店２５１には、受付店写真画像焼付装置１００Ａと、受付店パーソナルコンピュータ２５７と、受付店サーバ２５８とが設けられている。また、引渡写真店２５２には、引渡店写真画像焼付装置１００Ｂと、引渡店パーソナルコンピュータ２６０と、引渡店サーバ２６１とが設けられている。
【０１９５】
そして、受付写真店２５１においては、プリント写真の送付依頼時、図２４について上述した写真画像商取引システム２２０の受付写真店２２１と同様に受付店パーソナルコンピュータ２５７により、変換写真画像データ及び焼付条件を有する写真画像ヘッダデータ並びにフィルムヘッダデータからなるフィルムデータＤ１５を送信し得るようになされている。
【０１９６】
また、受付写真店２５１においては、プリント写真の送付依頼時、ＡＰＳネガフィルム１Ａの各写真画像のうち、送付対象の写真画像と、非送付対象の写真画像とが指定されると、受付店パーソナルコンピュータ２５７により、受付店写真画像焼付装置１００Ａから与えられたフィルムデータＤ１５に、非送付対象の写真画像を不明瞭（ぼやけた印象等）な状態（以下、これをスクランブル状態と呼ぶ）にする不明瞭処理（以下、これをスクランブル処理と呼ぶ）や、非送付対象の写真画像をその全面に渡って白色等にして不可視の状態（以下、これをマスキング状態と呼び、かかるマスキング状態としては、他に送付対象の写真画像を他の画像に置換したり、送付対象の写真画像上に他の画像を重ねて上面の画像を表示することでも実現できる）にする不可視処理（以下、これをマスキング処理と呼ぶ）を施すことにより送付用フィルムデータＤ３０を生成する。なお、スクランブル処理に替えて暗号化処理することもできる。
【０１９７】
そして、受付店パーソナルコンピュータ２５７は、その送付用フィルムデータＤ３０を受付店サーバ２５８に格納すると共に、当該送付用フィルムデータＤ３０を受付店側サービスプロバイダ２５３、インターネット２５５及び引渡店側サービスプロバイダ２５４を順次介して引渡店パーソナルコンピュータ２６０に送信する。
【０１９８】
引渡店パーソナルコンピュータ２６０は、受付店パーソナルコンピュータ２５７から送付用フィルムデータＤ３０が与えられると、当該送付用フィルムデータＤ３０を引渡店サーバ２６１に格納すると共に、引渡店写真画像焼付装置１００Ｂに送出する。
【０１９９】
これにより、引渡店写真画像焼付装置１００Ｂは、送付用フィルムデータＤ３０の各変換写真画像データに基づく写真画像を、当該送付用フィルムデータＤ３０の写真画像ヘッダデータに基づいて、受付店側で指定された焼付条件を忠実に再現するように印画紙に焼き付けてプリント写真及びインデックスプリントを生成する。
【０２００】
かくして、引渡写真店２５２においては、ＡＰＳネガフィルム１Ａの各写真画像のうち、送付依頼ユーザの指定した送付対象の写真画像のみを可視状態にし、かつ残りの非送付対象の写真画像をスクランブル状態又はマスキング状態にしたインデックスプリントと、当該送付対象の写真画像が印画されたプリント写真を写真受取ユーザに引き渡す。
【０２０１】
ところで、受付写真店２５１においては、プリント写真の送付時、引渡写真店２５２から、当該引渡写真店２５２の取引口座の口座番号、写真画像のプリント代金等からなる引渡店側決済情報が与えられており、これに、送付依頼ユーザの所有するクレジットカードの登録番号、受付写真店２５１の取引口座の口座番号、受付店側及び引渡店側サービスプロバイダ２５３及び２５４の取引口座の口座番号、プリント写真の送付枚数及び送付形態に応じた送付手数料等からなる受付店側決済情報を付加して課金情報を生成し、これを送付用フィルムデータＤ３０に格納して受付店側サービスプロバイダ２５３に送信している。
【０２０２】
そして、受付店側サービスプロバイダ２５３は、受付写真店２５１から送付用フィルムデータＤ３０が送信されると、当該送付用フィルムデータＤ３０から課金情報を取り出し、これを課金データＤ３３としてインターネット２５５を介して金融機関２５６に送信する。
【０２０３】
これにより、金融機関２５６は、受付店側サービスプロバイダ２５３から与えられる課金データＤ３３に基づいて課金処理し、得られた課金処理結果に基づいてプリント写真の送付に対する電子的な決済処理を実行し、かくして、プリント写真の送付に対する電子商取引を成立させる。
【０２０４】
実際上、図２６に示すように、受付店写真画像焼付装置１００Ａにおいては、図１４について上述したランプ１２２から電荷結合デバイス１６０までの光学系と、その駆動制御系とでなる写真画像取込部２６５によりＡＰＳネガフィルム１Ａの写真画像をフレーム番号の順番で光学的に取り込み、得られた光電信号Ｓ１を画像データ処理部１６１Ａに送出する。
【０２０５】
このとき、システムコントローラ１４０Ａは、磁気再生回路１４６Ａ及びユーザデータ用磁気ヘッド１２８Ａを介してＡＰＳネガフィルム１Ａのユーザ（カメラ）使用領域６（図２）からユーザデータＤ４を再生し、当該再生したユーザデータＤ４を画像データ処理部１６１Ａに送出すると共に、ＡＰＳネガフィルム１Ａのユーザ（カメラ）使用領域６及びラボ使用領域７（図２）から再生したフレーム番号データＤ６及び初期データＤ５も画像データ処理部１６１Ａに送出する。
【０２０６】
また、システムコントローラ１４０Ａは、送付依頼ユーザ又は受付写真店２５１の焼付作業者によって設定された焼付条件と、ユーザデータＤ４とに基づいてラボデータＤ１４を生成し、当該生成したラボデータＤ１４も画像データ処理部１６１Ａに送出する。
【０２０７】
因みに、システムコントローラ１４０Ａは、このとき、ラボデータＤ１４を磁気記録再生回路１８０Ａを介してラボデータ用磁気ヘッド１３０Ａに送出することにより当該ラボデータ用磁気ヘッド１３０Ａを介してＡＰＳネガフィルム１Ａのラボ使用領域７に記録し、かくして、ＡＰＳネガフィルム１Ａに焼付条件等の履歴をラボデータＤ１４として残すことができる。
【０２０８】
また、システムコントローラ１４０Ａは、ＡＰＳネガフィルム１Ａがプリント写真の焼き増しのために用いられたとき、そのラボ使用領域７にはすでにラボデータＤ１４が記録されていることにより、当該ラボデータＤ１４を磁気記録再生回路１８０Ａ及びラボデータ用磁気ヘッド１３０Ａを順次介して再生し、これを画像データ処理部１６１Ａに送出する。
【０２０９】
これに加えて、システムコントローラ１４０Ａは、リモートコントローラ１６２（図１４）等を介して、ＡＰＳネガフィルム１Ａの各写真画像のうち、送付対象の写真画像と、非送付対象の写真画像とが選択され、かつ、当該非送付対象の写真画像に対してスクランブル処理及びマスキング処理のいずれの処理を施すかが指定された選択指定データＤ３４が入力されており、当該入力された選択指定データＤ３４を画像データ処理部１６１Ａに送出する。
【０２１０】
また、システムコントローラ１４０Ａは、受付店パーソナルコンピュータ２５７の所定の回路（図示せず）から受付写真店ＩＤや、受付店側サービスプロバイダＩＤ等の各種情報を含む送信用データＤ３５が与えられており、当該送信用データＤ３５も画像データ処理部１６１Ａに送出する。
【０２１１】
これにより、画像データ処理部１６１Ａは、写真画像取込部２６５から与えられる光電信号Ｓ１に基づいて、ＡＰＳネガフィルム１Ａに露出形成されている写真画像の変換写真画像データを生成すると共に、当該変換写真画像データに対応するユーザデータＤ４、フレーム番号データＤ６、ラボデータＤ１４及び選択指定データＤ３４に基づいて焼付条件等の各種情報を含む写真画像ヘッダデータを生成し、当該生成した写真画像ヘッダデータを対応する変換写真画像データに付加する。
【０２１２】
また、画像データ処理部１６１Ａは、このようにＡＰＳネガフィルム１Ａの全ての写真画像に応じた変換写真画像データ及び写真画像ヘッダデータを生成すると、初期データＤ５及び送信用データＤ３５に基づいて、課金情報等を含むフィルムヘッダデータを生成する共に、当該生成したフィルムヘッダデータを、各変換写真画像データ及び写真画像ヘッダデータからなるデータ列の先頭に付加し、得られたフィルムデータＤ１５を受付店パーソナルコンピュータ２５７のスクランブル／マスキング処理部２６６に送出する。
【０２１３】
因みに、画像データ処理部１６１Ａは、フィルムヘッダデータ及び又は写真画像ヘッダデータをシステムコントローラ１４０Ａに送出し、当該システムコントローラ１４０Ａにより、そのフィルムヘッダデータ及び又は写真画像ヘッダデータを磁気記録再生回路１８０Ａ及びラボデータ用磁気ヘッド１３０Ａを順次介してＡＰＳネガフィルム１Ａのラボ使用領域７に記録させることもでき、かくして、ＡＰＳネガフィルム１ＡにフィルムデータＤ１５の送信の履歴を残すことができる。
【０２１４】
ここで、受付店パーソナルコンピュータ２５７においては、受付店写真画像焼付装置１００Ａのシステムコントローラ１４０Ａから与えられる選択指定データＤ３４を制御データ生成部２６７によって取り込んでいる。
【０２１５】
制御データ生成部２６７は、その選択指定データＤ３４に基づいて、非送付対象の写真画像にスクランブル処理を施すように指定されているときには、鍵データ発生部２６８から所定の鍵データＤ３６を読み出し、当該読み出した鍵データＤ３６に基づいて、スクランブル処理用の所定のスクランブル制御データＤ３７を生成し、これをスクランブル／マスキング処理部２６６に送出する。
【０２１６】
また、制御データ生成部２６７は、選択指定データＤ３４に基づいて、非送付対象の写真画像にマスキング処理を施すように指定されているときには、予め保持しているマスキング処理用の所定のマスキング制御データＤ３８をスクランブル／マスキング処理部２６６に送出する。
【０２１７】
これにより、スクランブル／マスキング処理部２６６は、受付店写真画像焼付装置１００Ａの画像データ処理部１６１Ａから与えられるフィルムデータＤ１５の各変換写真画像データのうち、非送付対象の写真画像の変換写真画像データにのみ、制御データ生成部２６７から与えられる対応するスクランブル制御データＤ３７又はマスキング制御データＤ３８に基づいてスクランブル処理又はマスキング処理を施す。
【０２１８】
また、スクランブル／マスキング処理部２６６は、全ての写真画像ヘッダデータに対応する変換写真画像データに対してスクランブル処理又はマスキング処理を施したか否かを示す情報を格納し、かくして、スクランブル処理又はマスキング処理を施した変換写真画像データと、送付対象の写真画像の変換写真画像データとからなる送付用フィルムデータＤ３０を鍵データ挿入部２６９を介して受付店サーバ２５８に格納する。
【０２１９】
そして、受付店サーバ２５８は、受付店パーソナルコンピュータ２５７の制御のもとに、送付用フィルムデータＤ３０を読み出し、これを受付店側サービスプロバイダ２５３に送出する。
【０２２０】
かくして、受付店側サービスプロバイダ２５３は、受付店サーバ２５８から与えられた送付用フィルムデータＤ３０を、インターネット２５５を構築する送信機２７０、通信衛星２７１及び受信機２７２を順次介して引渡店側サービスプロバイダ２５４に送信する。
【０２２１】
引渡店側サービスプロバイダ２５４は、受信した送付用フィルムデータＤ３０を引渡写真店２５２（図２５）の引渡店サーバ２６１に送出する。引渡店サーバ２６１は、引渡店パーソナルコンピュータ２６０の制御のもとに、引渡店側サービスプロバイダ２５４から与えられる送付用フィルムデータＤ３０を格納すると共に、当該格納した送付用フィルムデータＤ３０を読み出して引渡店パーソナルコンピュータ２６０に送出する。
【０２２２】
引渡店パーソナルコンピュータ２６０は、このとき、引渡店サーバ２６１から読み出した送付用フィルムデータＤ３０を鍵データ抽出部２７３及びデスクランブル処理部２７４を順次介して引渡店写真画像焼付装置１００Ｂの画像データ処理部１６１Ｂに送出する。
【０２２３】
これにより、画像データ処理部１６１Ｂは、システムコントローラ１４０Ｂの制御のもとに、送付用フィルムデータＤ３０に基づいて、受付店側で指定された焼付状態を忠実に反映させた各写真画像の焼付写真画像データＤ３９、焼付条件データＤ４０及びインデックス画像データＤ４１を生成し、これをプリンタ１０３Ｂに送出する。
【０２２４】
かくして、プリンタ１０３Ｂは、送付対象の写真画像が印画されたプリント写真を生成すると共に、図２７に示すように、可視状態の送付対象の写真画像２７５と、非送付対象でスクランブル状態の写真画像２７６及び又は非送付対象でマスキング状態の写真画像２７７とをインデックス表示させたインデックスプリント２７８を生成する。
【０２２５】
かかる構成に加えて、この写真画像商取引システム２５０の場合、受付店写真画像焼付装置１００Ａのシステムコントローラ１４０Ａは、フィルムデータＤ１５の生成時、リモートコントローラ１６２等を介して選択指定データＤ３４と共に、送付対象の写真画像に対してもスクランブル処理を施して送信するように指定されたスクランブル送信データＤ４２が入力されると、選択指定データＤ３４及びスクランブル送信データＤ４２を画像データ処理部１６１Ａと、受付店パーソナルコンピュータ２５７の制御データ生成部２６７とに送出する。
【０２２６】
画像データ処理部１６１Ａは、写真画像取込部２６５から与えられる光電信号Ｓ１に基づいて変換写真画像データを生成すると、当該変換写真画像データに対応するユーザデータＤ４、フレーム番号データＤ６、ラボデータＤ１４、選択指定データＤ３４及びスクランブル送信データＤ４２に基づいて写真画像ヘッダデータを生成し、当該写真画像ヘッダデータを対応する変換写真画像データに付加する。
【０２２７】
また、画像データ処理部１６１Ａは、このようにＡＰＳネガフィルム１Ａの全ての写真画像に応じた変換写真画像データ及び写真画像ヘッダデータを生成すると、各変換写真画像データ及び写真画像ヘッダデータからなるデータ列の先頭にフィルムヘッダデータを付加し、得られたフィルムデータＤ１５を受付店パーソナルコンピュータ２５７のスクランブル／マスキング処理部２６６に送出する。
【０２２８】
因みに、システムコントローラ１４０Ａは、このとき、受付店パーソナルコンピュータ２５７の鍵データ発生部２６８から送付対象の写真画像にスクランブル処理を施すために用いる鍵データＤ４３を読み出す。
【０２２９】
そして、システムコントローラ１４０Ａは、その鍵データＤ４３を送付対象の写真画像のフレーム番号に対応付け、ラボデータＤ１４と共に磁気記録再生回路１８０Ａを介してラボデータ用磁気ヘッド１３０Ａに送出してＡＰＳネガフィルム１Ａのラボ使用領域７に記録する。これにより、システムコントローラ１４０Ａは、送付対象の写真画像の送信に用いる鍵データＤ４３を当該送付対象の写真画像の送信履歴に加えて、ＡＰＳネガフィルム１Ａのラボ使用領域７に残すことができる。
【０２３０】
一方、受付店パーソナルコンピュータ２５７の制御データ生成部２６７は、受付店写真画像焼付装置１００Ａのシステムコントローラ１４０Ａから与えられる選択指定データＤ３４に基づいて上述と同様にスクランブル制御データＤ３７又はマスキング制御データＤ３８を生成してスクランブル／マスキング処理部２６６に送出する。
【０２３１】
また、制御データ生成部２６７は、システムコントローラ１４０Ａから与えられるスクランブル送信データＤ４２に基づいて鍵データ発生部２６８から鍵データＤ４３を読み出し、当該読み出した鍵データＤ４３に基づいて送付対象の写真画像に対するスクランブル制御データＤ４４を生成し、これをスクランブル／マスキング処理部２６６に送出すると共に、その鍵データＤ４３を鍵データ発生部２６８から鍵データ挿入部２６９に供給させる。
【０２３２】
これにより、スクランブル／マスキング処理部２６６は、画像データ処理部１６１Ａから与えられるフィルムデータＤ１５の各変換写真画像データのうち、非送付対象の写真画像の変換写真画像データに対して、対応するスクランブル制御データＤ３７又はマスキング制御データＤ３８に基づいてスクランブル処理又はマスキング処理を施す。
【０２３３】
また、スクランブル／マスキング処理部２６６は、フィルムデータＤ１５の各変換写真画像データのうち、送付対象の写真画像の変換写真画像データに対して、スクランブル制御データＤ４４に基づいてスクランブル処理を施し、得られた送付用フィルムデータＤ４５を鍵データ挿入部２６９に送出する。
【０２３４】
そして、鍵データ挿入部２６９は、送付用フィルムデータＤ４５に基づいて得られる各写真画像ヘッダデータのうちの送付対象の写真画像の変換写真画像データに付加されている写真画像ヘッダデータに、鍵データ発生部２６８から与えられる鍵データＤ４３を格納し、得られた送付用フィルムデータＤ４６を受付店サーバ２５８に送出して格納する。
【０２３５】
かくして、受付店サーバ２５８に格納された送付用フィルムデータＤ４６は、当該受付店サーバ２５８から受付店パーソナルコンピュータ２５７の制御のもとに読み出され、受付店側サービスプロバイダ２５３、送信機２７０、通信衛星２７１、受信機２７２及び引渡店側サービスプロバイダ２５４を順次介して引渡店サーバ２６１に格納されると共に、当該引渡店サーバ２６１から引渡店パーソナルコンピュータ２６０の制御のもとに読み出されて鍵データ抽出部２７３に供給される。
【０２３６】
鍵データ抽出部２７３は、引渡店サーバ２６１から与えられる送付用フィルムデータＤ４６に含まれる各写真画像ヘッダデータのうちの送付対象の写真画像の変換写真画像データに付加されている写真画像ヘッダデータから鍵データＤ４３を抽出し、当該抽出した鍵データＤ４３を制御データ生成部２７９に送出すると共に、送付用フィルムデータＤ４６をデスクランブル処理部２７４に送出する。
【０２３７】
制御データ生成部２７９は、鍵データ抽出部２７３から与えられる鍵データＤ４３に基づいて、送付対象のスクランブル状態の写真画像から元の写真画像を復元するためのデスクランブル制御データＤ４７を生成し、これをデスクランブル処理部２７４に送出する。
【０２３８】
そして、デスクランブル処理部２７４は、鍵データ抽出部２７３から与えられる送付用フィルムデータＤ４６に含まれる各変換写真画像データのうちの送付対象の写真画像の変換写真画像データに対して、制御データ生成部２７９から与えられるデスクランブル制御データＤ４７に基づいてデスクランブル処理を施し、得られた送付用フィルムデータＤ４５を引渡店写真画像焼付装置１００Ｂの画像データ処理部１６１Ｂに送出する。
【０２３９】
これにより、画像データ処理部１６１Ｂは、システムコントローラ１４０Ｂの制御のもとに、送付用フィルムデータＤ４５に基づいて、各写真画像の焼付写真画像データＤ３９、焼付条件データＤ４０及びインデックス画像データＤ４１を生成し、これをプリンタ１０３Ｂに送出することにより当該プリンタ１０３Ｂにより、上述と同様に送付対象の写真画像が印画されたプリント写真と、図２７について上述したインデックスプリント２７８とを生成する。
【０２４０】
このように、写真画像商取引システムテム２５０においては、送付対象の全ての写真画像の変換写真画像データをスクランブル処理することにより、送付すべきプリント写真を秘匿性を向上させて送付し得るようになされている。
【０２４１】
そして、この写真画像商取引システムテム２５０においては、このように送付対象の全ての写真画像の変換写真画像データをスクランブル処理したときには、送付対象の全ての写真画像の変換写真画像データをスクランブル処理せずに送信するときと比べて当該変換写真画像データに施す処理が増えている分、例えば、送付手数料を高くするようになされている。
【０２４２】
また、受付店写真画像焼付装置１００Ａのシステムコントローラ１４０Ａは、リモートコントローラ１６２等を介して送付対象の写真画像のみを送付するように選択した選択送付データが入力されると、当該選択送付データに基づいて画像データ処理部１６１Ａを制御することにより、当該画像データ処理部１６１Ａにより、ＡＰＳネガフィルム１Ａの全ての変換写真画像データのうち、送付対象の写真画像の変換写真画像データのみを選択的に用いてフィルムデータＤ１５を生成させる。
【０２４３】
これにより、引渡写真店２５２においては、このようなフィルムデータＤ１５が送信されたとき、引渡店写真画像焼付装置１００Ｂにより、送付対象の写真画像が印画されたプリント写真と共に、図２８に示すように、その送付対象の写真画像２７５のみが印画されたインデックスプリント２８０を生成し得るようになされている。
【０２４４】
そして、この受付写真店２５１においては、送付対象の写真画像の変換写真画像データのみを選択的に用いたフィルムデータＤ１５を送信したときには、送付対象の写真画像の変換写真画像データと共に、非送付対象の写真画像の変換写真画像データを用いたフィルムデータＤ１５を送信するときに比べて送信すべきデータ量を低減させることができ、その分、例えば、プリント写真の送付手数料を安く設定することができる。
【０２４５】
ところで、受付店写真画像焼付装置１００Ａの画像データ処理部１６１Ａは、図２９に示すように、各変換写真画像データＤ５０のヘッダ部分にそれぞれ対応する写真画像ヘッダデータＤ５１を付加すると共に、これら写真画像ヘッダデータＤ５１を付加した各変換写真画像データＤ５０からなるデータ列の先頭にフィルムヘッダデータＤ５２を付加してフィルムデータＤ１５を生成する。
【０２４６】
ここで、フィルムヘッダデータＤ５２は、フィルムデータＤ１５のシンクデータが格納されるシンクデータ格納部２８１と、フィルムヘッダ情報格納部２８２とから構成されている。
【０２４７】
そして、フィルムヘッダ情報格納部２８２には、フィルム情報、写真店情報、顧客（送付依頼ユーザ）情報、銀行情報、写真情報、送信情報及びプロバイダ情報等の課金に関する各種情報のうちの送付依頼ユーザ又は受付写真店２５１によって選択された少なくともその一部の情報が格納されている。
【０２４８】
因みに、フィルム情報は、ＡＰＳフィルムの撮影可能枚数又は送付する写真画像の数と、ＡＰＳフィルムのフィルムＩＤと、ＡＰＳフィルムの製造メーカーの名称と、ＩＳＯ感度等とからなり、写真店情報は、受付写真店２５１及び又は引渡写真店２５２に予め割り当てられているＩＤ等からなり、顧客情報は、送付依頼ユーザのＩＤ（例えば、送付依頼ユーザの所有するＡＰＳカメラのＩＤ）、電子メールのアドレス及び当該送付依頼ユーザが作成したインターネットのホームページのＵＲＬ（Uniform Resource Locator）アドレスと、写真受取ユーザの電子メールのアドレス及びその写真受取ユーザが作成したインターネットのホームページのＵＲＬアドレス等とからなる。
【０２４９】
また、銀行情報は、送付依頼ユーザの所有するクレジットカードの登録番号や銀行口座の口座番号と、写真受取ユーザの所有するクレジットカードの登録番号や銀行口座の口座番号と、受付写真店２５１の取引口座の口座番号等と、引渡写真店２５２の取引口座の口座番号と、受付店側サービスプロバイダ２５３及び引渡店側サービスプロバイダ２５４の取引口座の口座番号と、プリント写真の送付枚数及び送付形態に応じた送付手数料、当該プリント写真の送付に応じて引渡写真店２５２で発生した手数料等からなり、写真情報は、プリント写真に対するトリミングの有無と、当該プリント写真のコピー世代制限の有無等からなる。
【０２５０】
さらに、送信情報は、フィルムデータＤ１５内の変換写真画像データに対するスクランブル処理及び又はマスキング処理の有無等からなり、プロバイダ情報は、受付店側サービスプロバイダ２５３及び引渡店側サービスプロバイダ２５４に予め割り当てられているＩＤ等からなる。
【０２５１】
一方、写真画像ヘッダデータＤ５１は、対応する変換写真画像データＤ５０のシンクデータが格納されるシンクデータ格納部２８３と、当該変換写真画像データＤ５０に対する焼付条件等の固有の制御データ（以下、これを固有制御データと呼ぶ）が格納される固有制御データ格納部２８４と、変換写真画像データＤ５０に対する加工用に新たに付加された制御データ（以下、これを付加制御データと呼ぶ）等が格納される付加制御データ格納部２８５とから構成されている。
【０２５２】
実際に、固有制御データ格納部２８４には、固有制御データとして、フレーム番号と、撮影日時と、絞り値、シャッタ速度、露出補正値、ストロボ発光の有無及び撮影レンズ焦点距離と、焼付タイプと、焼付枚数及びトリミング情報と、フィルムカートリッジの途中交換の有無等のような焼付条件でなる各種情報のうちの送付依頼ユーザ又は受付写真店２５１によって選択された少なくともその一部の情報が格納されている。
【０２５３】
また、付加制御データ格納部２８５には、付加制御データとして、対応する変換写真画像データＤ５０に対するスクランブル処理又はマスキング処理の有無の情報や、秘匿性を向上させるためのスクランブル処理に用いた鍵データＤ４３等の各種情報のうち、送付依頼ユーザ又は受付写真店２５１によって選択された少なくともその一部の情報が書換え自在に格納されており、対応する変換写真画像データＤ５０にどのような処理が施されたかを受付写真店２５１及び引渡写真店２５２側において確認させ得るようになされている。
【０２５４】
因みに、付加制御データ格納部２８５には、例えば、対応する変換写真画像データＤ５０に基づく写真画像がインターネットのホームページに張り付けられているとき、その張付位置を示すＨＴＭＬ（Hyper Text Markup Language）データ（タグ）を格納することもできる。
【０２５５】
そして、写真画像商取引システム２５０においては、送付用フィルムデータＤ４５を写真受取ユーザの所有するパーソナルコンピュータにも送信することができ、これにより写真受取ユーザのホームページに、ＨＴＭＬデータに基づいて対応する写真画像を容易にリンクさせることもできる。
【０２５６】
ところで、受付写真店２５１においては、フィルムデータＤ１５のフィルムヘッダデータＤ５２に格納する各種情報と、各写真画像ヘッダデータＤ５１にそれぞれ格納する各種情報とを送付依頼ユーザ及び又は受付写真店２５１とにより任意に選択し、当該フィルムヘッダデータＤ５２及び写真画像ヘッダデータＤ５１に格納する各種情報を少なくすれば、その分、送信するフィルムデータＤ１５のデータ量を低減することができるため、プリント写真の送付手数料を安く設定することができる。
【０２５７】
また、受付写真店２５１においては、写真画像ヘッダデータＤ５１にシンクデータと共に、任意に選択した各種情報からなる固有制御データのみを格納し、付加制御データを格納しないようにすることもでき、このようにすれば、フィルムデータＤ１５のデータ量をさらに低減させて、プリント写真の送付手数料を格段的に安く設定することもできる。
【０２５８】
なお、この第１の実施の形態の場合、受付写真店２５１及び引渡写真店２５２は、受付店サーバ２５８及び引渡店サーバ２６１にそれぞれ送付用フィルムデータＤ４５及びＤ４６を格納することにより、当該送付用フィルムデータＤ４５及びＤ４６を送付依頼ユーザ及び写真受取ユーザの要求に応じて自由に読み出して指定先に送信することができると共に、そのとき、電子的に決済処理し、商取引を成立させることができる。
【０２５９】
また、受付写真店２５１及び引渡写真店２５２は、受付店サーバ２５８及び引渡店サーバ２６１にそれぞれ送付用フィルムデータＤ４５及びＤ４６と共に、店を利用する送付依頼ユーザ及び写真受取ユーザのリストや、プリント写真の送付の利用履歴、焼付の利用度、フィルムメーカーの選択傾向、さらには、送付依頼ユーザ及び写真受取ユーザの趣味や、誕生日、結婚記念日等の各種情報も格納して保管することができ、これら各種情報を利用して送付依頼ユーザ及び写真受取ユーザに各種イベントや、新製品の紹介、利用に応じた景品のプレゼント等のようなサービスを提供することもできる。
【０２６０】
以上の構成において、写真画像商取引システム２５０では、受付写真店２５１の受付店写真画像焼付装置１００ＡによりＡＰＳネガフィルム１Ａの各写真画像からそれぞれ変換写真画像データＤ５０を生成すると共に、当該ＡＰＳネガフィルム１Ａに記録されているユーザデータＤ４及びフレーム番号データＤ６と、送付依頼ユーザ又は受付写真店２５１により設定された焼付条件等とに基づいて生成した固有制御データを有する写真画像ヘッダデータＤ５１を生成し、各変換写真画像データＤ５０に、対応する写真画像ヘッダデータＤ５１を付加して得られるデータ列にフィルムヘッダデータＤ５２を付加するようにしてフィルムデータＤ１５を生成する。
【０２６１】
これに加えて、受付写真店２５１では、受付店写真画像焼付装置１００Ａによって生成したフィルムデータＤ１５に対して、受付店パーソナルコンピュータ２５７により必要に応じてスクランブル処理及び又はマスキング処理を施し、得られた送付用フィルムデータＤ４５又はＤ４６を受付店側サービスプロバイダ２５３、インターネット２５５及び引渡店側サービスプロバイダ２５４を順次介して送信先の引渡写真店２５２に送信する。
【０２６２】
そして、引渡写真店２５２では、引渡店パーソナルコンピュータ２６０により送付用フィルムデータＤ４５又はＤ４６に対して必要に応じてデスクランブル処理を施し、得られたフィルムデータＤ１５に含まれる変換写真画像データＤ５０及び固有制御データに基づいて、引渡店写真画像焼付装置１００Ｂにより送付対象の写真画像が印画されたプリント写真及びインデックスプリント２７８又は２８０を生成し、これを送付依頼ユーザの指定した送付相手（写真受取ユーザ）に引き渡すようにする。
【０２６３】
また、この写真画像商取引システム２５０では、このように受付写真店２５１から引渡写真店２５２へ送付依頼ユーザの依頼に応じてプリント写真を送付したときには、そのプリント写真の送付手数料を算出し、当該算出した送付手数料に基づいて、電子的に決済処理を実行し、当該プリント写真の送付に対する電子商取引を成立させる。
【０２６４】
従って、この写真画像商取引システム２５０では、送付依頼ユーザが受付写真店２５１でプリント写真の送付を依頼するだけで、当該受付写真店２５１から送付対象の写真画像をディジタルデータ化（変換写真画像データＤ５０）して直接インターネット２５５を介して送信するため、送付用にプリント写真を焼き増ししたり、当該焼き増ししたプリント写真を郵送会社に持ち込む必要がなく、プリント写真の送付手続きを格段的に簡易化することができる。
【０２６５】
また、写真画像商取引システム２５０では、送付対象のプリント写真をインターネット２５５を介して送付するため、従来のように、送付対象のプリント写真を郵送する場合に比べて、プリント写真を短時間で送付相手（写真受取ユーザ）に送付することができる。
【０２６６】
さらに、写真画像商取引システム２５０では、引渡写真店２５２において、変換写真画像データＤ５０に基づく写真画像を、対応する写真画像ヘッダデータＤ５１内の焼付条件（すなわち取扱条件）が格納されている固有制御データに基づいて印画紙に焼き付けるため、送付対象の写真画像をディジタルデータ化して送付しても、その送付先に、受付写真店２５１側で指定した焼付条件を忠実に再現させてプリント写真を生成させることができる。
【０２６７】
そして、写真画像商取引システム２５０では、プリント写真の送付の依頼に応じて発生する送付手数料の全てを電子的な決済により処理するため、従来のプリント写真の送付時のような、写真店におけるプリント写真の焼増代金の支払いや、郵送会社におけるプリント写真の送付手数料の支払いのように、複数箇所に分散していた支払いの煩わしさを解消し、かくして、送付手数料の支払いを格段的に簡易化することができる。
【０２６８】
以上の構成によれば、受付写真店２５１により、送付対象の写真画像の変換写真画像データＤ５０を生成すると共に、当該写真画像の焼付条件等でなる固有制御データを有する写真画像ヘッダデータを生成し、これら変換写真画像データＤ５０及び写真画像ヘッダデータを有するフィルムデータＤ１５をネットワークを介して引渡写真店２５２に送信することにより写真画像を固有制御データに基づいて焼き付けたプリント写真として送付相手に引き渡し、この際、金融機関２５６により送付手数料を電子的に決済処理するようにしたことにより、送付相手にディジタルデータ化した写真画像を送信しても、固有制御データに基づいて送付元側で指定した焼付条件を忠実に再現したプリント写真として引き渡すことができ、かくして、送付側の意図するプリント写真を容易、かつ確実に送付し得る写真画像商取引システムを実現することができる。
【０２６９】
（５）第２の実施の形態
図２５との対応部分に同一符号を付して示す図３０は、第２の実施の形態による写真画像商取引システム３００を示し、受付写真店３０１の受付店写真画像焼付装置３０２及び受付店パーソナルコンピュータ３０３の構成を除いて、上述した第１の実施の形態による写真画像商取引システム２５０と同様に構成されている。
【０２７０】
受付写真店３０１において、受付店写真画像焼付装置３０２は、プリント写真の送付依頼時、リモートコントローラ（図示せず）等を介して送付依頼ユーザにより指定された写真画像のフレーム番号データと、フレーム飾りデータ（加工情報）及び又はメッセージデータ（テキスト情報）とからなる加工指示データＤ５５が入力され、当該入力された加工指示データＤ５５をフィルムデータＤ１５と共に、受付店パーソナルコンピュータ３０３に送出する。
【０２７１】
受付店パーソナルコンピュータ３０３は、受付店写真画像焼付装置３０２から与えられる加工指示データＤ５５に基づいて、フィルムデータＤ１５の対応する変換写真画像データにフレーム飾りデータ及び又はメッセージデータの合成処理を施し、得られた加工フィルムデータＤ５６を受付店サーバ２５８に格納すると共に、受付店側サービスプロバイダ２５３、インターネット２５５及び引渡店側サービスプロバイダ２５４を順次介して引渡写真店２５２に送信する。
【０２７２】
そして、引渡写真店２５２においては、受付写真店３０１から送信された加工フィルムデータＤ５６を引渡店パーソナルコンピュータ２６０によって受信し、当該受信した加工フィルムデータＤ５６を引渡店サーバ２６１に格納すると共に、引渡店写真画像焼付装置１００Ｂに送出する。
【０２７３】
これにより、引渡店写真画像焼付装置１００Ｂは、加工フィルムデータＤ５６に基づいて、印画紙に写真画像３０５と共に所定のフレーム飾り３０６を印画したプリント写真３０７や、印画紙に写真画像３０８と共に所定のメッセージ３０９を印画したプリント写真３１０と、これらフレーム飾りやメッセージが加えられた写真画像を有するインデックスプリント（図示せず）とを生成する。
【０２７４】
かくして、引渡写真店２５２は、写真画像３０５及び３０８にフレーム飾り３０６やメッセージ３０９が合成されたプリント写真３０７及び３１０と、当該フレーム飾りやメッセージが合成された写真画像がサムネイル表示されてなるインデックスプリントとを、送付依頼ユーザによって指定された写真受取ユーザに引き渡すことができる。
【０２７５】
かかる構成に加えて、この写真画像商取引システム３００の場合、受付写真店３０１においては、プリント写真の送付依頼時、送付依頼ユーザに対して送付対象のプリント写真に広告を掲載しても良いかどうかをたずね、当該広告の掲載が承諾されると、受付店写真画像焼付装置３０２にリモートコントローラを介して、広告掲載対象の写真画像を示す写真画像指定データＤ５７を入力する。
【０２７６】
そして、受付写真店３０１においては、受付店写真画像焼付装置３０２によりフィルムデータＤ１５を生成し、当該生成したフィルムデータＤ１５を写真画像指定データＤ５７と共に受付店パーソナルコンピュータ３０３に送出する。
【０２７７】
受付店パーソナルコンピュータ３０３は、受付写真店３０１が宣伝契約を結んだ受付店側サービスプロバイダ２５３等の所定の会社（以下、これを宣伝依頼会社と呼ぶ）の広告データを保持しており、受付店写真画像焼付装置３０２からフィルムデータＤ１５及び写真画像指定データＤ５７が与えられると、当該写真画像指定データＤ５７に基づいてフィルムデータＤ１５の対応する変換写真画像データに広告データの合成処理を施し、得られた広告掲載フィルムデータＤ５８を受付店サーバ２５８に格納すると共に、受付店側サービスプロバイダ２５３、インターネット２５５及び引渡店側サービスプロバイダ２５４を順次介して引渡写真店２５２に送信する。
【０２７８】
引渡写真店２５２においては、受付写真店３０１から送信された広告掲載フィルムデータＤ５８を引渡店パーソナルコンピュータ２６０によって受信し、当該受信した広告掲載フィルムデータＤ５８を引渡店サーバ２６１に格納すると共に、引渡店写真画像焼付装置１００Ｂに送出する。
【０２７９】
これにより、引渡店写真画像焼付装置１００Ｂは、広告掲載フィルムデータＤ５８に基づいて、印画紙に対し広告文等の所定の広告画像３１２を合成した写真画像３１１を印画したプリント写真３１３と、当該広告画像が合成された写真画像をサムネイル表示してなるインデックスプリント（図示せず）とを生成する。
【０２８０】
かくして、引渡写真店２５２は、受付写真店３０１において、送付依頼ユーザにより送付対象に指定されたプリント写真や、広告文の掲載されたプリント写真３１３と、インデックスプリントとを、送付依頼ユーザによって指定された写真受取ユーザに引き渡すことができる。
【０２８１】
ここで、受付写真店３０１は、プリント写真にフレーム飾りや、メッセージをプリントするように依頼されると、フィルムデータＤ１５に対するフレーム飾りデータやメッセージデータの合成処理が新たな処理として加わることにより、フィルムデータＤ１５をそのまま送信する場合の送付手数料に加工処理代金を上のせして高く設定するようになされている。
【０２８２】
これに対して、受付写真店３０１は、送付依頼ユーザの承諾を得てプリント写真に広告を掲載すると、送付依頼ユーザが写真受取ユーザに送付するプリント写真により、宣伝依頼会社の商品等を宣伝してもらえるため、宣伝依頼会社から得た宣伝料をプリント写真の送付手数料に還元するようにして、当該送付手数料を低価格に設定し得るようになされている。
【０２８３】
そして、受付写真店３０１は、送付するプリント写真への広告の掲載量を送付依頼ユーザにより選択させ得るようにしており、これにより、プリント写真への広告の掲載量が格段的に多ければ、送付手数料を大幅に安く（無料を含む）することができる。
【０２８４】
従って、受付写真店３０１においては、送付依頼ユーザにより送付対象のプリント写真に対してフレーム飾りや、メッセージの合成が依頼されて、送付手数料が割高になる場合でも、当該送付依頼ユーザから広告掲載が承諾されると、プリント写真に広告を掲載する分、プリント写真の送付を格安で提供し得るようになされている。
【０２８５】
実際上、図２６との対応部分に同一符号を付して示す図３１において、受付店写真画像焼付装置３０２のシステムコントローラ３１５は、リモートコントローラ（図示せず）等を介して、加工指示データＤ５５及び又は写真画像指定データＤ５７が入力されると、当該入力された加工指示データＤ５５を受付店パーソナルコンピュータ３０３の加工画像生成部３１６に送出し、写真画像指定データＤ５７を受付店パーソナルコンピュータ３０３の広告画像生成部３１７に送出する。
【０２８６】
加工画像生成部３１６は、システムコントローラ３１５から加工指示データＤ５５が与えられると、当該加工指示データＤ５５に基づいて得られるフレーム飾りデータ及び又はメッセージデータに基づいて、フレーム飾り及び又はメッセージの加工画像データＤ６０を生成し、当該生成した加工画像データＤ６０を加工指示データＤ５５と共に加工画像データ合成部３１８に送出する。
【０２８７】
そして、加工画像データ合成部３１８は、受付店写真画像焼付装置３０２の画像データ処理部１６１Ａから与えられるフィルムデータＤ１５の各変換写真画像データのうち、加工指示データＤ５５に基づいて指示されたフレーム番号の変換写真画像データに、対応する加工画像データＤ６０を合成し、得られた加工フィルムデータＤ５６を広告画像データ合成部３１９に送出する。
【０２８８】
一方、広告画像生成部３１７は、予め広告内容を示す文字や画像の広告データＤ６１を保持しており、システムコントローラ３１５から写真画像指定データＤ５７が与えられると、広告データＤ６１に基づいて広告画像データＤ６２を生成し、当該生成した広告画像データＤ６２を写真画像指定データＤ５７と共に広告画像データ合成部３１９に送出する。
【０２８９】
そして、広告画像データ合成部３１９は、加工画像データ合成部３１８から与えられる加工フィルムデータＤ５６の各変換写真画像データのうち、写真画像指定データＤ５７に基づいて指定された変換写真画像データに広告画像データＤ６２を合成し、得られた広告掲載フィルムデータＤ５８をスクランブル／マスキング処理部２６６に送出する。
【０２９０】
因みに、広告画像データ合成部３１９は、受付店写真画像焼付装置３０２のシステムコントローラ３１５に加工指示データＤ５５が入力されていないときには、当該受付店写真画像焼付装置３０２の画像データ処理部１６１Ａから加工画像データ合成部３１８を介して与えられるフィルムデータＤ１５に対して広告画像データＤ６２の合成処理を施し、得られた広告掲載フィルムデータＤ５８をスクランブル／マスキング処理部２６６に送出する。
【０２９１】
また、広告画像データ合成部３１９は、受付店写真画像焼付装置３０２のシステムコントローラ３１５に写真画像指定データＤ５７が入力されていないときには、加工画像データ合成部３１８から与えられる加工フィルムデータＤ５６をそのままスクランブル／マスキング処理部２６６に送出する。
【０２９２】
そして、受付店パーソナルコンピュータ３０３は、広告画像データ合成部３１９の出力段から加工フィルムデータＤ５６又は広告掲載フィルムデータＤ５８が得られると、当該加工フィルムデータＤ５６又は広告掲載フィルムデータＤ５８に必要に応じてスクランブル／マスキング処理部２６６でスクランブル処理又はマスキング処理を施した後、鍵データ挿入部２６９及び受付店サーバ２５８を順次介して受付店側サービスプロバイダ２５３（図３０）に送出する。
【０２９３】
これにより、引渡写真店２５２（図３０）は、受付写真店３０１から受付店側サービスプロバイダ２５３、インターネット２５５及び引渡店側サービスプロバイダ２５４を順次介して送信された加工フィルムデータＤ５６又は広告掲載フィルムデータＤ５８を引渡店パーソナルコンピュータ２６０によって受信すると共に、当該受信した加工フィルムデータＤ５６及び広告掲載フィルムデータＤ５８を引渡店サーバ２６１に送出して格納し、かつ引渡店写真画像焼付装置１００Ｂに送出する。
【０２９４】
かくして、引渡写真店２５２は、図３２（Ａ）〜（Ｃ）に示すように、引渡店写真画像焼付装置１００Ｂにより加工フィルムデータＤ５６に基づいて、写真画像３２４にフレーム飾り３２５及びメッセージ３２６が合成されたプリント写真３２７や、写真画像３２８及び３２９にメッセージ３３０及び３３１が合成されたプリント写真３３２及び３３３等を生成して写真受取ユーザに引き渡すことができる。
【０２９５】
また、引渡写真店２５２は、図３３（Ａ）〜（Ｃ）に示すように、引渡店写真画像焼付装置１００Ｂにより広告掲載フィルムデータＤ５８に基づいて、写真画像３２４の下側に広告文字３３５を合成したプリント写真３３６や、写真画像３２４を印画紙の中央からずらし、これに伴い開いた領域に広告文字３３７を合成したプリント写真３３８、さらには、写真画像３３９にフレーム飾り３４０と共に広告文字３４１を合成したプリント写真３４２等を生成して写真受取ユーザに引き渡すこともできる。
【０２９６】
そして、引渡写真店２５２は、図３４に示すように、引渡店写真画像焼付装置１００Ｂにより加工フィルムデータＤ５６又は広告掲載フィルムデータＤ５８に基づいて、フレーム飾り３２５及び又はメッセージ３２６が合成された写真画像３２４や、広告文字３４１が合成された写真画像３３９等をサムネイル表示してなるインデックスプリント３４３も生成して写真受取ユーザに引き渡すことができる。
【０２９７】
また、かかるインデックスプリント３４３には、各種写真画像３２４及び３３９に加えて、スクランブル状態の写真画像３４４及びマスキング状態の写真画像３４５も同時に表示し得るようになされている。
【０２９８】
ところで、プリント写真３３６、３３８、３４２及びインデックスプリント３４３に掲載し得る広告としては、宣伝依頼会社の会社名、商品名、宣伝依頼会社の宣伝文、宣伝依頼会社のロゴ等の広告文字や、宣伝パンフレット及び商品宣伝用の広告写真等がある。
【０２９９】
そして、受付店パーソナルコンピュータ３０３（図３１）においては、広告画像データ合成部３１９により、フィルムデータＤ１５又は加工フィルムデータＤ５６に、宣伝パンフレットや商品宣伝用の広告写真の広告画像データＤ６２を挿入し、得られた広告掲載フィルムデータＤ６８を送信することもできる。
【０３００】
これにより、かかる広告掲載フィルムデータＤ６８が送信された場合、引渡写真店２５２は、引渡店写真画像焼付装置１００Ｂにより広告掲載フィルムデータＤ６８に基づいて、図３２（Ａ）〜図３３（Ｃ）について上述したプリント写真等を生成すると共に、図３５（Ａ）及び（Ｂ）に示すように、当該引渡店写真画像焼付装置１００Ｂにより広告掲載フィルムデータＤ６８の広告画像データＤ６２に基づいて、広告画像３４５及び３４６のみが印画されたプリント写真３４７及び３４８も生成し、これら写真画像のプリント写真と共に、広告画像３４５及び３４６のプリント写真３４７及び３４８も写真受取ユーザに引き渡すようになされている。
【０３０１】
また、引渡写真店２５２は、このとき、図３６及び図３７に示すように、引渡店写真画像焼付装置１００Ｂにより広告掲載フィルムデータＤ６８に基づいて、写真画像３２４及び３３９と、広告画像３４５及び３４６とをサムネイル表示してなるインデックスプリント３４９及び３５０を生成し、これも写真受取ユーザに引き渡すようになされている。かかるインデックスプリント３４９及び３５０においては、広告画像３４５及び３４６を各写真画像の後に表示させたり、又は非送付対象の写真画像に置き換えて表示させることができる。
【０３０２】
これに加えて、受付店パーソナルコンピュータ３０３（図３１）においては、広告画像データ合成部３１９により、フィルムデータＤ１５又は加工フィルムデータＤ５６にインデックスプリント用の広告画像データＤ６９を挿入し、得られた広告掲載フィルムデータＤ７０を送信することもできる。
【０３０３】
そして、かかる広告掲載フィルムデータＤ７０が送信された場合、引渡写真店２５２においては、図３８に示すように、引渡店写真画像焼付装置１００Ｂにより広告掲載フィルムデータＤ７０に基づいて、各写真画像３２４及び３３９並びに広告画像３４５とは別に広告文字３５１が表示されたインデックスプリント３５２を生成して写真受取ユーザに引き渡す。
【０３０４】
因みに、受付店写真画像焼付装置３０２のシステムコントローラ３１５（図３１）は、ＡＰＳネガフィルム１Ａのユーザ（カメラ）使用領域６（図２）からユーザデータ用磁気ヘッド１２８Ａ及び磁気再生回路１４６Ａを順次介して再生したユーザデータＤ４に、写真にプリントすべきタイトル及び又はメッセージが含まれている場合には、対応するフレーム番号データＤ６と、そのタイトル及び又はメッセージから加工指示データＤ６４を生成し、これを加工画像生成部３１６に送出する。
【０３０５】
これにより、加工画像生成部３１６は、その加工指示データＤ６４に基づいて、加工画像データＤ６５を生成し、当該加工画像データＤ６５を加工画像データ合成部３１８に送出する。
【０３０６】
かくして、加工画像データ合成部３１８は、フィルムデータＤ１５の対応する変換写真画像データに加工画像データＤ６５を合成することにより、写真画像の撮影時にＡＰＳカメラ（図示せず）を介して設定されたタイトルやメッセージもプリント写真にプリントさせることができる。
【０３０７】
また、受付店写真画像焼付装置３０２のシステムコントローラ３１５（図３１）は、リモートコントローラ等を介して入力された加工指示データＤ５５に含まれるフレーム番号データに基づいて、当該加工指示データＤ５５に含まれるフレーム飾りデータＤ６６及び又はメッセージデータＤ６７を磁気記録再生回路１８０Ａを介してラボデータ用磁気ヘッド１３０Ａに送出してＡＰＳネガフィルム１Ａのラボ使用領域７に記録する。これによりシステムコントローラ３１５は、ＡＰＳネガフィルム１Ａに対し、指定された写真画像に対するフレーム飾り及び又はメッセージの合成処理の履歴を残すことができる。
【０３０８】
さらに、システムコントローラ３１５は、リモートコントローラ等を介して入力された写真画像指定データＤ５７に基づいて、広告画像生成部３１７から広告データＤ６１を読み出すと共に、当該読み出した広告データＤ６１を磁気記録再生回路１８０Ａを介してラボデータ用磁気ヘッド１３０Ａに送出してＡＰＳネガフィルム１Ａのラボ使用領域７に記録する。これによりシステムコントローラ３１５は、ＡＰＳネガフィルム１Ａに対し、指定された写真画像に対する広告画像の合成処理の履歴を残すこともできる。
【０３０９】
ところで、図２９との対応部分に同一符号を付して示す図３９において、フィルムデータＤ１５には、各変換写真画像データＤ５０に対応する写真画像ヘッダデータＤ５１の付加制御データ格納部３５３にフレーム飾りデータＤ６６及びメッセージデータＤ６７と、広告データＤ６１とを書換え自在に格納し得るようになされている。
【０３１０】
従って、加工画像データ合成部３１８（図３１）は、加工画像データＤ６０の合成処理時、当該加工画像データＤ６０を合成した変換写真画像データＤ５０に対応する写真画像ヘッダデータＤ５１の付加制御データ格納部３５３に、加工指示データＤ５５に基づいて得られるフレーム飾りデータＤ６６及び又はメッセージデータＤ６７を格納し、かくして、変換写真画像データＤ５０に対する加工画像データＤ６０の合成処理の履歴を残すようにする。
【０３１１】
また、広告画像データ合成部３１９は、広告画像データＤ６２の合成処理時、広告画像生成部３１７から広告データＤ６１が与えられており、広告画像データＤ６２を合成した変換写真画像データＤ５０に対応する写真画像ヘッダデータＤ５１の付加制御データ格納部３５３に広告データＤ６１を格納し、かくして、変換写真画像データＤ５０に対する広告画像データＤ６２の合成処理の履歴を残すようにする。
【０３１２】
これにより、引渡写真店２５２（図３０）においては、加工フィルムデータＤ５６及び広告掲載フィルムデータＤ５８を受信したとき、写真画像ヘッダデータＤ５１の付加制御データ格納部３５３に格納されているフレーム飾りデータＤ６６及びメッセージデータＤ６７や、広告データＤ６１を、プリント写真及びインデックスプリントに実際に合成されているフレーム飾り及びメッセージや、広告と比較し、当該プリント写真及びインデックスプリントに実際に合成されているフレーム飾り及びメッセージや、広告が加工フィルムデータＤ５６及び広告掲載フィルムデータＤ５８の送信途中に不当に改竄されていないかどうかを確認し得るようになされている。
【０３１３】
以上の構成において、写真画像商取引システム３００では、受付写真店３０１に対してプリント写真の送付が依頼されたとき、送付依頼ユーザからプリント写真への広告の掲載が承諾されると、当該受付写真店３０１の受付店パーソナルコンピュータ３０３により、受付店写真画像焼付装置３０２から与えられるフィルムデータＤ１５の変換写真画像データＤ５０に広告画像データＤ６２を合成し、得られた広告掲載フィルムデータＤ５８を受付店側サービスプロバイダ２５３、インターネット２５５及び引渡店側サービスプロバイダ２５４を順次介して引渡写真店２５２に送信する。
【０３１４】
そして、引渡写真店２５２では、受付写真店３０１から送信された広告掲載フィルムデータＤ５８を引渡店パーソナルコンピュータ２６０によって受信し、当該受信した広告掲載フィルムデータＤ５８を引渡店写真画像焼付装置１００Ｂに送出することにより広告掲載フィルムデータＤ５８に基づいて、写真画像に広告画像が合成されたプリント写真と、当該広告画像が合成された写真画像を有するインデックスプリントとを生成し、これを送付依頼ユーザの指定した写真受取ユーザに引き渡すようにする。
【０３１５】
従って、この写真画像商取引システム３００では、送付依頼ユーザから送付の依頼されたプリント写真により、宣伝依頼会社の広告内容を宣伝してもらうため、当該プリント写真の送付手数料を安くすることができ、送付依頼ユーザに対してプリント写真の送付を依頼し易くすることができる。
【０３１６】
また、写真画像商取引システム３００では、受付写真店３０１において、プリント写真の送付依頼時、送付依頼ユーザにより、写真画像にフレーム飾りや、メッセージを合成して加工するように依頼されると、フィルムデータＤ１５の指定された変換写真画像データに、対応するフレーム飾りやメッセージでなる加工画像データＤ６０を合成処理し、得られた加工フィルムデータＤ５６を引渡写真店２５２に送信し、当該引渡写真店２５２において、その加工フィルムデータＤ５６に基づき写真画像にフレーム飾りやメッセージが合成されたプリント写真と、当該フレーム飾りやメッセージが合成された写真画像を有するインデックスプリントとを生成し、これを写真受取ユーザに引き渡すようにする。
【０３１７】
従って、この写真画像商取引システム３００では、送付依頼ユーザが写真受取ユーザに送付するプリント写真により、引っ越しや出産等の近況を伝えたり、写真受取ユーザに対するお祝いの意思を伝えたりすることができると共に、当該プリント写真を案内状等としても利用することができ、かくして、使い勝手を格段的に向上させることができる。
【０３１８】
そして、写真画像商取引システム３００では、このように、プリント写真にフレーム飾りやメッセージを合成して送付すると、当該プリント写真を加工せずに送付する場合に比べて、合成処理が加わる分、送付手数料を高く設定するものの、かかる加工処理の依頼の際に広告掲載も併用すれば、プリント写真の送付手数料を、プリント写真を加工せずに送付したときと同等又はそれ以下までも安くすることができ、かくして、さらに使い勝手を向上させることができる。
【０３１９】
以上の構成によれば、受付店パーソナルコンピュータ３０３により、受付店写真画像焼付装置３０２において生成されたフィルムデータＤ１５の変換写真画像データＤ５０に広告画像データＤ６２を合成し、得られた広告掲載フィルムデータＤ５８をネットワークを介して引渡写真店２５２に送信すると共に、当該引渡写真店２５２によりその広告掲載フィルムデータＤ５８に基づいて写真画像に広告画像が合成されたプリント写真を生成し、これを送付依頼ユーザの指定した写真受取ユーザに引き渡すようにしたことにより、上述した第１の実施の形態により得られる効果に加えて、プリント写真の送付手数料を低価格にすることができ、かくして使い勝手の良い写真画像商取引システムを実現することができる。
【０３２０】
（６）第３の実施の形態
図３０との対応部分に同一符号を付して示す図４０は、第３の実施の形態による写真画像商取引システム３６０を示し、購入希望ユーザのパーソナルコンピュータ（以下、これをユーザパーソナルコンピュータと呼ぶ）３６１がインターネット２５５に接続されると共に、受付写真店３６２の受付店パーソナルコンピュータ３６３の構成を除いて、上述した第２の実施の形態による写真画像商取引システム３００と同様に構成されている。
【０３２１】
受付写真店３６２においては、販売依頼ユーザによりＡＰＳフィルム（図示せず）が収納されたフィルムカートリッジ（図示せず）が持ち込まれ、写真画像の販売が依頼されると、当該ＡＰＳフィルムを現像処理してＡＰＳネガフィルム１Ａを生成する。
【０３２２】
そして、受付写真店３６２においては、受付店写真画像焼付装置３０２によりそのＡＰＳネガフィルム１Ａに基づいて写真画像の変換写真画像データを生成すると共に、当該ＡＰＳネガフィルム１Ａから再生したユーザデータに基づいて指定された焼付条件を有する固有制御データを用いて写真画像ヘッダデータを生成し、当該変換写真画像データ及び写真画像ヘッダデータにフィルムヘッダデータを付加してフィルムデータＤ１５を生成して、これを受付店パーソナルコンピュータ３６３に送出する。
【０３２３】
受付店パーソナルコンピュータ３６３は、受付店写真画像焼付装置３０２から与えられるフィルムデータＤ１５に対して、必要に応じて加工画像データの合成処理、広告画像データの合成処理、スクランブル処理及び又はマスキング処理を施すことにより販売対象フィルムデータＤ７５を生成すると共に、当該生成した販売対象フィルムデータＤ７５に基づいて、インデックスデータＤ７６を生成し、当該生成したインデックスデータＤ７６を販売対象フィルムデータＤ７５と共に受付店サーバ２５８に格納する。
【０３２４】
そして、受付写真店３６２においては、受付店パーソナルコンピュータ３６３により、受付店サーバ２５８に格納しているインデックスデータＤ７６に基づいて、販売対象の写真画像３６５〜３６７をインデックス画像としてインターネット２５５上で公開する。
【０３２５】
すなわち、受付写真店３６２においては、ユーザパーソナルコンピュータ３６１からインターネット２５５及び受付店側サービスプロバイダ２５３を順次介して受付店パーソナルコンピュータ３６３にアクセスされると、当該受付店パーソナルコンピュータ３６３により受付店サーバ２５８からインデックスデータＤ７６を読み出し、当該読み出したインデックスデータＤ７６を受付店側サービスプロバイダ２５３及びインターネット２５５を順次介してユーザパーソナルコンピュータ３６１に送信する。
【０３２６】
これにより、ユーザパーソナルコンピュータ３６１は、受付写真店３６２から与えられるインデックスデータＤ７６に基づいて、販売対象の写真画像３６５〜３６７をサムネイル表示してなるインデックス画像をモニタに表示させ、かくして、インデックス画像により購入対象の写真画像を選択指定させることができる。
【０３２７】
ここで、写真画像の販売形態としては、販売対象の写真画像３６５〜３６７をプリント写真やシールプリント、またポスター等のような印刷物として販売する形態（以下、これを印刷販売形態と呼ぶ）と、当該販売対象の写真画像３６５〜３６７をディジタルデータとして販売する形態（以下、これをデータ販売形態と呼ぶ）とが設定されている。
【０３２８】
従って、ユーザパーソナルコンピュータ３６１は、モニタに表示させたインデックス画像に基づき、購入希望ユーザにより購入が希望された写真画像と、その販売形態等が選択指定されると、当該選択指定結果と、購入希望ユーザの所有するクレジットカードの登録番号等とに基づいてプリント写真の購入依頼を公衆回線網３６４を介して最寄りの引渡写真店２５２に通知する。
【０３２９】
引渡写真店２５２においては、ユーザパーソナルコンピュータ３６１からの購入依頼通知を引渡店パーソナルコンピュータ２６０によって請けると、当該引渡店パーソナルコンピュータ２６０により、その購入依頼通知に応じて受付写真店３６２の受付店パーソナルコンピュータ３６３にアクセスする。
【０３３０】
これにより、受付写真店３６２の受付店パーソナルコンピュータ３６３は、購入希望ユーザの購入依頼に基づいて、受付店サーバ２５８から対応する販売対象フィルムデータＤ７５を読み出すと共に、当該読み出した販売対象フィルムデータＤ７５の各変換写真画像データのうち、購入指定された写真画像３６５〜３６７の変換写真画像データ及び対応する写真画像ヘッダデータを有する販売用フィルムデータＤ７７を生成し、これを受付店側サービスプロバイダ２５３、インターネット２５５及び引渡店側サービスプロバイダ２５４を順次介して引渡写真店２５２の引渡店パーソナルコンピュータ２６０に送信する。
【０３３１】
引渡写真店２５２においては、購入希望ユーザから与えられている購入依頼通知に基づいて印刷販売形態が選択指定されているとき、引渡店パーソナルコンピュータ２６０によって取り込んだ販売用フィルムデータＤ７７を引渡店写真画像焼付装置１００Ｂに送出する。
【０３３２】
これにより、引渡写真店２５２においては、引渡店写真画像焼付装置１００Ｂにより販売用フィルムデータＤ７７の変換写真画像データに基づく写真画像３６５〜３６７を、写真画像ヘッダデータ内の固有制御データに基づいて、受付写真店３６２側で指定された焼付条件を忠実に再現して印画紙に焼き付けるようにしたプリント写真、シールプリント及び又はポスター等を生成し、これを購入希望ユーザに引き渡すようにする。
【０３３３】
また、引渡写真店２５２においては、購入希望ユーザから与えられている購入依頼通知に基づいてデータ販売形態が選択指定されている場合、引渡店パーソナルコンピュータ２６０によって取り込んだ販売用フィルムデータＤ７７を購入希望ユーザの指定する所定の記録媒体（ディスク状記録媒体、テープ状記録媒体、半導体メモリ等）に記録して引き渡し、又は引渡店パーソナルコンピュータ２６０から販売用フィルムデータＤ７７を公衆回線網３６４や、インターネット２５５等の各種通信網を介して送信して引き渡すようにする。
【０３３４】
これにより、購入希望ユーザは、写真画像をデータ販売形態で購入した場合、販売用フィルムデータＤ７７を記録媒体として受け取れば、対応する再生機器（ユーザパーソナルコンピュータ３６１、ディジタルビデオカメラ、ディジタルスチルカメラ、プロジェクタ等）を用いてその記録媒体から販売用フィルムデータＤ７７を再生し、当該再生した販売用フィルムデータＤ７７の変換写真画像データに基づく写真画像３６５〜３６７を、写真画像ヘッダデータ内の固有制御データに基づいて、受付写真店３６２側で指定された焼付条件を忠実に再現した構図及び画質でモニタ等に表示させて楽しむことができる。
【０３３５】
また、購入希望ユーザは、ユーザパーソナルコンピュータ３６１に記録媒体又は通信網で販売用フィルムデータＤ７７を取り込めば、当該取り込んだ販売用フィルムデータＤ７７に基づいて得られる写真画像３６５〜３６７（受付写真店３６２側で指定された焼付条件を忠実に再現するような構図及び画質でなる）を自分のインターネット用のホームページに張り付けて利用したり、又はユーザパーソナルコンピュータ３６１の起動中に表示されるディスク画面の背景画像（壁紙）として利用する等のように、印刷販売形態では決して行うことのできない種々の利用形態を楽しむことができる。
【０３３６】
かくして、受付写真店３６２においては、購入希望ユーザに対してこのような印刷及びデータとしての写真画像の販売形態を提供することにより、写真画像を購入し易くし得ると共に、写真画像をディジタルデータ化しても、受付写真店３６２側で指定した焼付条件を忠実に再現するようにして購入させ得るようになされている。
【０３３７】
因みに、ユーザパーソナルコンピュータ３６１は、購入希望ユーザにより所望する写真画像３６５〜３６７をデータ販売形態で購入するように指定された場合、引渡写真店２５２を介さずに、インターネット２５５及び受付店側サービスプロバイダ２５３を順次介して受付写真店３６２にアクセスし、当該受付写真店３６２から販売用フィルムデータＤ７７を直接取り込むこともできる。
【０３３８】
ところで、受付写真店３６２においては、写真画像の購入依頼時、引渡写真店２５２を介して、又はユーザパーソナルコンピュータ３６１から直接与えられる購入依頼通知に基づいて、購入希望ユーザの所有するクレジットカードの登録番号や、引渡写真店２５２の取引口座の口座番号、写真画像の販売形態に応じて引渡写真店２５２において発生する手数料（プリント写真等の生成代金や、販売用フィルムデータＤ７７の記録媒体への記録手数料等）等の引渡店側決済情報を取得している。
【０３３９】
そして、受付写真店３６２においては、販売用フィルムデータＤ７７の生成時、その引渡店側決済情報に、販売依頼ユーザの所有するクレジットカードの登録番号と、受付写真店３６２の取引銀行の口座番号と、購入指定された写真画像の枚数、写真画像の送付形態（引渡写真店２５２の介入の有無）及び販売形態に応じた送付手数料等とからなる受付店側決済情報を付加して課金情報を生成し、これを販売用フィルムデータＤ７７に付加して送信している。
【０３４０】
受付店側サービスプロバイダ２５３は、受付写真店３６２から販売用フィルムデータＤ７７が送信されると、当該販売用フィルムデータＤ７７からこれに付加されている課金情報を取り出し、これを課金データＤ７８としてインターネット２５５を介して金融機関２５６に送信する。
【０３４１】
金融機関２５６は、受付店側サービスプロバイダ２５３から与えられた課金データＤ７８に基づいて課金処理を実行し、当該課金処理結果に基づいて、販売依頼ユーザ、購入希望ユーザ、受付写真店３６２、引渡写真店２５２、受付店側サービスプロバイダ２５３及び引渡店側サービスプロバイダ２５４の各口座間でそれぞれ対応する金銭を電子的に移動させることにより写真画像の販売に対して決済処理して写真画像の販売に対する電子商取引を成立させる。
【０３４２】
これにより、この写真画像商取引システム３６０においては、購入希望ユーザが自宅に居ながら、複数の販売対象の写真画像のなかから所望する写真画像を選択して購入することができると共に、その際の写真画像の購入代金も電子的に決済処理することができ、誰でも容易に参加して写真画像を購入し得るようになされている。
【０３４３】
実際上、図３１との対応部分に同一符号を付して示す図４１において、写真画像の販売依頼時、受付写真店３６２の受付店パーソナルコンピュータ３６３は、受付店写真画像焼付装置３０２から与えられるフィルムデータＤ１５に対して、加工画像データ合成部３１８、広告画像データ合成部３１９、スクランブル／マスキング処理部２６６、鍵データ挿入部２６９を順次介して、必要に応じて加工画像データＤ６０の合成処理、広告画像データＤ６２の合成処理、スクランブル処理及び又はマスキング処理、鍵データＤ４３の挿入処理を施し、得られた販売対象フィルムデータＤ７５を受付店サーバ２５８に格納する。
【０３４４】
ここで、鍵データ挿入部２６９の出力段から得られる販売対象フィルムデータＤ７５は、図３９との対応部分に同一符号を付して示す図４２に示すようなデータフォーマットでなる。
【０３４５】
この場合、フィルムヘッダデータＤ８０のフィルムヘッダ情報格納部３７０に格納されている銀行情報には、上述したプリント写真の送付枚数及び送付形態に応じた送付手数料に替えて、写真画像の販売枚数及び販売形態、さらに販売経路（引渡写真店２５２及び引渡店側サービスプロバイダ２５４等の介入の有無）に応じた販売手数料が加えられている。
【０３４６】
また、写真画像ヘッダデータＤ８１の固有制御データ格納部２８４及び付加制御データ格納部３７１のうち、当該付加制御データ格納部３７１には、例えば、受付店パーソナルコンピュータ３６３により、図３９について上述した各種情報に加えて、販売依頼ユーザ情報として、当該販売依頼ユーザ（例えば写真家）の名前、撮影履歴（カメラマンとしての履歴）及びプロフィールや、写真画像に対する撮影場所等のコメント等が格納されると共に、販売情報として、対応する写真画像の販売形態に応じた販売価格、販売代金の支払い条件等が格納され、さらに、ファイル情報として、対応する変換写真画像データＤ５０のデータフォーマット（ＪＩＦ、ＴＩＦＦ、ＪＰＥＧ、ＢＭＰ等）等が格納される。
【０３４７】
因みに、写真画像ヘッダデータＤ８１の付加制御データ格納部３７１には、これら各種情報のうち、販売依頼ユーザ及び又は受付写真店３６２の指定した少なくとも一部の情報が格納されている。
【０３４８】
そして、かかる販売対象フィルムデータＤ７５（図４１）は、鍵データ挿入部２６９から受付店サーバ２５８に加えて、販売データ生成部３７３にも送出されている。
【０３４９】
販売データ生成部３７３は、鍵データ挿入部２６９から販売対象フィルムデータＤ７５が与えられると、当該販売対象フィルムデータＤ７５に基づいて、少なくとも変換写真画像データＤ５０及び写真画像ヘッダデータＤ８１を有し、各写真画像と共に、対応するフィルムＩＤ、フレーム番号、販売依頼ユーザ情報及び販売情報等を表示し得るインデックスデータＤ７６を生成し、当該生成したインデックスデータＤ７６を受付店サーバ２５８に格納する。
【０３５０】
これにより、受付写真店３６２においては、販売対象の写真画像の公開時、インデックスデータＤ７６を呼び出した購入希望ユーザに、当該インデックスデータＤ７６に基づくインデックス画像を介して、写真画像ヘッダデータＤ８１の固有制御データに基づき受付写真店３６２側で指定した焼付条件を忠実に再現した構図及び画質の写真画像と、その写真画像の購入に関する各種情報とを提示することができ、その各種情報として表示させるフィルムＩＤ、フレーム番号及び販売形態を選択するだけで所望する写真画像を容易に購入させ得るようになされている。
【０３５１】
また、販売データ生成部３７３は、写真画像の販売時、購入希望ユーザによって指定されたフィルムＩＤに基づいて、受付店サーバ２５８から対応する販売対象フィルムデータＤ７５を読み出すと共に、当該読み出した販売対象フィルムデータＤ７５の各変換写真画像データＤ５０及び写真画像ヘッダデータＤ８１のうち、当該購入希望ユーザによって指定されたフレーム番号に基づいて、対応する変換写真画像データＤ５０及び写真画像ヘッダデータＤ８１を選択的に用い、この結果得られるデータ列の先頭にフィルムヘッダデータを付加し、得られた販売用フィルムデータＤ７７を受付店サーバ２５８に格納する。
【０３５２】
因みに、販売データ生成部３７３は、購入希望ユーザにより、販売対象フィルムデータＤ７５の全ての変換写真画像データに基づく写真画像を購入するように指定されたときには、当該販売対象フィルムデータＤ７５を販売用フィルムデータＤ７７として受付店サーバ２５８に格納する。
【０３５３】
これにより、受付写真店３６２においては、受付店パーソナルコンピュータ３６３により受付店サーバ２５８からその販売用フィルムデータＤ７７を読み出し、当該読み出した販売用フィルムデータＤ７７を、購入希望ユーザから与えられる販売形態に応じた送信先（購入希望ユーザのユーザパーソナルコンピュータ３６１又は引渡写真店２５２）に送信し、かくして写真画像を販売することができる。
【０３５４】
ところで、受付写真店３６２（図４０）においては、販売依頼ユーザにより写真画像の販売が依頼される毎に、販売対象の写真画像の公開に用いるインデックスデータＤ７６を生成して受付店サーバ２５８に格納しているため、ユーザパーソナルコンピュータ３６１により何時でも自由にアクセスさせることができ、多くの販売依頼ユーザの撮影した写真画像のなかから所望する写真画像を選択させ得るようになされている。
【０３５５】
また、受付写真店３６２においては、インデックスデータＤ７６に基づいて販売対象の写真画像をインターネット２５５上で公開するとき、これら各写真画像のうち、例えば、販売依頼ユーザにより比較的高値で販売するように希望された特定の写真画像に対してはスクランブル処理を施して見せないようにする。
【０３５６】
そして、受付写真店３６２においては、そのスクランブル処理している特定の写真画像を見るために、購入希望ユーザにより所定の金額の支払いが承諾されると、受付店パーソナルコンピュータ３６３からユーザパーソナルコンピュータ３６１に鍵データＤ４３を送信し、当該ユーザパーソナルコンピュータ３６１にそのスクランブル処理を解かせて特定の写真画像を見せるようにする。
【０３５７】
これにより、受付写真店３６２においては、このような販売対象の写真画像の公開時にも、電子商取引を成立させるようになされている。
【０３５８】
また、受付写真店３６２においては、販売対象の写真画像の公開時、販売依頼ユーザの希望に応じて写真画像にフレーム飾りや、メッセージを合成する場合があるものの、購入希望ユーザにより購入希望の写真画像からそのフレーム飾りやメッセージを取り除くように要望されたり、また、フレーム飾りやメッセージを異なるフレーム飾りやメッセージと交換するように要望されたときには、必要に応じて販売依頼ユーザの承諾を得て、かつ販売価格を変更したうえで、購入希望ユーザの要望にそって変更を加えた写真画像を販売するようになされている。
【０３５９】
これにより、受付写真店３６２においては、販売依頼ユーザのみならず、購入希望ユーザにとっても利用し易い販売形態で写真画像を販売し得るようになされている。
【０３６０】
因みに、受付写真店３６２においては、インデックスデータＤ７６に基づいて販売対象の写真画像をインターネット２５５上で公開するとき、公開する写真画像の枚数や、公開期間等に応じた公開手数料を発生させるものの、販売依頼ユーザの承諾を得て、インデックス画像に広告を掲載したときには、その広告の掲載量に応じて、公開手数料を低価格又は無料にするようになされている。
【０３６１】
また、受付写真店３６２においては、販売対象の写真画像の公開によって公開手数料を発生させた場合には、当該公開手数料を金融機関２５６を介して、写真画像の公開期間内に定期的に決済処理する方法や、公開期間の終了時にまとめて決済処理する方法、また、写真画像が購入希望ユーザによって購入されたときに、その売上代金によって公開手数料を相殺するような決済処理の方法等のうちから、販売依頼ユーザの選択した方法により決済処理を実行させるようになされている。
【０３６２】
以上の構成において、この写真画像商取引システム３６０では、受付写真店３６２により、販売依頼ユーザの依頼に応じて、ＡＰＳネガフィルム１Ａの写真画像から変換写真画像データＤ５０を生成すると共に、当該ＡＰＳネガフィルム１Ａに記録されているユーザデータＤ４と、販売依頼ユーザ及び又は受付写真店３６２において指定した焼付条件等とに基づく固有制御データを生成し、当該変換写真画像データＤ５０及び固有制御データを有する販売対象フィルムデータＤ７５及びインデックスデータＤ７６を生成する。
【０３６３】
そして、受付写真店３６２では、インデックスデータＤ７６に基づくインデックス画像によりインターネット２５５上で販売対象の写真画像を公開し、そのインデックス画像を見た購入希望ユーザにより購入を希望する写真画像が選択指定されると、これに応じて対応する販売対象フィルムデータＤ７５から販売用フィルムデータＤ７７を生成し、当該生成した販売用フィルムデータＤ７７をネットワーク２５５を介して購入希望ユーザの指定する送信先に送信する。
【０３６４】
また、この写真画像商取引システム３６０では、このとき、購入希望ユーザに販売する写真画像の枚数及びその販売形態に応じた販売手数料を金融機関２５６により電子的に決済処理して電子商取引を成立させる。
【０３６５】
従って、この写真画像商取引システム３６０では、販売対象の写真画像をその変換写真画像データＤ５０に受付写真店３６２側で指定した焼付条件が格納された固有制御データを付加して販売するため、当該写真画像を購入したユーザに、固有制御データに基づいて受付写真店３６２側で指定した焼付条件を忠実に再現するようにした構図及び画質の写真画像を利用させることができ、かくして、販売対象の写真画像をディジタルデータ化しても、販売者側の指定した構図及び画質を容易に再現させた写真画像を販売することができる。
【０３６６】
以上の構成によれば、受付写真店３６２により、ＡＰＳネガフィルム１Ａの写真画像の変換写真画像データＤ５０に、当該ＡＰＳネガフィルム１Ａから再生したユーザデータＤ４に基づいて指定した焼付条件を有する固有制御データを付加してネットワークを介して販売し、当該写真画像が購入されたときに金融機関２５６によりその販売手数料を電子的に決済処理するようにしたことにより、購入者にディジタルデータ化して販売した写真画像を固有制御データに基づいて販売者側で指定した焼付条件を再現して利用させることができ、かくして、販売対象の写真画像をディジタルデータ化しても販売者側の意図する焼付条件で容易に販売し得る写真画像商取引システムを実現することができる。
【０３６７】
（７）第４の実施の形態
図３０との対応部分に同一符号を付して示す図４３は、第４の実施の形態による写真画像商取引システム４００を示し、送付依頼ユーザの所有するパーソナルコンピュータ４０１と、写真受取ユーザの所有するパーソナルコンピュータ４０２とが設けられると共に、受付写真店４０３の受付店パーソナルコンピュータ４０４及び引渡写真店４０５の引渡店パーソナルコンピュータ４０６の構成を除いて、上述した第２の実施の形態による写真画像商取引システム３００と同様に構成されている。
【０３６８】
受付写真店４０３においては、送付依頼ユーザによるプリント写真の送付依頼に応じて、受付店写真画像焼付装置３０２によりＡＰＳネガフィルム１Ａに基づいてフィルムデータＤ１５を生成すると、当該生成したフィルムデータＤ１５を受付店パーソナルコンピュータ４０４に送出する。
【０３６９】
受付店パーソナルコンピュータ４０４は、受付店写真画像焼付装置３０２から与えられる図３９について上述したデータフォーマットのフィルムデータＤ１５に対して、必要に応じて加工画像データの合成処理、広告画像データの合成処理、スクランブル処理又はマスキング処理を施し、得られた送付用フィルムデータＤ８５を受付店サーバ２５８に送出して格納すると共に、当該送付用フィルムデータＤ８５を受付店側サービスプロバイダ２５３、インターネット２５５及び引渡店サービスプロバイダ２５４を順次介して引渡写真店４０５に送信する。
【０３７０】
引渡写真店４０５においては、受付写真店４０３から送信された送付用フィルムデータＤ８５を引渡店パーソナルコンピュータ４０６によって受信し、当該受信した送付用フィルムデータＤ８５を引渡店写真画像焼付装置１００Ｂに送出することにより、当該引渡店写真画像焼付装置１００Ｂにより送付用フィルムデータＤ８５に基づき、受付店側で指定された焼付条件を忠実に再現した写真画像４０７〜４０９のプリント写真４１０〜４１２及びインデックスプリントを生成し、これを写真受取ユーザに引き渡す。
【０３７１】
因みに、写真受取ユーザに引き渡されるプリント写真４０７〜４０９及びインデックスプリントにおいては、フィルムデータＤ１５の変換写真画像データに対する加工画像データの合成処理により対応する写真画像４０７及び４０８にフレーム飾り４１３及びメッセージ４１４が合成されると共に、当該変換写真画像データに対する広告画像データの合成処理により対応する写真画像４０９に広告画像４１５が合成されている。
【０３７２】
また、かかるプリント写真４０７〜４０９及びインデックスプリントにおいては、フィルムデータＤ１５の変換写真画像データに対するスクランブル処理又はマスキング処理により対応する写真画像がスクランブル状態又はマスキング状態（図示せず）にされている。
【０３７３】
そして、受付店側サービスプロバイダ２５３は、このとき、受付写真店４０３から送信された送付用フィルムデータＤ８５に含まれる引渡店側決済情報及び受付店側決済情報からなる課金情報を取り出し、当該取り出した課金情報を課金データＤ３３としてインターネット２５５を介して金融機関２５６に送信する。
【０３７４】
これにより、金融機関２５６は、その課金データＤ３３に基づいて課金処理を実行し、当該課金処理結果に基づいて、送付依頼ユーザ、受付写真店４０３、引渡写真店４０５、受付店側サービスプロバイダ２５３及び引渡店側サービスプロバイダ２５４の各口座間でそれぞれ対応する金銭を電子的に移動させることによりプリント写真の送付に対して決済処理し、かくして、プリント写真の送付に対する電子商取引を成立させる。
【０３７５】
かかる構成に加えて、この写真画像商取引システム４００の場合、受付写真店４０３は、例えば、プリント写真の送付に先立ち、受付店パーソナルコンピュータ４０４により受付店サーバ２５８から対応する送付用フィルムデータＤ８５を読み出し、当該読み出した送付用フィルムデータＤ８５を受付店側サービスプロバイダ２５３及びインターネット２５５を順次介して送付依頼ユーザのパーソナルコンピュータ４０１に送信する。
【０３７６】
送付依頼ユーザのパーソナルコンピュータ４０１は、図４４に示すように、受付写真店４０３から与えられる送付用フィルムデータＤ８５に基づいて焼付条件、送付手数料等からなる送付内容を表示させる表示データ（以下、これを送付内容表示データと呼ぶ）を生成し、これをモニタ４１６に送出することにより当該モニタ４１６に送付内容表示データに基づく送付内容表示画面４１７を表示させる。
【０３７７】
そして、この送付内容表示画面４１７には、プリント写真の送付内容として、当該送付されるプリント写真の焼付状態（絵柄、構図及び画質と、フレーム飾りやメッセージ、広告等の追加加工の状態等でなる）を再現してなる各写真画像４１８がサムネイル表示され、かつ当該送付内容表示画面４１７に設けられた各種アイコン４１９により選択される、焼付条件や送付手数料等の各種情報が表示されている。
【０３７８】
これにより、送付依頼ユーザのパーソナルコンピュータ４０１は、当該送付依頼ユーザにその送付内容表示画面４１７上で、送付されるプリント写真を再現した写真画像と、当該写真画像の焼付条件等の各種条件との送付内容を容易に確認させ得るようになされている。
【０３７９】
実際上、図４５に示すように、送付依頼ユーザのパーソナルコンピュータ４０１は、受付写真店４０３（図４３）から受付店側サービスプロバイダ２５３及びインターネット２５５を順次介して送信された送付用フィルムデータＤ８５を外部のモデムやケーブル等の所定のインタフェース４２５を介してデコーダ回路４２１に取り込む。
【０３８０】
デコーダ回路４２１においては、キーボード４２２及びマウス４２３を介して表示選択命令が入力されるシステムコントローラ４２４の制御のもとに、以下に述べる処理を所定のソフトウェアで実行して送付内容表示画面４１７（図４４）の表示内容を切り換えているが、説明を明確にするために、ソフトウェアの機能ブロックに分けて説明する。
【０３８１】
すなわち、デコーダ回路４２１においては、インタフェース４２５を介して与えられる送付用フィルムデータＤ８５をフィルムデータ分離部４２６に取り込む。
【０３８２】
フィルムデータ分離部４２６は、その送付用フィルムデータＤ８５からフィルムヘッダデータＤ５２を分離すると共に、残りのデータ列から順次変換写真画像データＤ５０と、写真画像ヘッダデータＤ５１とを分離し、当該フィルムヘッダデータＤ５２をヘッダデータ分離部４２７に送出すると共に、変換写真画像データＤ５０を写真画像分離部４２８に送出し、写真画像ヘッダデータＤ５１を固有制御データ分離部４２９及び付加制御データ分離部４３０に送出する。
【０３８３】
そして、ヘッダデータ分離部４２７は、フィルムデータ分離部４２６から与えられるフィルムヘッダデータＤ５２から、これに格納されている課金情報及び写真店情報を取り出し、これらを課金情報データＤ８８及び写真店情報データＤ８９としてヘッダ画像生成部４３１に送出する。
【０３８４】
ヘッダ画像生成部４３１は、課金情報の表示を選択するための課金アイコンデータＤ９０を生成すると共に、写真店情報の表示を選択するための写真店アイコンデータＤ９１を生成し、これらを画像合成切換部４３２に送出する。
【０３８５】
これに加えて、ヘッダ画像生成部４３１は、課金情報の表示が要求されると、ヘッダデータ分離部４２７から与えられる課金情報データＤ８８に基づいてその内容を表示するための文字列及び記号等でなる課金情報画像データＤ９２を生成し、これを画像合成切換部４３２に送出すると共に、写真店情報の表示が要求されると、当該ヘッダデータ分離部４２７から与えられる写真店情報データＤ８９に基づいてその内容を表示するための文字列及び記号等でなる写真店情報画像データＤ９３を生成し、これを画像合成切換部４３２に送出する。
【０３８６】
また、写真画像分離部４２８は、フィルムデータ分離部４２６から与えられる変換写真画像データＤ５０からこれに合成されている加工画像データ及び広告画像データを分離し、これを写真画像生成部４３３及び写真画像合成部４３４に送出する。
【０３８７】
写真画像生成部４３３は、第１〜第３の焼付タイプに応じた画角の写真画像のうちのいずれかの表示が要求されると、写真画像分離部４２８から与えられる変換写真画像データＤ５０に基づいて、対応する第１〜第３の焼付タイプに応じた画角の第１〜第３の写真画像データＤ９４〜Ｄ９６を生成し、これを写真画像合成部４３４に送出する。
【０３８８】
また、写真画像合成部４３４は、全ての焼付タイプの写真画像を一括表示するように要求されると、写真画像分離部４２８から与えられる変換写真画像データＤ５０に基づいて、第１の焼付タイプに応じた画角を有し、かつ第２及び第３の焼付タイプに応じた画角を示すラインを合成した一括写真画像データＤ９７を生成し、これを画像合成切換部４３２に送出し、第１〜第３の焼付タイプに応じた画角の写真画像のうちのいずれかの表示が要求されると、写真画像生成部４３３から与えられる対応する第１〜第３の写真画像データＤ９４〜Ｄ９６を画像合成切換部４３２に送出する。
【０３８９】
因みに、写真画像合成部４３４は、加工トリミング表示が要求されると、後述する付加データ生成部４３５から与えられるフレーム飾り及び又はメッセージの加工画像データＤ９８及び広告の広告画像データＤ９９を、対応する一括写真画像データＤ９７又は第１〜第３の写真画像データＤ９４〜Ｄ９６と共に画像合成切換部４３２に送出する。
【０３９０】
これに加えて、写真画像合成部４３４は、一括写真画像データＤ９７と、第１〜第３の写真画像データＤ９４〜Ｄ９６とに基づく写真画像の表示を選択するための表示アイコンデータＤ１００と、加工トリミング表示を選択するための加工表示アイコンデータＤ１０１とを生成し、これらも画像合成切換部４３２に送出する。
【０３９１】
一方、固有制御データ分離部４２９は、フィルムデータ分離部４２６から与えられる写真画像ヘッダデータＤ５１から固有制御データＤ１０２を分離し、これを固有制御画像生成部４３６に送出する。
【０３９２】
そして、固有制御画像生成部４３６は、固有制御データＤ１０２の表示を選択するための固有アイコンデータＤ１０３を生成し、これを画像合成切換部４３２に送出すると共に、固有制御データＤ１０２の表示が要求されると、固有制御データ分離部４２９から与えられる固有制御データＤ１０２に基づいてその内容を表示するための文字列及び記号等でなる固有制御画像データＤ１０４を生成し、これを画像合成切換部４３２に送出する。
【０３９３】
これに加えて、固有制御画像生成部４３６は、焼付タイプ及び焼付枚数等の情報（以下、これらをまとめて注文情報と呼ぶ）の表示を選択するための注文アイコンデータＤ１０５を生成し、これを画像合成切換部４３２に送出すると共に、当該注文情報の表示が要求されると、固有制御データＤ１０２に格納されている注文情報に基づいて、その内容を表示するための文字列及び記号等でなる注文情報画像データＤ１０６を生成し、これを画像合成切換部４３２に送出する。
【０３９４】
また、付加制御データ分離部４３０は、フィルムデータ分離部４２６から与えられる写真画像ヘッダデータＤ５１から付加制御データＤ１０７を分離し、これを付加制御画像生成部４３７及び付加データ生成部４３５に送出する。
【０３９５】
付加制御画像生成部４３７は、付加制御データＤ１０７の表示を選択するための付加アイコンデータＤ１０８を生成し、これを画像合成切換部４３２に送出すると共に、付加制御データＤ１０７の表示が要求されると、付加制御データ分離部４３０から与えられる付加制御データＤ１０７に基づいてその内容を表示するための文字列及び記号等でなる付加制御画像データＤ１０９を生成し、これを画像合成切換部４３２に送出する。
【０３９６】
付加データ生成部４３５は、加工トリミング表示が要求されると、付加制御データＤ１０７に格納されているフレーム飾りデータ及びメッセージデータに基づいて、対応する変換写真画像データＤ５０に合成されていたフレーム飾り及びメッセージの加工画像データＤ９８を生成すると共に、当該付加制御データＤ１０７に格納されている広告データに基づいて、対応する変換写真画像データＤ５０に合成されていた広告の広告画像データＤ９９を生成し、これらを写真画像合成部４３４に送出する。
【０３９７】
そして、画像合成切換部４３２は、システムコントローラ４２４に表示選択命令が入力される毎にその表示選択命令に応じてヘッダ画像生成部４３１、写真画像合成部４３４、固有制御画像生成部４３６及び付加制御画像生成部４３７から与えられる上述した各種データを合成し、得られた合成画像データＤ１１１を画像表示回路４３８を送出する。
【０３９８】
これにより、画像表示回路４３８は、デコーダ回路４２１から与えられる合成画像データＤ１１１に基づいて、送付内容表示データＤ１１２を生成し、これをモニタ４１６に送出するこことにより、当該モニタ４１６に、送付内容表示データＤ１１２に基づく送付内容表示画面４１７（図４４）を表示させる。
【０３９９】
因みに、受付写真店４０３（図４３）においては、変換写真画像データＤ５０単位のスクランブル処理とは別に、送付用フィルムデータＤ８５全体に対してスクランブル処理を施して送信することにより、その秘匿性を高めるようにする場合がある。
【０４００】
そして、受付写真店４０３においては、送付依頼ユーザのパーソナルコンピュータ４０１にそのスクランブル処理した送付用フィルムデータＤ８５を送信するときには、当該送付依頼ユーザのパーソナルコンピュータ４０１にスクランブル処理した送付用フィルムデータＤ８５と共に、又は別々のタイミングで鍵データＤ１１３を含む送信データＤ１１４を送信すると共に、この送信データＤ１１４とは別に鍵データＤ１１３を送付依頼ユーザに対して提供する。
【０４０１】
従って、送付依頼ユーザのパーソナルコンピュータ４０１（図４５）は、受付写真店４０３からそのスクランブル処理された送付用フィルムデータＤ８５が送信されたときには、当該送付用フィルムデータＤ８５と共に、又は別々に送信される送信データＤ１１４をインタフェース４２５を介してデコーダ回路４２１のフィルムデータ分離部４２６に取り込み、当該取り込んだ送信データＤ１１４を鍵データ抽出部４３９に送出する。
【０４０２】
また、送付依頼ユーザのパーソナルコンピュータ４０１においては、受付写真店４０３から鍵データＤ１１３（例えばコード化されたデータである）の提供された送付依頼ユーザによりキーボード４２２を介してその鍵データＤ１１３が入力され、当該入力された鍵データＤ１１３をシステムコントローラ４２４から鍵データ抽出部４３９に送出する。
【０４０３】
そして、鍵データ抽出部４３９は、フィルムデータ分離部４２６から与えられる送信データＤ１１４から鍵データＤ１１３（例えばコード化されたデータである）を抽出するものの、当該抽出した鍵データＤ１１３を、システムコントローラ４２４から与えられる鍵データＤ１１３と比較し、互いに一致したときのみその鍵データＤ１１３をヘッダデータ分離部４２７、写真画像分離部４２８、固有制御データ分離部４２９及び付加制御データ分離部４３０に送出する。
【０４０４】
これにより、ヘッダデータ分離部４２７、写真画像分離部４２８、固有制御データ分離部４２９及び付加制御データ分離部４３０は、それぞれ対応するフィルムヘッダデータＤ５２、変換写真画像データＤ５０、固有制御データＤ１０２及び付加制御データＤ１０７に対して鍵データＤ１１３に基づいてデスクランブル処理を施す。
【０４０５】
また、受付写真店４０３においては、送付用フィルムデータＤ８５の変換写真画像データＤ５０のみにスクランブル処理を施したときでも、同様にして送付依頼ユーザのパーソナルコンピュータ４０１にそのスクランブルを解かせることができる。
【０４０６】
かくして、受付写真店４０３においては、送付用フィルムデータＤ８５及び鍵データＤ１１３を誤って送信したときでも、その送付用フィルムデータＤ８５に基づいて写真画像が不当に利用されることを防止することができ、送付依頼ユーザにのみ送付内容表示画面４１７を見せることができるようになされている。
【０４０７】
ここで実際上、図４６に示すように、送付内容表示画面４１７においては、送付の依頼されたプリント写真の写真画像４１８がサムネイル表示されると共に、表示アイコンデータＤ１００（図４５）に基づく写真画像一括表示用アイコン４１９Ａ、写真画像Ｈ表示用アイコン４１９Ｂ、写真画像Ｐ表示用アイコン４１９Ｃ及び写真画像Ｃ表示用アイコン４１９Ｄと、固有アイコンデータＤ１０３に基づく固有制御データ表示用アイコン４１９Ｅと、付加アイコンデータＤ１０８に基づく付加制御データ表示用アイコン４１９Ｆと、加工表示アイコンデータＤ１０１に基づく加工トリミング表示用アイコン４１９Ｇと、注文アイコンデータＤ１０５に基づく注文番号表示用アイコン４１９Ｈと、写真店アイコンデータＤ９１に基づく写真店情報表示用アイコン４１９Ｉと、課金アイコンデータＤ９０に基づく課金情報表示用アイコン４１９Ｊとが表示されている。
【０４０８】
そして、モニタ４１６（図４５）に表示させた送付内容表示画面４１７においては、マウス４２３（図４５）の操作に応じて各アイコン上にマウスカーソル（図示せず）が移動してクリック操作されると、そのクリック操作に応じてデコーダ回路４２１が上述した一連の処理を実行することにより、当該クリック操作によって選択されたアイコンを、色等で選択されたことを示す表示に変えると共に、そのアイコンに対応する情報を表示させるようにして表示内容の切り換えが行われる。
【０４０９】
すなわち、デコーダ回路４２１は、モニタ４１６に送付内容表示画面４１７（図４６）を表示させたとき、マウス４２３の操作で写真画像一括表示用アイコン４１９Ａが選択されると、画面内の全ての写真画像４１８の画角をそれぞれ対応する一括写真画像データＤ９７に基づき第２及び第３の焼付タイプに応じた画角を示すラインＰ１及びＣ１が合成された第１の焼付タイプの画角に変更する。
【０４１０】
また、デコーダ回路４２１は、図４７及び図４８に示すように、マウス４２３の操作で写真画像Ｃ表示用アイコン４１９Ｄが選択されると、画面内の全ての写真画像４４５の画角をそれぞれ対応する第３の写真画像データＤ９６に基づく第３の焼付タイプの画角に変更する。
【０４１１】
因みに、デコーダ回路４２１は、マウス４２３の操作で写真画像Ｈ表示用アイコン４１９Ｂが選択されると、画面内の全ての写真画像の画角をそれぞれ対応する第１の写真画像データＤ９４に基づく第１の焼付タイプの画角に変更し（図示せず）、また、写真画像Ｐ表示用アイコン４１９Ｃが選択されると、画面内の全ての写真画像４４６の画角をそれぞれ対応する第２の写真画像データＤ９５に基づく第２の焼付タイプの画角に変更する。
【０４１２】
そして、デコーダ回路４２１は、マウス４２３の操作で固有制御データ表示用アイコン４１９Ｅが選択されると、各写真画像４４５及び４４６の下側の固有制御データ表示領域４４７にそれぞれ対応する固有制御画像データＤ１０４に基づき固有制御データの内容（焼付条件等）を表示させると共に、付加制御データ表示用アイコン４１９Ｆが選択されると、各写真画像４４５及び４４６の下側の付加制御データ表示領域４４８に付加制御画像データＤ１０９に基づき付加制御データの内容（追加加工内容）を表示させる。
【０４１３】
また、デコーダ回路４２１は、マウス４２３の操作で注文番号表示用アイコン４１９Ｈが選択されると、各写真画像４４５及び４４６の下側の注文番号表示領域４４９に注文情報画像データＤ１０６に基づき注文情報（焼付タイプ及び焼付枚数）の内容を表示させると共に、課金情報表示用アイコン４１９Ｊが選択されると、各写真画像４４５及び４４６の下側の課金情報表示領域４５０に課金情報画像データＤ９２に基づき課金情報の内容を表示させる。
【０４１４】
さらに、デコーダ回路４２１は、マウス４２３の操作で加工トリミング表示用アイコン４１９Ｇが選択されると、そのとき表示させている画角で、対応する写真画像４４６に加工画像データＤ９８に基づくフレーム飾り４５１及びメッセージ４５２を重ねて表示させると共に、対応する写真画像４４６に広告画像データＤ９９に基づく広告（図示せず）を重ねて表示させる。
【０４１５】
これに加えて、デコーダ回路４２１は、マウス４２３の操作で写真店情報表示用アイコン４１９Ｉが選択されると、写真店情報表示領域４５３に写真店情報画像データＤ９３に基づき写真店情報の内容を表示させる。
【０４１６】
実際上、デコーダ回路４２１は、受付写真店４０３から送信された送付用フィルムデータＤ８５をインタフェース４２５を介して取り込むと、図４９に示す送付内容表示画面４１７の表示処理手順ＲＴ１にステップＳＰ１から入り、続くステップＳＰ２〜ステップＳＰ５において、送付用フィルムデータＤ８５からフィルムヘッダデータＤ５２と、変換写真画像データＤ５０と、写真画像ヘッダデータＤ５１とを分離すると共に、当該写真画像ヘッダデータＤ５１から固有制御データＤ１０２と、付加制御データＤ１０７とを分離し、以下、フィルムヘッダデータＤ５２を用いる処理と、変換写真画像データＤ５０を用いる処理と、固有制御データＤ１０２を用いる処理と、付加制御データＤ１０７を用いる処理とを同時並列的に実行する。
【０４１７】
すなわち、デコーダ回路４２１は、ステップＳＰ２において、送付用フィルムデータＤ８５からフィルムヘッダデータＤ５２を分離すると、続くステップＳＰ６に進んでフィルムヘッダデータＤ５２に課金情報及び写真店情報が格納されているか否かを判断し、当該フィルムヘッダデータＤ５２に課金情報及び写真店情報が格納されていなければ、ステップＳＰ７に進んで、その格納されていない情報に対する課金情報画像データＤ９２及び写真店情報画像データＤ９３の生成を取り止める。
【０４１８】
また、このステップＳＰ６において、デコーダ回路４２１は、フィルムヘッダデータＤ５２に課金情報及び写真店情報が格納されていると、当該格納されている課金情報及び写真店情報の表示の要求を待ち受け、当該表示が要求されるまでは、ステップＳＰ７に進んで、課金情報及び写真店情報に基づく課金情報画像データＤ９２及び写真店情報画像データＤ９３を生成しないようにする。
【０４１９】
そして、ステップＳＰ６において、デコーダ回路４２１は、課金情報及び写真店情報の表示が要求されると、ステップＳＰ８に進んで、課金情報及び写真店情報に基づく課金情報画像データＤ９２及び写真店情報画像データＤ９３を生成してステップＳＰ９に進む。
【０４２０】
また、デコーダ回路４２１は、ステップＳＰ３において、送付用フィルムデータＤ８５から変換写真画像データＤ５０を分離すると、続くステップＳＰ１０に進んで、各変換写真画像データＤ５０に基づく写真画像の表示がそれぞれ可能か否かを判断する。
【０４２１】
このステップＳＰ１０において、否定結果を得ることは、マスキング処理が施されている変換写真画像データＤ５０と、スクランブル処理が施され、かつそのスクランブル処理を解く（デスクランブル処理する）ための鍵データＤ１１３が供給されていない変換写真画像データＤ５０とが存在し、これら変換写真画像データＤ５０に基づく写真画像の絵柄が全く又ははっきりと見えないこと意味し、このとき、デコーダ回路４２１は、これら対応する変換写真画像データＤ５０の処理に対してのみステップＳＰ７に進んで、その写真画像の表示を取り止める。
【０４２２】
また、このステップＳＰ１０において、肯定結果を得ることは、マスキング処理が施されていない変換写真画像データＤ５０と、スクランブル処理が施されているものの、そのスクランブル処理を解く（デスクランブル処理する）ための鍵データＤ１１３が供給された変換写真画像データＤ５０とが存在し、これら変換写真画像データ（以下、これを特に表示可能写真画像データと呼ぶ）Ｄ５０に基づく写真画像の表示が可能なことを意味し、このとき、デコーダ回路４２１は、表示可能写真画像データＤ５０からこれに合成されている加工画像データ及び広告画像データを分離した後、ステップＳＰ１１及びステップＳＰ１２に同時に進み、当該ステップＳＰ１１において、写真画像の一括表示が要求されることを待ち受け、また、ステップＳＰ１２において、第１〜第３の焼付タイプに応じた画角の写真画像のうちのいずれかの表示が要求されることを待ち受ける。
【０４２３】
ここで、デコーダ回路４２１は、ステップＳＰ１１において、写真画像の一括表示が要求されることを待ち受け、当該写真画像の一括表示が要求されるまではステップＳＰ７に進んで表示可能写真画像データＤ５０に基づく一括写真画像データＤ９７を生成しないようにする。
【０４２４】
そして、デコーダ回路４２１は、そのステップＳＰ１１において、写真画像の一括表示が要求されると、ステップＳＰ１３に進んで、表示可能写真画像データＤ５０に基づく一括写真画像データＤ９７を生成してステップＳＰ９に進む。
【０４２５】
また、デコーダ回路４２１は、ステップＳＰ１２において、第１〜第３の焼付タイプに応じた画角の写真画像のうちのいずれかの表示が要求されると、表示可能写真画像データＤ５０に基づいて、対応する第１〜第３の焼付タイプに応じた画角の第１〜第３の写真画像データＤ９４〜Ｄ９６を生成してステップＳＰ９に進む。
【０４２６】
ところで、デコーダ回路４２１は、このようにステップＳＰ１１又はステップＳＰ１２のいずれか一方にかかる処理を実行しているときには、ステップＳＰ１４において、同時並列的に加工トリミング表示が要求されることを待ち受け、当該表示が要求されるまでは、ステップＳＰ７に進んで、加工画像データＤ９８及び広告画像データＤ９９を生成しないようにする。
【０４２７】
そして、デコーダ回路４２１は、このステップＳＰ１４において、加工トリミング表示が要求されると、続くステップＳＰ１５に進んで、付加制御データＤ１０７に格納されているフレーム飾りデータ及び又はメッセージデータに基づいて加工画像データＤ９８を生成すると共に、当該付加制御データＤ１０７に格納されている広告データに基づいて広告画像データＤ９９を生成してステップＳＰ９に進む。
【０４２８】
一方、デコーダ回路４２１は、ステップＳＰ４において、写真画像ヘッダデータＤ５１から固有制御データＤ１０２を分離すると、続くステップＳＰ１６に進んで、固有制御データＤ１０２に注文情報が格納されているか否かを判断し、当該注文情報が格納されていなければ、ステップＳＰ７に進んで注文情報画像データＤ１０６の生成を取り止める。
【０４２９】
これに対して、このステップＳＰ１６において、デコーダ回路４２１は、固有制御データＤ１０２に注文情報が格納されていると、固有制御データＤ１０２の表示の要求と共に、その注文情報の表示の要求も待ち受け、これら注文情報と、固有制御データＤ１０２との表示が要求されるまでは、ステップＳＰ７に進んで、注文情報画像データＤ１０６と、固有制御画像データＤ１０４とを生成しないようにする。
【０４３０】
そして、ステップＳＰ１６において、デコーダ回路４２１は、注文情報と、固有制御データＤ１０２との表示が要求されると、続くステップＳＰ１７に進んで、注文情報に基づく注文情報画像データＤ１０６と、固有制御データＤ１０２に基づく固有制御画像データＤ１０４とを生成してステップＳＰ９に進む。
【０４３１】
また、デコーダ回路４２１は、ステップＳＰ５において、写真画像ヘッダデータＤ５１から付加制御データＤ１０７を分離すると、続くステップＳＰ１８に進んで、付加制御データＤ１０７に追加加工情報が格納されているか否かを判断し、当該追加加工情報が格納されていなければ、ステップＳＰ７に進んで、付加制御画像データＤ１０９の生成を取り止める。
【０４３２】
これに対して、このステップＳＰ１６において、デコーダ回路４２１は、付加制御データＤ１０７に追加加工情報が格納されていると、付加制御データＤ１０７の表示の要求を待ち受け、当該付加制御データＤ１０７の表示が要求されるまでは、ステップＳＰ７に進んで、付加制御画像データＤ１０９を生成しないようにする。
【０４３３】
そして、ステップＳＰ１８において、デコーダ回路４２１は、付加制御データＤ１０７の表示が要求されると、続くステップＳＰ１９に進んで、付加制御データＤ１０７に基づいて付加制御画像データＤ１０９を生成してステップＳＰ９に進む。
【０４３４】
かくして、デコーダ回路４２１は、以上のように、フィルムヘッダデータＤ５２を用いる処理と、変換写真画像データＤ５０を用いる処理と、固有制御データＤ１０２を用いる処理と、付加制御データＤ１０７を用いる処理とを同時並列的に実行して、それぞれ各種画像データを生成すると、ステップＳＰ９において、その各種画像データを合成し、かくして合成画像データＤ１１１を生成する。
【０４３５】
因みに、デコーダ回路４２１は、フィルムヘッダデータＤ５２を用いる処理と、変換写真画像データＤ５０を用いる処理と、固有制御データＤ１０２を用いる処理と、付加制御データＤ１０７を用いる処理とを同時並列的に実行しているとき、それぞれ対応する処理において、課金アイコンデータＤ９０、写真店アイコンデータＤ９１、表示アイコンデータＤ１００、加工表示アイコンデータＤ１０１、固有アイコンデータＤ１０３、付加アイコンデータＤ１０８、注文アイコンデータＤ１０５とをそれぞれ生成し、これらアイコンデータも合成画像データＤ１１１に加えるようにする。
【０４３６】
かくして、送付依頼ユーザのパーソナルコンピュータ４０１（図４３）においては、事前に、モニタ４１６に表示させた送付内容表示画面４１７上で、実際に送付されるプリント写真の焼付状態を再現して目視確認させることができると共に、当該プリント写真の焼付条件、送付形態、送付手数料等の各種情報を確認させることができるようになされている。
【０４３７】
また、このパーソナルコンピュータ４０１においては、このような送付内容表示画面４１７上でのプリント写真の送付内容の確認の結果、送付依頼ユーザにより送付内容の変更が指示されたときには、その変更内容を受付写真店４０３に通知し、これにより、送付内容の変更に応じて送付用フィルムデータＤ８５に変更を加えさせることができるようになされている。
【０４３８】
そして、受付写真店４０３においては、このように送付内容の確認の結果、送付用フィルムデータＤ８５の送付内容に変更を加えることができるようにしているため、送付内容表示画面４１７を送付内容の確認のみならず、送付内容の設定用としても用いることができ、かくして、送付内容の設定時、送付依頼ユーザに受付写真店４０３まで出向かせなくても、自宅に居ながらにして送付内容を設定させることができる。
【０４３９】
これに加えて、この写真画像商取引システム４００（図４３）においては、送付依頼ユーザの所有するパーソナルコンピュータ４０１に設けられた送付内容表示画面４１７の表示機能が、写真受取ユーザの所有するパーソナルコンピュータ４０２と、受付店パーソナルコンピュータ４０４及び引渡店パーソナルコンピュータ４０６にも設けられている。
【０４４０】
従って、受付写真店４０３においては、送付依頼ユーザの来店の際に、受付店パーソナルコンピュータ４０４により送付内容表示画面４１７をモニタに表示させることにより、当該送付依頼ユーザによって送付の依頼されたプリント写真を実際に焼付処理してみなくても、その送付内容から焼付状態を容易に確認させ得ると共に、確認の結果、送付内容に変更が生じても、その場で容易に処理することができ、かくして、送付内容を迅速かつ確実に再現及び確認させ得るようになされている。
【０４４１】
また、写真画像商取引システム４００においては、写真受取ユーザの所有するパーソナルコンピュータ４０２や、引渡写真店４０５の引渡店パーソナルコンピュータ４０６においても送付内容表示画面４１７をモニタに表示させることができるため、写真受取ユーザ及び引渡写真店４０５においても、事前に送付されるプリント写真の絵柄や構図、画質等と共に、フレーム飾りやメッセージ又は広告の合成状態等を目視確認させることができると共に、当該プリント写真の焼付条件等も確認させることができる。
【０４４２】
そして、写真画像商取引システム４００においては、写真受取ユーザ及び引渡写真店４０５において、事前にプリント写真の送付内容を確認したとき、送付依頼ユーザの許可が得られれば、写真受取ユーザ及び引渡写真店４０５から送付内容に変更（写真画像の焼付タイプや焼付枚数の変更、また、合成するフレーム飾りやメッセージの有無及び変更等）を加えることもできる。
【０４４３】
また、かかる写真画像商取引システム４００においては、プリント写真の送付後に、写真受取ユーザの所有するパーソナルコンピュータ４０２や、引渡写真店４０５の引渡店パーソナルコンピュータ４０６により送付内容表示画面４１７をモニタに表示させれば、送付されたプリント写真が正しいものであるか（送信途中で改竄されていないか）を確認させることもでき、プリント写真の送付をより確実なものにし得るようになされている。
【０４４４】
以上の構成において、この写真画像商取引システム４００では、受付写真店４０３により、プリント写真の送付依頼に応じてＡＰＳネガフィルム１Ａの写真画像から変換写真画像データＤ５０を生成すると共に、当該ＡＰＳネガフィルム１Ａに記録されているユーザデータＤ４と、送付依頼ユーザ及び又は受付写真店４０３において指定した焼付条件等とに基づく固有制御データＤ１０２を生成し、当該変換写真画像データＤ５０及び固有制御データＤ１０２を有する送付用フィルムデータＤ８５を生成する。
【０４４５】
そして、受付写真店４０３では、必要に応じて、受付店パーソナルコンピュータ４０４によりモニタに送付用フィルムデータＤ８５に基づいて送付内容表示画面４１７を表示させ、当該送付内容表示画面４１７によりプリント写真の送付内容を確認すると共に、当該受付店パーソナルコンピュータ４０４から送付用フィルムデータＤ８５をネットワークを介して送付依頼ユーザのパーソナルコンピュータ４０１、写真受取ユーザのパーソナルコンピュータ４０２及び又は引渡写真店４０５の引渡店パーソナルコンピュータ４０６に送信するようにして、これら送付依頼ユーザのパーソナルコンピュータ４０１、写真受取ユーザのパーソナルコンピュータ４０２及び又は引渡店パーソナルコンピュータ４０６でも、モニタ４１６に送付用フィルムデータＤ８５に基づいて送付内容表示画面４１７を表示させ、当該送付内容表示画面４１７によってプリント写真の送付内容を確認させるようにする。
【０４４６】
従って、写真画像商取引システム４００では、プリント写真の送付に先立ち、そのプリント写真を実際に焼き付けることなく、受付写真店４０３、引渡写真店４０５、送付依頼ユーザ及び写真受取ユーザに対してそれぞれ送付内容表示画面４１７上でプリント写真を再現してその送付内容を確認させることができ、かくして、プリント写真の送付内容を迅速かつ確実に確認させることができる。
【０４４７】
以上の構成によれば、受付写真店４０３により、送付の依頼されたＡＰＳネガフィルム１Ａの写真画像の変換写真画像データＤ５０に、当該ＡＰＳネガフィルム１Ａから再生したユーザデータＤ４及び受付写真店４０３側で指定した焼付条件からなる固有制御データＤ１０２を付加して送付用フィルムデータＤ８５を生成し、送付依頼ユーザのパーソナルコンピュータ４０１、写真受取ユーザのパーソナルコンピュータ４０２、受付店パーソナルコンピュータ４０４及び又は引渡店パーソナルコンピュータ４０６によりモニタ４１６に表示させた送付用フィルムデータＤ８５に基づく送付内容表示画面４１７上で、送付するプリント写真の送付内容を確認させるようにしたことにより、第１及び第２の実施の形態により得られる効果に加えて、送付するプリント写真を実際に焼付なくても、送付内容表示画面４１７上でそのプリント写真を再現して送付内容を迅速かつ確実に確認することができ、かくして、プリント写真の送付を容易にし得る写真画像商取引システムを実現することができる。
【０４４８】
（８）第５の実施の形態
図５０は、第５の実施の形態による写真画像商取引システム５００を示し、データ配信業者の所有するデータ配信センタ５０１に地上の専用回線５０２を介して、課金業者の所有するノード局５０３が接続され、当該ノード局５０３に地上の専用回線５０４、５０５及び５０６を介して写真店５０７、５０８及び銀行５０９が接続されると共に、電話回線５１０又はケーブルテレビ用等の地上の専用回線５１１を介してユーザの家５１２〜５１４が接続されて構成されている。
【０４４９】
そして、この写真画像商取引システム５００においては、データ配信センタ５０１から衛星放送用アンテナ５１５を介して放送衛星５１６に向けて送信された送信データＤ１５０を、写真店５０７、５０８及びユーザの家５１２〜５１４に設けられた後述する衛星放送受信装置によりそれぞれ対応する衛星放送用アンテナ５１７〜５２０を介して受信し得るようになされている。
【０４５０】
データ配信センタ５０１においては、編成局５３０により複数チャンネル分の番組編成を行い、得られる番組編成リストを地上の専用回線５３１を介して映像制作局５３２、音楽制作局５３３及び配信局５３４に供給している。
【０４５１】
映像制作局５３２は、編成局５３０から与えられる番組編成リストに基づいて割り当てられた番組用として、映画等の配信対象の映像コンテンツから映像配信データＤ１５１を生成し、当該生成した映像配信データＤ１５１に複製制限情報、課金情報、カテゴリーコード、及び視聴の年齢制限を示すペアレントコード等の各種情報を付加して専用回線５３１を介して編成局５３０に送出する。
【０４５２】
また、音楽制作局５３３は、編成局５３０から与えられる番組編成リストに基づいて割り当てられた番組用として、ミュージシャンの歌又は演奏する音楽等の配信対象の音楽コンテンツから音楽配信データＤ１５２を生成し、当該生成した音楽配信データＤ１５２に複製制限情報、課金情報及びカテゴリーコード等の各種情報を付加して専用回線５３１を介して編成局５３０に送出する。
【０４５３】
さらに、配信局５３４は、これに接続されたサーバ５３５にテレビジョン放送局（図示せず）で制作された映像データ及び音声データでなる各種番組データＤ１５３を格納しており、編成局５３０から番組編成リストが与えられると、サーバ５３５から番組編成リストに基づいて指定された番組の番組データＤ１５３を読み出し、これを専用回線５３１を介して編成局５３０に送出する。
【０４５４】
編成局５３０は、番組編成リストに基づいて、チャンネル毎の放送内容を紹介する番組表等からなる番組情報データを生成しており、映像制作局５３２、音楽制作局５３３及び配信局５３４から映像配信データＤ１５１、音楽配信データＤ１５２及び番組データＤ１５３が与えられると、番組編成リストに基づいて、チャンネル毎の映像配信データＤ１５１、音楽配信データＤ１５２及び番組データＤ１５３と、番組情報データとから放送配信データＤ１５４を生成し、当該生成した複数チャンネル分の放送配信データＤ１５４をデータ送出局５３６に送出する。
【０４５５】
データ送出局５３６は、図５１に示すように、編成局５３０から与えられる放送配信データＤ１５４（映像配信データＤ１５１、音楽配信データＤ１５２、番組データＤ１５３及び番組情報データＤ１５５）をチャンネル毎にマルチプレクサ５４０に取り込む。
【０４５６】
マルチプレクサ５４０は、編成局５３０から与えられる放送配信データＤ１５４の映像配信データＤ１５１、音楽配信データＤ１５２、番組データＤ１５３及び番組情報データＤ１５５をそれぞれ例えばＭＰＥＧ（Moving Picture Experts Group）方式により圧縮符号化して順次所定単位毎にパケット化し、得られたパケットデータを時分割多重化し、かくして得られた多重化データＤ１５７をランダム化回路５４１に送出する。
【０４５７】
ランダム化回路５４１は、マルチプレクサ５４０から与えられる多重化データＤ１５７に対してこれを構成するパケットデータの並びをランダムに変えるランダム化処理を施し、得られたランダム化データＤ１５８を誤り訂正付加回路５４２に送出する。
【０４５８】
誤り訂正付加回路５４２は、ランダム化回路５４１から与えられるランダム化データＤ１５８から誤り訂正データを生成し、これをランダム化データＤ１５８に付加することにより、得られた誤り訂正付加データＤ１５９をインターリーブ回路５４３に送出する。
【０４５９】
インターリーブ回路５４３は、誤り訂正付加回路５４２から与えられる誤り訂正付加データＤ１５９に対してインターリーブ処理を施し、得られたインターリーブデータＤ１６０を変調回路５４５に送出する。
【０４６０】
これにより、変調回路５４５は、インターリーブ回路５４３から与えられるインターリーブデータＤ１６０を例えばＱＰＳＫ（Quadrature Phase Shift Keying ）方式により変調し、得られた送信データＤ１５０をデータ送出局５３６の出力として衛星放送用アンテナ５１５から放送衛星５１６に向けて送信する。
【０４６１】
そして、データ配信センタ５０１（図５０）から放送衛星５１６に向けて送信された送信データＤ１５０は、衛星放送用アンテナ５１９及び５２０を介して各家５１２〜５１４の衛星放送受信装置によって受信される。
【０４６２】
図５２に示すように、衛星放送受信装置５５０は、衛星放送受信機５５１と、複数のハードディスクが内蔵されたホームサーバ５５２とから構成され、放送衛星５１６を介して送信された送信データＤ１５０を衛星放送用アンテナ５１９及び５２０を介して衛星放送受信機５５１の復調回路５５５によって受信する。
【０４６３】
復調回路５５５は、衛星放送用アンテナ５１９及び５２０を介して受信した送信データＤ１５０をＱＰＳＫ方式により復調し、得られたインターリーブデータＤ１６０をデインターリーブ回路５５６に送出する。
【０４６４】
デインターリーブ回路５５６は、復調回路５５５から与えられるインターリーブデータＤ１６０に対してデインターリーブ処理を施し、得られた誤り訂正付加データＤ１５９を誤り訂正回路５５７に送出する。
【０４６５】
誤り訂正回路５５７は、デインターリーブ回路５５６から与えられる誤り訂正付加データＤ１５９から誤り訂正データを分離し、当該分離した誤り訂正データに基づいてランダム化データＤ１５８に対する誤り訂正処理を施し、この結果、誤りの訂正されたランダム化データＤ１５８をランダム化回路５５８に送出する。
【０４６６】
ランダム化回路５５８は、誤り訂正回路５５７から与えられるランダム化データＤ１５８に対してこれを構成するパケットデータの並びを元の並びに戻すようにランダム化処理を施し、得られた多重化データＤ１５７をデマルチプレクサ５５９に送出する。
【０４６７】
デマルチプレクサ５５９は、ランダム化回路５５８から与えられる多重化データＤ１５７を映像配信データＤ１５１と、音楽配信データＤ１５２と、番組データＤ１５３と、番組情報データＤ１５５とのパケットデータに分離し、当該分離したパケットデータを順次対応する復号化処理し、得られた映像配信データＤ１５１、音楽配信データＤ１５２、番組データＤ１５３及び番組情報データＤ１５５からなる放送配信データＤ１５４をホームサーバ５５２に送出し、かくして、ホームサーバ５５２にデータ配信センタ５０１から送信された複数チャンネル分の放送配信データＤ１５４を格納させる。
【０４６８】
ホームサーバ５５２は、ユーザの操作に応じて、各ハードディスクからこれらに格納している放送配信データＤ１５４の番組情報データＤ１５５を読み出してこれをモニタ５６５に送出することにより、当該モニタ５６５に番組情報データＤ１５５に基づく番組表を表示させ、かくしてその番組表によりユーザに所望する番組を選択させ得るようになされている。
【０４６９】
そして、ホームサーバ５５２は、モニタ５６５に番組表を表示させた状態において、ユーザにより所望する番組の視聴が選択指定されると、内部のハードディスクから対応する番組データＤ１５３を読み出してモニタ５６５に送出し、これにより、ユーザに所望する番組を視聴させ得るようになされている。
【０４７０】
また、ホームサーバ５５２は、モニタ５６５に番組表を表示させた状態において、ユーザにより所望する映像コンテンツの購入が指定されると、内部のハードディスクから対応する映像配信データＤ１５１を読み出してモニタ５６５に送出することにより、ユーザに所望する映像コンテンツを視聴させ得るようになされている。
【０４７１】
さらに、ホームサーバ５５２は、ＩＣ（Integrated Circuit）カードやメモリカード（図示せず）用のインタフェースでなるカードスロット５２２Ａが設けられており、当該カードスロット５２２ＡにＩＣカード又はメモリカードが装填された状態で、モニタ５６５上の番組表を介してユーザにより所望する音楽コンテンツの購入が指定されると、内部のハードディスクから対応する音楽配信データＤ１５２を読み出し、これをカードスロット５２２Ａを介してＩＣカード又はメモリカードに記録する。
【０４７２】
これにより、ユーザは、ＩＣカード又はメモリカードを用いる携帯型音楽再生装置（図示せず）を用いて音楽コンテンツを楽しむことができるようになされている。
【０４７３】
これに加えて、ホームサーバ５５２は、ユーザにより映像コンテンツ及び音楽コンテンツの購入が指定されたときには、その映像配信データＤ１５１及び音楽配信データＤ１５２に付加されている課金情報を取り出し、当該取り出した課金情報をユーザに予め割り当てられているＩＤ（以下、これをユーザＩＤと呼ぶ）と共に課金データＤ１６５として、当該ホームサーバ５５２に接続されている電話回線５１０又は専用回線５１１を介してノード局５０３に送出する。
【０４７４】
ノード局５０３（図５０）は、ユーザの衛星放送受信装置５５０から与えられる課金データＤ１６５に基づいて課金処理し、得られた課金処理結果を当該課金データＤ１６５に付加されていたユーザＩＤと共に銀行５０９に送出する。
【０４７５】
これにより、銀行５０９は、ノード局５０３から与えられる課金処理結果及びユーザＩＤに基づいて、例えば、映像コンテンツ及び音楽コンテンツを購入したユーザの口座からデータ配信センタ５０１の取引口座に購入代金を移すようにして決済処理する。
【０４７６】
かくして、データ配信センタ５０１は、このように、複数のユーザに対して番組データＤ１５５と共に、映像配信データＤ１５１や音楽配信データＤ１５２を配信し得ると共に、その配信に応じて映像コンテンツ及び音楽コンテンツが購入されると、電子的に決済処理して当該コンテンツの購入に対する電子商取引を成立させ得るようになされている。
【０４７７】
因みに、データ配信センタ５０１は、このような映像コンテンツ及び音楽コンテンツの配信の際に、衛星放送の経路又は地上の専用回線の経路を利用してユーザに対するサービスの内容を検査したり、また、衛星放送受信装置５５０のオペレーティングシステムの更新等も行い得るようになされている。
【０４７８】
かかる構成に加えて、この写真画像商取引システム５００の場合、図５３に示すように、写真店５０７及び５０８においては、図５２について上述した衛星放送受信装置５５０と、専用回線５０４及び５０５に接続されたパーソナルコンピュータ５７０と、写真画像焼付装置５７１とから構成されている。
【０４７９】
この写真店５０７及び５０８においては、ユーザによりＡＰＳフィルムの収納されたフィルムカートリッジ（図示せず）が持ち込まれ、当該ＡＰＳフィルムに露出形成されている写真画像の焼き付けが依頼されると、そのＡＰＳフィルムを現像処理した後、得られたＡＰＳネガフィルムを、例えば、図４１について上述した受付店写真画像焼付装置３０２と同程度の機能を有する写真画像焼付装置５７１を用いてフィルムデータＤ１５を生成する。
【０４８０】
そして、写真店５０７及び５０８においては、例えば、図４１について上述した受付店パーソナルコンピュータ３６３と同程度の機能を有するパーソナルコンピュータによりそのフィルムデータＤ１５に基づいて、各写真画像をサムネイル表示させる注文確認データＤ１６６を生成し、当該生成した注文確認データＤ１６６に焼付依頼に対する課金情報と、焼付依頼人のユーザＩＤとを付加して専用回線５０４、５０５及びノード局５０３（図５０）及び専用回線５０２（図５０）を順次介して配信局５３４（図５０）に送出する。
【０４８１】
配信局５３４（図５０）は、サーバ５３５に衛星放送受信装置５５０を所有するユーザのユーザＩＤと、当該衛星放送受信装置５５０に予め割り当てられた固有のＩＤ（以下、これを受信装置ＩＤと呼ぶ）とを対応付けて格納しており、写真店５０７及び５０８から注文確認データＤ１６６が与えられると、その注文確認データＤ１６６に付加されているユーザＩＤを取り出す。
【０４８２】
そして、配信局５３４は、サーバ５３５からそのユーザＩＤに対応する受信装置ＩＤを読み出すと共に、当該読み出した受信装置ＩＤを注文確認データＤ１６６に付加し、得られた送信用注文確認データＤ１６７を専用回線５３１を介して編成局５３０に送出する。
【０４８３】
これにより、編成局５３０は、配信局５３４から与えられる送信用注文確認データＤ１６７を複数チャンネル分の放送配信データＤ１５４の一部としてデータ送出局５３６に送出し、かくしてそのデータ送出局５３６から送信用注文確認データＤ１６７を含む送信データＤ１６８を送信させる。
【０４８４】
ここで、衛星放送受信装置５５０（図５２及び図５３）においては、データ受信時、衛星放送受信機５５１のデマルチプレクサ５５９において、多重化データＤ１５７から放送配信データＤ１５４を生成すると、当該放送配信データＤ１５４に受信装置ＩＤが付加されたデータが含まれているか否かを検出し、当該受信装置ＩＤが付加されているデータが含まれているときには、その受信装置ＩＤを自分の家５１２〜５１４の衛星放送受信装置５５０に割り当てられている受信装置ＩＤと比較し、この結果、自分の受信装置ＩＤと一致する受信装置ＩＤの付加されているデータを選択的に取り出してホームサーバ５５２に格納させるようになされている。
【０４８５】
従って、各家５１２〜５１４のうちの写真店５０７及び５０８に写真画像の焼付を依頼したユーザの家５１２〜５１４においては、データ配信センタ５０１から送信された送信データＤ１６８を衛星放送受信機５５１によって受信したときに、当該送信データＤ１６８に含まれている送信用注文確認データＤ１６７を適確に取り出してホームサーバ５５２に格納させ得るようになされている。
【０４８６】
そして、ホームサーバ５５２は、図５４に示すように、この後、ユーザによる操作に応じて内部のハードディスクから送付用注文確認データＤ１６７を読み出すと、これをモニタ５６５に送出することにより、当該モニタ５６５にその送信用注文確認データＤ１６７に基づくプリント写真注文確認画面５７３を表示させる。
【０４８７】
このプリント写真注文確認画面５７３においては、焼き付けを依頼した各写真画像５７４がサムネイル表示され、当該写真画像５７４の右下にフレーム番号５７５と共に、ＡＰＳカメラ（図示せず）を用いた撮影時に指定された焼付タイプ５７６が表示され、さらに写真画像５７４にその指定された焼付タイプの画角を示すライン５７４Ａが重ねて表示されている。
【０４８８】
これに加えて、プリント写真注文確認画面５７３においては、各写真画像５７４の下側にそれぞれ焼付条件表示領域５７７が設けられ、当該焼付条件表示領域５７７に撮影時又は焼付依頼時に指定された焼付タイプ、焼付枚数、プリントサイズ、フレーム飾りやメッセージの追加加工の有無及び写真画像の焼付の有無等の各種焼付条件が表示されている。また、プリント写真注文確認画面５７３の右下には、プリント写真の焼付条件の確認が済んだことを示すためのチェックボックス５７８が設けられている。
【０４８９】
そして、ホームサーバ５５２は、このプリント写真注文確認画面５７３をモニタ５６５に表示させた状態において、ユーザにより所定の操作命令が入力されると、その操作命令に応じてプリント写真注文確認画面５７３上で焼付条件表示領域５７７内の各種焼付条件を変更し得ると共に、この後、ユーザによる操作に応じてチェックボックス５７８にチェックマークを表示させると、焼付条件の確認が終了したと判断する。
【０４９０】
これにより、ホームサーバ５５２は、焼付条件の確認が終了すると、必要に応じて焼付条件の変更されたプリント写真注文確認画面５７３から注文確認終了データＤ１６９を生成し、これに写真画像の焼付処理を依頼した写真店５０７及び５０８に予め割り当てられているＩＤ（以下、これを写真店ＩＤと呼ぶ）を付加して、電話回線５１０又は専用回線５１１を介してノード局５０３に送出する。
【０４９１】
ここで、ノード局５０３（図５０）は、ホームサーバ５５２から注文確認終了データＤ１６９が与えられると、これに付加されている課金情報、ユーザＩＤ及び写真店ＩＤを読み込み、当該読み込んだ課金情報、ユーザＩＤ及び写真店ＩＤを内部の記憶装置に記憶した後、その注文確認終了データＤ１６９を専用回線５０２を介して配信局５３４に送出する。
【０４９２】
配信局５３４は、サーバ５３５に上述したユーザＩＤ及び装置ＩＤと共に、写真店ＩＤと、写真店５０７及び５０８の所有する衛星放送受信装置５５０の受信装置ＩＤも対応付けて格納しており、ノード局５０３から注文確認終了データＤ１６９が与えられると、その注文確認終了データＤ１６９に付加されている写真店ＩＤを取り出す。
【０４９３】
そして、配信局５３４は、サーバ５３５からその写真店ＩＤに対応する受信装置ＩＤを読み出すと共に、当該読み出した受信装置ＩＤを注文確認終了データＤ１６９に付加し、得られた送信用注文確認終了データＤ１７０を専用回線５３１を介して編成局５３０に送出する。
【０４９４】
これにより、編成局５３０は、配信局５３４から与えられる送信用注文確認終了データＤ１７０を複数チャンネル分の放送配信データＤ１５４の一部としてデータ送出局５３６に送出し、かくしてそのデータ送出局５３６から送信用注文確認終了データＤ１７０を含む送信データＤ１７１を送信させる。
【０４９５】
ユーザに写真画像の焼付が依頼された写真店５０７及び５０８（図５３）においては、このとき、データ配信センタ５０１から送信された送信データＤ１７１を衛星放送受信機５５１によって受信すると、上述したユーザの衛星放送受信機５５１（図５２）と同様に、当該送信データＤ１７１に含まれる送信用注文確認終了データＤ１７０を確実に取り出すことができ、当該取り出した送信用注文確認終了データＤ１７０をホームサーバ５５２に格納する。
【０４９６】
これにより、ユーザに写真画像の焼付が依頼された写真店５０７及び５０８（図５３）においては、パーソナルコンピュータ５７０によりホームサーバ５５２に格納された送信用注文確認終了データＤ１７０を読み出し、当該読み出した送信用注文確認終了データＤ１７０に基づくプリント写真注文確認画面５７３（図５４）をモニタ（図示せず）に表示させ、かくして、そのプリント写真注文確認画面５７３に基づいて写真画像の焼付条件を確認することができる。
【０４９７】
そして、ユーザに写真画像の焼付が依頼された写真店５０７及び５０８においては、プリント写真注文確認画面５７３で確認した焼付条件でプリント写真及びインデックスプリントを生成し、当該生成したプリント写真及びインデックスプリントを例えば郵送でユーザ（焼付の依頼人）に引き渡すことにより、ユーザの所望する焼付条件とは異なる焼付条件でプリント写真を生成することを確実に防止することができる。
【０４９８】
また、このとき、写真店５０７及び５０８においては、ユーザにプリント写真及びインデックスプリントを送付すると、課金情報の識別データＤ１７２を専用回線５０４及び５０５を介してノード局５０３に送出する。
【０４９９】
そして、ノード局５０３（図５０）は、写真店５０７及び５０８から与えられる識別データＤ１７２に基づいて、記憶装置から対応する課金情報、ユーザＩＤ及び写真店ＩＤを読み出し、これら課金情報、ユーザＩＤ及び写真店ＩＤに基づいて課金処理し、得られた課金処理結果をユーザＩＤ及び写真店ＩＤと共に課金データＤ１７３として銀行５０９に送出する。
【０５００】
これにより、銀行５０９は、ノード局５０３から与えられる課金データＤ１７３に基づいて、写真画像の焼付を依頼したユーザの口座からその依頼を受けて写真画像を焼付処理した写真店５０７及び５０８の取引口座に、対応する焼付代金を移すようにして決済処理する。
【０５０１】
かくして、この写真画像商取引システム５００においては、ユーザが一度写真店５０７及び５０８にＡＰＳフィルムを持ち込んで写真画像の焼付を依頼するだけで、この後、ユーザが写真店５０７及び５０８に出向くことなく希望する焼付条件に従って生成したプリント写真を受け取ることができると共に、その焼き付けにかかる代金の支払いも電子的に行うことができ、写真画像の焼き付けに対する電子商取引を成立させ得るようになされている。
【０５０２】
因みに、かかる写真画像商取引システム５００においては、写真画像の焼付依頼のみならずに、写真画像の送付依頼や、写真画像の販売依頼も、その焼付依頼と同様にユーザと、写真店５０７及び５０８と、データ配信センタ５０１とを用いて実行することができる。
【０５０３】
すなわち、写真画像商取引システム５００においては、写真画像の送付依頼や、写真画像の販売依頼のときにも、ユーザが家５１２〜５１４に居ながらにして、その写真画像の送付内容や、販売内容を確認して写真店５０７及び５０８に通知することができる。
【０５０４】
また、ユーザから依頼を受けた写真店５０７及び５０８においては、写真画像の販売が依頼されたとき、販売対象の写真画像を紹介するインデックスデータを生成し、これをデータ配信センタ５０１に送出することにより、当該データ配信センタ５０１を介して販売対象の写真画像を公開することができる。
【０５０５】
そして、ユーザから依頼を受けた写真店５０７及び５０８においては、送付内容や販売内容が確認されると、パーソナルコンピュータ５７０によりフィルムデータＤ１５から送付用フィルムデータや販売用フィルムデータを生成してこれをデータ配信センタ５０１経由で送付相手又は販売相手の最寄りの写真店５０７及び５０８に送信し、当該最寄りの写真店５０７及び５０８から焼付処理して得られたプリント写真及びインデックスプリントを送付相手又は販売相手に郵送させることができる。
【０５０６】
ところで、データ配信センタ５０１（図５０）においては、各放送配信データＤ１５４を圧縮符号化して送信していることにより、例えば、放送衛星５１６に対して予め確保した５〔GHz 〕程度の帯域を利用して数 100チャンネル分の放送配信データＤ１５４の送信を実現している。
【０５０７】
そして、データ配信センタ５０１においては、時間の進展に伴い圧縮符号化の技術が進歩していることにより、同一データ量の放送配信データＤ１５４を圧縮符号化して得られる送信データＤ１５０のデータ量が減少する傾向にある。
【０５０８】
この結果、データ配信センタ５０１においては、各チャンネルの送信データＤ１５０の送信に必要となる単位時間当たりのデータ転送量（以下、これをデータ実転送量と呼ぶ）が、当該チャンネルに割り当てられている単位時間当たりのデータ転送量（データ割当転送量と呼ぶ）よりも少なくなり、かくして、各チャンネルのデータ割当転送量に余剰が生じることになる。
【０５０９】
そして、データ配信センタ５０１においては、各チャンネルに生じるデータ割当転送量の余剰分に、例えば、誤り訂正能力の異なる２種類の方式を選択的に用いて生成した誤り訂正データを割り当てることにより各チャンネルの送信データＤ１５０に対する衛星回線上のノイズ耐性を向上させ、かくして、各チャンネルのデータ転送量の余剰分を有効に活用し得るようになされている。
【０５１０】
すなわち、データ配信センタ５０１においては、天候が良いときには送信データＤ１５０に対するノイズの影響が比較的少ないために、各チャンネルのデータ割当転送量の余剰分に比較的低強度の誤り訂正能力を有する誤り訂正データを割り当て、これに対して、天候の悪化しているときには、送信データＤ１５０に対するノイズの影響が比較的大きいことにより、各チャンネルのデータ割当転送量の余剰分に比較的高強度の誤り訂正能力を有する誤り訂正データを割り当てるようにしている。
【０５１１】
ところで、データ配信センタ５０１においては、このように、各チャンネルのデータ割当転送量の余剰分に、誤り訂正データを割り当てても、天候の良いときに誤り訂正能力の強度を低下させると、その分、誤り訂正データのデータ量が減少してデータ割当転送量に余剰分が生じる場合がある。
【０５１２】
また、データ配信センタ５０１においては、上述したように数100 チャンネル分の放送を実現し得るように設定されているものの、映像制作局５３２、音楽制作局５３３及び配信局５３４の数に限りがあるため、このように極めて多いチャンネル分の映像配信データＤ１５１、音楽配信データＤ１５２及び番組データＤ１５３を確保し難い場合がある。
【０５１３】
そして、データ配信センタ５０１においては、チャンネルに空きが生じても、放送衛星５１６に対して確保した帯域をそのまま確保しているため、空いたチャンネルに割り当てているデータ割当転送量がそのまま余剰分となる。
【０５１４】
さらに、各チャンネルに対するユーザの利用率を考えると、例えば、午後６時から深夜12時程度までの時間帯にはユーザがその生活パターンに応じて家５１２〜５１４に居る可能性が比較的高いことにより各チャンネルの利用率が最も高くなりやすく、これに対して、朝方から日中にかけてはユーザが外出している可能性が比較的高いことにより各チャンネルの利用率が低い傾向にある。
【０５１５】
このため、データ配信センタ５０１においては、各チャンネルのうち、その利用率の低い時間帯に限りデータの送信を停止させるチャンネル（以下、これを送信限定チャンネルと呼ぶ）があり、当該送信限定チャンネルにも、送信を停止させている間、そのデータ割当転送量に余剰が生じている。
【０５１６】
これに加えて、このデータ配信センタ１５０においては、各チャンネルの放送配信データＤ１５４自体のデータ量も、これを構成する映像配信データＤ１５１や音声配信データＤ１５２等のデータ量の変動に伴って減少することがあり、このように、放送配信データＤ１５４自体のデータ量が減少したときには、やはり対応するチャンネルのデータ割当転送量に余剰が生じる。
【０５１７】
従って、データ配信センタ５０１においては、写真店５０７及び５０８から注文確認データＤ１６６等のデータの送信が依頼されたときや、ユーザから注文確認終了データＤ１６９等のデータの送信が依頼されたときには、いずれかのチャンネルのデータ割当転送量に生じている余剰分を利用して、その写真店５０７及び５０８やユーザによって送信が依頼された送信用注文確認データＤ１６７や送信用注文確認終了データＤ１７０等の所定のデータ（以下、これを送信依頼データと呼ぶ）Ｄ１７５を送信するようになされている。
【０５１８】
すなわち、データ配信センタ５０１において、編成局５３０は、図５５に示すように、配信局５３４から送信依頼データＤ１７５が与えられると、天候の動向（すなわち、誤り訂正能力に応じた誤り訂正データに必要となるデータ実転送量）と、映像制作局５３２、音楽制作局５３３及び配信局５３４の放送運用計画（すなわち、放送配信データＤ１５４に必要となるデータ実転送量の変動）と、番組編成リストに基づく各チャンネルの放送運用計画（すなわち、空きチャンネルや送信限定チャンネルの有無）とに基づいて、各チャンネルに対するデータ割当転送量の余剰分を検出する。
【０５１９】
そして、編成局５３０は、配信局５３４から与えられる送信依頼データＤ１７５のデータ実転送量を検出し、当該検出したデータ実転送量を、各チャンネルのデータ割当転送量の余剰分と比較することにより、そのデータ実転送量に見合ったデータ割当転送量の余剰分を有するチャンネルを検出し、かくして、そのチャンネルを利用して送信依頼データＤ１７５を送信する。
【０５２０】
これにより、この写真画像商取引システム５００においては、写真店５０７及び５０８と、ユーザとから送信の依頼された送信依頼データＤ１７５をチャンネルに対するデータ割当転送量の余剰分を利用して送信することにより、その送信依頼データＤ１７５の送信用に専用のチャンネルを確保する場合に比べて格段的に安く送信依頼データＤ１７５を送信することができる。
【０５２１】
因みに、編成局５３０は、送信依頼データＤ１７５のデータ実転送量に見合ったデータ割当転送量の余剰分を有するチャンネルが存在しないときには、誤り訂正データに対する誤り訂正能力を比較的低強度にすることにより、チャンネルのデータ割当転送量の余剰分を増加させ、その増加した余剰分を利用して送信依頼データＤ１７５を送信することができる。
【０５２２】
また、送信依頼データＤ１７５においては、番組編成リストに従って送信される放送配信データＤ１５４とは異なり、送信すべき時間が規定されていないため、編成局５３０は、配信局５３４から送信依頼データＤ１７５が与えられても、いずれかのチャンネルにその送信依頼データＤ１７５のデータ実転送量に見合ったデータ割当転送量に余剰分が生じるまで待つようになされており、これにより、送信依頼データＤ１７５をデータ割当転送量に余剰分が生じたチャンネルをほぼ確実に利用して送信することができる。
【０５２３】
ここで、この写真画像商取引システム５００においては、上述した一連のプリント写真を用いた電子商取引に加えて、映像配信データＤ１５１及び音楽配信データＤ１５２を利用したプリントサービスも実行し得るようになされており、以下にそのプリントサービスについて説明する。
【０５２４】
この場合、データ配信センタ５０１において、映像制作局５３２は、映像コンテンツに基づく映像配信データＤ１５１の生成時、その映像コンテンツのタイトルの写真画像や、映像コンテンツの中の任意のシーン、役者の写真画像等から映像サービスデータＤ１７６を生成し、当該生成した映像サービスデータＤ１７６を専用回線５０２を介して配信局５３４に送出してサーバ５３５に格納させると共に、映像配信データＤ１５１と共に専用回線５３１を介して編成局５３０に送出する。
【０５２５】
また、音楽制作局５３３は、音楽コンテンツに基づく音楽配信データＤ１５２の生成時、その音楽コンテンツのタイトルの写真画像や、そのタイトルに合わせたアルバムジャケット等の写真画像、アーティストの写真画像、歌詞の写真画像等から音楽サービスデータＤ１７７を生成し、当該生成した音楽サービスデータＤ１７７を専用回線５０２を介して配信局５３４に送出してサーバ５３５に格納させると共に、音楽配信データＤ１５２と共に専用回線５３１を介して編成局５３０に送出する。
【０５２６】
そして、編成局５３０は、映像制作局５３２及び音楽制作局５３３から与えられる映像サービスデータＤ１７６及び音楽サービスデータＤ１７７を対応する映像コンテンツ及び音楽コンテンツの放送に合わせて又は放送の最後となるように加えた放送配信データＤ１７８を生成し、これをデータ送出局５３６及び衛星放送用アンテナ５１５を順次介して各家５１２〜５１４に送信する。
【０５２７】
これにより、各家５１２〜５１４の衛星放送受信装置５５０（図５２）は、その映像サービスデータＤ１７６及び音楽サービスデータＤ１７７を受信することができ、かくして、ホームサーバ５５２（図５２）に格納する。
【０５２８】
ホームサーバ５５２は、映像サービスデータＤ１７６を格納したとき、対応する映像配信データＤ１５１の映像コンテンツがユーザによって購入されると、その映像コンテンツの放送の最後や、ユーザの指定した任意のタイミングで、映像サービスデータＤ１７６を読み出して、これをモニタ５６５に送出し、かくして、図５６に示すような映像プリント注文画面５８０を表示させる。
【０５２９】
この映像プリント注文画面５８０においては、映像コンテンツのタイトルや、当該映像コンテンツの中の任意のシーン、役者の写真画像の各種写真画像５８１がサムネイル表示されると共に、当該写真画像５８１の注文の有無や、注文した写真画像のプリント形態を選択し得る選択領域５８２が設けられている。
【０５３０】
そして、ホームサーバ５５２は、ユーザにより映像プリント注文画面５８０上で注文を受けると、映像サービスデータＤ１７６に基づいて映像プリント注文データＤ１７９を生成し、これにユーザＩＤを付加した後、電話回線５１０又は専用回線５１１を介してノード局５０３に送出する。
【０５３１】
ここで、ノード局５０３は、このような映像サービスを一括管理しており、ホームサーバ５５２から映像プリント注文データＤ１７９が与えられると、写真画像の焼き付けを依頼する写真店５０７又は５０８を指定し、当該映像プリント注文データＤ１７９と、焼き付けを依頼する写真店５０７又は５０８の写真店ＩＤから焼付依頼データＤ１８０を生成し、これを専用回線５０２を介して配信局５３４に送出する。
【０５３２】
これにより、配信局５３４は、その焼付依頼データＤ１８０に基づいて、サーバ５３５から対応する映像サービスデータＤ１７６を読み出し、当該読み出した映像サービスデータＤ１７６と、焼付依頼データＤ１８０と、これに付加されたユーザＩＤ及び写真店ＩＤと、その写真店５０７及び５０８の所有する衛星放送受信装置５５０の受信装置ＩＤとから映像プリント焼付データＤ１８１を生成し、これを編成局５３０に送出する。
【０５３３】
そして、編成局５３０は、配信局５３４から与えられる映像プリント焼付データＤ１８１を加えた放送配信データＤ１８２を生成し、これをデータ送出局５３６及び衛星放送用アンテナ５１５を順次介して写真店５０７及び５０８に送信する。
【０５３４】
これにより、指定された写真店５０７又は５０８（図５３）においては、その映像プリント焼付データＤ１８１を衛星放送受信装置５５０によって受信した後、パーソナルコンピュータ５７０を介して写真画像焼付装置５７１に送出し、当該写真画像焼付装置５７１により映像プリント焼付データＤ１８１に基づいて、ユーザの注文した写真画像を当該ユーザの指定したプリント形態に応じて焼付処理させることにより、その写真画像の印画されたプリント写真、シールプリント、カレンダー及び又はポスター等を生成する。
【０５３５】
そして、写真店５０７及び５０８は、ユーザの注文に応じてプリント写真、シールプリント、カレンダー及び又はポスター等を例えば郵送してユーザに引き渡すと共に、この写真画像の焼付処理で発生した焼付手数料（焼付代金を含む）を示す請求データＤ１８３を専用回線５０４又は５０５を介してノード局５０３に送出する。
【０５３６】
これにより、ノード局５０３は、その請求データＤ１８３、サービスに関係したユーザのユーザＩＤ、写真店５０７及び５０８の写真店ＩＤ及びデータ配信センタ５０１の手数料等に基づいて課金処理し、その課金処理結果を銀行５０９に通知することにより、当該銀行５０９において決済処理させ、かくして映像のプリントサービスに対する電子商取引を成立させる。
【０５３７】
一方、ホームサーバ５５２（図５２）は、音楽サービスデータＤ１７７を格納したとき、カードスロット５５２ＡにＩＣカード又はメモリカードが装填された状態で、対応する音楽配信データＤ１５２の音楽コンテンツがユーザによって購入されると、ハードディスクから対応する音楽配信データＤ１５２と共に音楽サービスデータＤ１７７を読み出して、これをカードスロット５５２Ａを介してＩＣカード又はメモリカードに記録する。
【０５３８】
そして、図５７に示すように、かかるＩＣカード又はメモリカード（図示せず）が装填される携帯型音楽再生装置５９０においては、ＩＣカード又はメモリカードから読み出した音楽サービスデータＤ１７７に基づいて、タイトル（図示せず）や、歌詞（図示せず）、また、タイトルに合わせた写真画像５９１、さらには、図５８に示すような、タイトル等と共に、音楽コンテンツ固有のアイコンが設けられたアイコン画像５９２等を当該携帯型音楽再生装置５９０（図５７）に設けられた表示部５９３に表示させることができ、かくして、ユーザに音楽コンテンツと共に、当該音楽コンテンツに関係する各種画像も楽しませることができるようになされている。
【０５３９】
ところで、ホームサーバ５５２（図５２）は、このように音楽サービスデータＤ１７７を購入したときには、対応する音楽コンテンツの課金情報と共に、その音楽サービスに対する課金情報、また、音楽サービスデータＤ１７７の購入に使用した記録媒体の種類を電話回線５１０又は専用回線５１１を介してノード局５０３に送出する。
【０５４０】
ここで、ノード局５０３（図５０）は、このような音楽サービスも一括管理しており、ホームサーバ５５２から音楽コンテンツ及び音楽サービスに対する課金情報が与えられると、その課金情報に基づいて課金処理し、その課金処理結果を銀行５０９に通知することにより、当該銀行５０９において決済処理させ、かくして音楽サービスに対する電子商取引を成立させる。
【０５４１】
また、ノード局５０３（図５０）は、このように課金処理して電子商取引を成立させても、その音楽サービスの一貫として、写真画像の焼き付けを依頼する写真店５０７又は５０８を指定し、その情報と、ユーザの使用している記録媒体の種類とを専用回線５０２を介して配信局５３４に通知する。
【０５４２】
これにより、配信局５３４は、その通知に応じてサーバ５３５から対応する音楽サービスデータＤ１７７を読み出し、当該読み出した音楽サービスデータＤ１７７と、ユーザＩＤと、写真店ＩＤと、その写真店５０７及び５０８の所有する衛星放送受信装置５５０の受信装置ＩＤとから音楽プリント焼付データＤ１９０を生成し、これを編成局５３０に送出する。
【０５４３】
そして、編成局５３０は、上述した映像サービスのときと同様に配信局５３４から与えられる音楽プリント焼付データＤ１９０を加えた放送配信データＤ１９１を生成し、これをデータ送出局５３６及び衛星放送用アンテナ５１５を順次介して写真店５０７及び５０８に送信する。
【０５４４】
これにより、指定された写真店５０７又は５０８（図５３）においては、その音楽プリント焼付データＤ１９０を衛星放送受信装置５５０によって受信した後、パーソナルコンピュータ５７０を介して写真画像焼付装置５７１に送出し、当該写真画像焼付装置５７１により音楽プリント焼付データＤ１９０に基づいて、例えば、図５９に示すような、例えばタイトル５９５と共に、そのタイトルに応じた画像５９６が印画された貼付用ラベル５９７を生成し、これを対応するユーザに郵送で引き渡す。
【０５４５】
かくして、ユーザは、音楽サービスデータＤ１７７を購入すると、携帯型音楽再生装置５９０の表示部５９３に画像を表示させて楽しむだけではなく、貼付用ラベル５９７を対応する音楽コンテンツが記録されたＩＣカード又はメモリカード５９８に貼付して、そのＩＣカード又はメモリカード５９８がどのような音楽コンテンツが記録されたものであるのかを容易に識別し得るようにもなる。
【０５４６】
因みに、データ配信センタ５０１においては、かかる映像サービス及び音楽サービスを実施したとき、映像サービスデータＤ１７６及び音楽サービスデータＤ１７７と、そのサービスの実施に伴って写真店５０７又は５０８への送信が必要となる映像プリント焼付データＤ１８１及び音楽プリント焼付データＤ１９０も、上述した写真画像の焼付依頼と同様にチャンネルにおけるデータ割当転送量の余剰分を利用して送信している。
【０５４７】
なお、この第５の実施の形態の場合、ホームサーバ５５２（図４２）は、例えば、30〜 100ギガバイト程度の記憶容量を有するものの、データ配信センタ５０１から送信される放送配信データＤ１５４のなかから所望する番組データＤ１５３、映像配信データＤ１５１及び音声データＤ１５２を常時格納することを考えると、好ましくは、１テラバイト以上の記憶容量を有することが望まれる。
【０５４８】
すなわち、ホームサーバ５５２は、例えば、２時間の放送時間を必要とする映像データが６ギガバイトのデータ量を有しており、ユーザがそのような映像データを年間 200タイトル程度格納し、当該映像データに基づく映像を常に視聴し得るようにすると、必然的に、１テラバイト以上の記憶容量を有することが望ましいものとなる。
【０５４９】
また、ユーザの所有する衛星放送受信装置５５０のホームサーバ５５２においては、モニタ５６５に図５４について上述したプリント写真注文確認画面５７３を表示させたとき、写真画像の焼付条件の確認と共に、各写真画像をサムネイル表示させてなるインデックスデータの購入を指定することができ、当該インデックスデータの購入の指定を注文確認終了データＤ１６９に加えて写真店５０７及び５０８に通知することができる。
【０５５０】
そして、この通知を受けた写真店５０７及び５０８においては、パーソナルコンピュータ５７０によりフィルムデータＤ１５に基づいてインデックスデータを生成し、これをデータ配信センタ５０１経由でユーザの衛星放送受信装置５５０に送信する。
【０５５１】
これにより、ユーザは、写真店５０７及び５０８から送付されるプリント写真及びインデックスとは別にインデックスデータを購入して、これに基づくインデックス画像をモニタ５６５に表示させることができると共に、当該インデックスデータをホームサーバ５５２からＩＣカード又はメモリカード５９８に記録することもできる。
【０５５２】
また、写真店５０７及び５０８は、このようにインデックスデータをユーザに送信したときにも、ＩＣカード又はメモリカード５９８に合わせた貼付用ラベルを生成して、これをユーザに送付し、かくして、インデックスデータの記録されたＩＣカード又はメモリカード５９８の識別を容易にさせ得るようになされている。
【０５５３】
以上の構成において、この写真画像商取引システム５００では、写真店５０７及び５０８が写真画像の焼付依頼を受けると、これに応じて注文確認データＤ１６６を生成し、これを専用回線５０４、５０５、ノード局５０３及び専用回線５０２を順次介してデータ配信センタ５０１に送出し、当該注文確認データＤ１６６をデータ配信センタ５０１から、いずれかのチャンネルに生じたデータ割当転送量の余剰分を利用して対応するユーザの衛星放送受信装置５５０に送信する。
【０５５４】
また、写真画像商取引システム５００では、ユーザへの注文確認データＤ１６６の送信の結果、写真画像の焼付条件の確認が済んでそのユーザの所有する衛星放送受信装置５５０において注文確認終了データＤ１６９が生成されると、当該注文確認終了データＤ１６９を衛星放送受信装置５５０から電話回線５１０又は専用回線５１１、ノード局５０３及び専用回線５０２を順次介してデータ配信センタ５０１に送出し、当該注文確認終了データＤ１６９をデータ配信センタ５０１から、いずれかのチャンネルに生じたデータ割当転送量の余剰分を利用して対応する写真店５０７及び５０８の衛星放送受信装置５５０に送信する。
【０５５５】
そして、写真画像商取引システム５００では、写真店５０７及び５０８により、その注文確認終了データＤ１６９に応じて写真画像の焼付処理を実行させてプリント写真を生成すると共に、このとき、ノード局５０３によりそのプリント写真の焼付処理に対する課金処理を実行させて、銀行５０９によりその課金処理結果に応じた決済処理を実行させ、かくして、電子商取引を成立させる。
【０５５６】
従って、写真画像商取引システム５００では、データ配信センタ５０１において、写真店５０７及び５０８と、ユーザとから送信の依頼された送信依頼データＤ１７５をチャンネルに対するデータ割当転送量の余剰分を利用して送信するため、写真画像の焼付に必要な送信依頼データＤ１７５を専用のチャンネルを確保することなく格段的に安い送信料金で送信することができる。
【０５５７】
そして、この写真画像商取引システム５００では、このようにデータ配信センタ５０１において、チャンネルに対するデータ割当転送量の余剰分を利用して送信依頼データＤ１７５を送信するため、新規投資を必要とせずに、既存のシステムを安価に、かつ有効に利用して写真画像を用いた電子商取引を容易に実現することができる。
【０５５８】
また、この写真画像商取引システム５００では、仮に、送付依頼データＤ１７５の送信先までの送信経路を全て電話回線や専用回線にすると、その電話回線５１０や専用回線５０４、５０５及び５１１の転送レートが比較的低いために送信依頼データＤ１７５の送信に時間がかかり、この結果、電話回線５１０や専用回線５０４、５０５及び５１０の回線使用料金が高くなる。
【０５５９】
これに対して、この写真画像商取引システム５００では、送付依頼データＤ１７５の送信先までの送信経路の一部に電話回線５１０や専用回線５０４、５０５及び５１１よりも格段的に転送レートの高い通信回線を利用するため、電話回線５１０や専用回線５０４、５０５及び５１１の回線使用時間を短くして回線使用量を低減させることができると共に、通信経路においても、送信依頼データＤ１７５を高速に送信し得ることによりその回線使用料を格段的に低減させることができる。
【０５６０】
以上の構成によれば、写真店５０７及び５０８と、ユーザとの衛星放送受信装置５５０間で通信されるデータを、データ配信センタ５０１において、チャンネルに生じるデータ割当転送量の余剰分を利用して送信するようにしたことにより、当該写真店５０７及び５０８と、ユーザとの衛星放送受信装置５５０間で通信されるデータを、専用の通信チャンネルを確保することなく格段的に安い送信料金で送信することができ、かくして、写真画像の電子商取引にかかるコストを安価にし得る写真画像商取引システムを実現することができる。
【０５６１】
（９）他の実施の形態
なお、上述の第１〜第４の実施の形態においては、課金業者の所有する金融機関２５６において課金処理及び決済処理を実行するようにした場合について述べたが、本発明はこれに限らず、課金業者が課金処理のみを実行し、新たに決済業者が決済処理を実行するようにしても良い。
【０５６２】
また、上述の第１〜第４の実施の形態においては、フィルムデータＤ１５に課金情報を埋め込んで送信するようにした場合について述べたが、本発明はこれに限らず、課金情報をフィルムデータＤ１５とは別に金融機関に送信するようにしても良い。
【０５６３】
さらに、上述の第１〜第４の実施の形態においては、ＡＰＳフィルム１のユーザ使用領域６及びラボ使用領域７にユーザデータＤ４及びラボデータＤ１４を磁気的に記録再生するようにした場合について述べたが、本発明はこれに限らず、ＡＰＳフィルム１のユーザ使用領域６及びラボ使用領域７にユーザデータＤ４及びラボデータＤ１４を磁気的及び又は光学的に記録再生するようにしても良く、磁気的及び光学的な双方の記録方式を用いれば、ユーザデータＤ４及びラボデータＤ１４として、さらに多くの情報を記録することができる。
【０５６４】
さらに、上述の第１〜第５の実施の形態においては、送付又は販売した写真画像を引渡写真店２５２、４０５及び写真店５０７、５０８で印画紙に焼き付けてプリント写真及びインデックスプリントを生成するようにした場合について述べたが、本発明はこれに限らず、ユーザがプリンタを所有していれば、受付写真店２５１、３０１、３６２、４０３及び写真店５０７、５０８からそのプリンタに対応させたフィルムデータを生成して送信し、当該プリンタにおいて、そのフィルムデータに基づいてプリント写真及びインデックスプリントを生成するようにしても良い。これにより、プリント写真及びインデックスプリントの生成に引渡写真店２５２、４０５及び写真店５０７、５０８を利用しない分、プリント写真の送付及び写真画像の販売を低価格で実現することができる。
【０５６５】
さらに、上述の第２〜第４の実施の形態においては、写真画像に対するフレーム飾り及びメッセージ並びに広告の合成を受付写真店３０１、３６２及び４０３において実行するようにした場合について述べたが、本発明はこれに限らず、写真画像に対するフレーム飾り及びメッセージ並びに広告の合成を引渡写真店２５２及び４０５において実行するようにしても良い。
【０５６６】
さらに、上述の第２〜第４の実施の形態においては、ユーザの指定した写真画像を広告と取り換えるようにした場合について述べたが、本発明はこれに限らず、ユーザが非送付対象に指定した写真画像を強制的に広告と取り換えるようにしても良い。
【０５６７】
さらに、上述の第１〜第５の実施の形態においては、送付元及び販売元の写真店のサーバにフィルムデータを格納して保存するようにした場合について述べたが、本発明はこれに限らず、送付対象及び販売対象のフィルムデータをサービスプロバイダや、プリント写真を引き渡す写真店等のように、この他種々の１又は複数の業者が保存するようにしても良い。これにより、例えば、サービスプロバイダがフィルムデータを保存すれば、同一のフィルムデータを送付及び販売する毎に送付元及び販売元の写真店側で、電話回線等を利用しなくてすむため、回線使用料を安くすることができる。
【０５６８】
さらに、上述の第１〜第４の実施の形態においては、変換写真画像データＤ５０に対してマスキング処理を施したときには、そのマスキング処理が解けないようにした場合について述べたが、本発明はこれに限らず、変換写真画像データＤ５０に対してマスキング処理を施したときでも、そのマスキング処理を例えば所定の鍵データを用いて行うことにより、必要に応じて変換写真画像データＤ５０のマスキング処理を解くようにしても良い。
【０５６９】
さらに、上述の第４の実施の形態においては、写真画像を送付するようにした場合について述べたが、本発明はこれに限らず、写真画像の販売に対しても適用することができる。
【０５７０】
さらに、上述の第４の実施の形態においては、送付依頼ユーザのパーソナルコンピュータ４０１を図４５について上述したように構成するようにした場合について述べたが、本発明はこれに限らず、図４５との対応部分に同一符号を付して示す図６０において、送付依頼ユーザのパーソナルコンピュータ６００に対してスクランブル処理されたフィルムデータが送信されなければ、デコーダ回路６０１で実行されるソフトウェアをデスクランブル処理しないように構成しても良く、これにより、デコーダ回路６０１で実行されるソフトウェアを鍵データの確認処理や、フィルムデータに対するデスクランブル処理手順を除いて簡易に構成することができる。そして、かかるパーソナルコンピュータ６００の機能を写真受取ユーザのパーソナルコンピュータ４０２と、受付店パーソナルコンピュータ４０４と、引渡店パーソナルコンピュータ４０６とにも持たせるようにしても良い。
【０５７１】
さらに、上述の第１〜第５の実施の形態においては、ランプから得られる光線をＡＰＳネガフィルム１Ａの写真画像の全面に渡って照射し、当該写真画像を透過して得られる写真画像光を電荷結合デバイスに取り込んで写真画像データを形成するような写真画像焼付装置１００Ａ、３０２及び５７１を用いるようにした場合について述べたが、本発明はこれに限らず、ＡＰＳネガフィルム１Ａの写真画像からラインスキャナタイプの光学系を用いて写真画像データを生成する写真画像焼付装置を用いるようにしても良い。
【０５７２】
すなわち、図６１及び図６２に示すように、写真画像焼付装置６１０においては、板状でなる一対の保持部材６１１及び６１２間にフィルム駆動モータ（図示せず）によって駆動されるＡＰＳネガフィルム１Ａが通され、当該一対の保持部材６１１及び６１２にＡＰＳネガフィルム１Ａの写真画像の画角に応じた孔部６１１Ａ及び６１２Ａが穿設されている。また、ＡＰＳネガフィルム１Ａの一面側の保持部材６１１には、孔部６１１Ａを閉塞するように拡散フィルタ６１３が設けられ、当該拡散フィルタ６１３の上方にはランプ６１４が配置されている。
【０５７３】
一方、ＡＰＳネガフィルム１Ａの他面側の保持部材６１２には、孔部６１２Ａを閉塞するように光透過性のウィンドウ６１５が設けられ、当該ウィンドウ６１５の下方には、スキャナ部６１６が配置されている。このスキャナ部６１６は、位置決めロッド６１７にスライダ６１８がスライド自在に設けられ、当該スライダ６１８をモータ（図示せず）及びベルト６１９を介してスライドさせ得るようになされている。
【０５７４】
そして、かかるスキャナ部６１６においては、スライダ６１８にラインセンサタイプの電荷結合デバイス６２０と、レンズ６２１とが設けられており、駆動されたＡＰＳネガフィルム１Ａにランプ６１４から発射される光線を拡散フィルタ６１３を通して照射したときに、当該ＡＰＳネガフィルム１Ａの写真画像を透過した後、ウィンドウ６１５を透過した光線を、レンズ６２１を介して電荷結合デバイス６２０により受光し得るようになされている。
【０５７５】
かくして、かかる写真画像焼付装置６１０では、電荷結合デバイス６２０によって順次受光した光線を光電変換することにより写真画像データを生成し得るようになされている。
【０５７６】
因みに、この写真画像焼付装置６１０おいては、図６３に示すような電子シャッタ回路６３０を有し、当該電子シャッタ回路６３０において、電荷結合デバイス６２０から得られる光電信号をアナログ／ディジタル変換回路６３１に取り込むことにより得られるオバーフローデータをタイミング発生回路６３２に供給すると共に、当該タイミング発生回路６３２にシステムコントローラ（図示せず）から所定の制御データを供給し、そのオバーフローデータと、制御データとに基づいてタイミング発生回路６３２に可変幅のタイミングパルスを発生させて、これを電荷結合デバイス６２０に供給することにより、当該電荷結合デバイス６２０に対して電子シャッタ機能を持たせ、シャープな写真画像を得るようになされている。
【０５７７】
さらに、上述の第１〜第５の実施の形態においては、本発明をＡＰＳカメラ１５を用いてＡＰＳフィルム１に露出形成された写真画像を利用して電子商取引を実現する写真画像商取引システム２２０、２５０、３００、３６０、４００及び５００に適用するようにした場合について述べたが、本発明はこれに限らず、ディジタルスチルカメラやディジタルビデオカメラ等を用いて、メモリカードや、ＩＣカード、また、ディスク状記録媒体や、テープ状記録媒体等に図６について上述したユーザデータのような取扱条件と共に記録された静止画像や動画像の画像を利用して電子商取引を実現する電子商取引システム等のように、この他種々の電子商取引システムに広く適用することができる。
【０５７８】
さらに、上述の第１〜第３の実施の形態においては、変換写真画像データＤ５０を鍵データを用いてスクランブル処理したときに、その変換写真画像データＤ５０に付加されている写真画像ヘッダデータＤ５１の固有制御データ格納部に必要に応じて鍵データを格納して送信するようにした場合について述べたが、本発明はこれに限らず、変換写真画像データＤ５０のスクランブル処理に用いた鍵データを、フィルムデータＤ１５とは別のタイミングで送付先に送付するようにしても良く、これにより、スクランブル処理した変換写真画像データＤ５０の秘匿性をさらに向上させることができる。
【０５７９】
さらに、上述の第１〜第５の実施の形態においては、フィルムデータＤ１５として、フィルムヘッダデータＤ５２、変換写真画像データＤ５０及び写真画像ヘッダデータＤ５１と写真画像に関するデータのみを送信するようにした場合について述べたが、本発明はこれに限らず、フィルムデータＤ１５の例えば写真画像ヘッダデータＤ５１の付加制御データ格納部に音楽データや音楽メッセージデータ等を格納し、例えば、パーソナルコンピュータのモニタ上で変換写真画像データＤ５０に基づく写真画像を表示させたときに、その音楽データや音楽メッセージデータを再生するようにして送付相手に提供するようにしても良い。
【０５８０】
さらに、上述の第１〜第５の実施の形態においては、プリント写真の送付依頼及び写真画像の販売依頼を写真店で受け付けるようにした場合について述べたが、本発明はこれに限らず、写真店に設置したパーソナルコンピュータ及び写真画像焼付装置のように、送付用データの生成から送付までを一括して行う装置を受付業者の管理のもとに、簡易小売店や、大型店舗、また公共施設等の種々の場所に設置し、当該設置した装置によりプリント写真の送付依頼及び写真画像の販売依頼を受け付けて送付及び販売するようにしても良い。そして、このような装置を種々の場所に設置すれば、ユーザはさらに自由にプリント写真の送付及び写真画像の販売を実行することができる。
【図面の簡単な説明】
【０５８１】
【図１】ＡＰＳフィルムの構成を示す略線的斜視図である。
【図２】ＡＰＳフィルムのユーザ使用領域及びラボ使用領域の説明に供する略線的正面図である。
【図３】フィルムカートリッジから引き出されたＡＰＳフィルムの説明に供する略線的正面図である。
【図４】写真画像が露出形成されたＡＰＳフィルムの説明に供する略線的正面図である。
【図５】写真画像の３種類の焼付タイプの説明に供する略線的正面図である。
【図６】ユーザデータの構成を示す略線図である。
【図７】ＡＰＳカメラの暗箱部の構成を示す略線的背面図である。
【図８】ＡＰＳカメラの裏蓋の構成を示す略線的正面図である。
【図９】ＡＰＳカメラの内部においてフィルムカートリッジから引き出されたＡＰＳフィルムの説明に供する略線的断面図である。
【図１０】ＡＰＳカメラの回路構成を示すブロック図である。
【図１１】写真画像焼付装置の全体構成を示すブロック図である。
【図１２】写真画像取込機の構成を示す略線的斜視図である。
【図１３】写真画像取込機における下部ボディの台座部の内部構成を示す略線的正面図である。
【図１４】写真画像取込機の回路構成を示すブロック図である。
【図１５】モニタに表示された選択画像の説明に供する略線図である。
【図１６】焼付選択パネルの構成を示す略線図である。
【図１７】電荷結合デバイスの受光面の制御の説明に供する略線図である。
【図１８】焼付条件の変更処理手順を示すフローチャートである。
【図１９】画像データ処理部の回路構成を示すブロック図である。
【図２０】写真画像の各種表示の説明に供する略線図である。
【図２１】焼付条件確認画像の構成を示す略線図である。
【図２２】プリント写真の構成を示す略線図である。
【図２３】インデックスプリントの構成を示す略線図である。
【図２４】写真画像商取引システムの全体構成の原理を示す略線的概念図である。
【図２５】第１の実施の形態による写真画像商取引システムの構成を示すブロック図である。
【図２６】写真画像商取引システムの回路構成を示すブロック図である。
【図２７】インデックスプリントの構成（１）を示す略線図である。
【図２８】インデックスプリントの構成（２）を示す略線図である。
【図２９】第１の実施の形態によるフィルムデータのデータフォーマットを示す略線的概念図である。
【図３０】第２の実施の形態による写真画像商取引システムの構成を示すブロック図である。
【図３１】受付店写真画像焼付装置及び受付店パーソナルコンピュータの回路構成を示すブロック図である。
【図３２】フレーム飾り及びメッセージのプリントされたプリント写真の説明に供する略線図である。
【図３３】広告のプリントされたプリント写真の説明に供する略線図である。
【図３４】インデックスプリントの構成を示す略線図である。
【図３５】広告画像のプリント写真の説明に供する略線図である。
【図３６】広告画像の表示されたインデックスプリントの構成を示す略線図である。
【図３７】広告画像の表示されたインデックスプリントの構成を示す略線図である。
【図３８】広告文字が表示されたインデックスプリントの構成を示す略線図である。
【図３９】第２の実施の形態によるフィルムデータのデータフォーマットを示す略線的概念図である。
【図４０】第３の実施の形態による写真画像商取引システムの構成を示すブロック図である。
【図４１】受付店パーソナルコンピュータの回路構成を示すブロック図である。
【図４２】販売対象フィルムデータのデータフォーマットを示す略線的概念図である。
【図４３】第４の実施の形態による写真画像商取引システムの構成を示すブロック図である。
【図４４】モニタに表示された送付内容表示画面の構成を示す略線図である。
【図４５】送付依頼ユーザのパーソナルコンピュータの回路構成を示すブロック図である。
【図４６】送付内容表示画面の詳細構成を示す略線図である。
【図４７】送付内容表示画面の詳細構成を示す略線図である。
【図４８】送付内容表示画面の詳細構成を示す略線図である。
【図４９】送付内容表示画面の表示処理手順を示すフローチャートである。
【図５０】第５の実施の形態による写真画像商取引システムの全体構成を示すブロック図である。
【図５１】データ送出局の回路構成を示すブロック図である。
【図５２】衛星放送受信装置の回路構成を示すブロック図である。
【図５３】写真店の構成を示すブロック図である。
【図５４】プリント写真注文確認画面の構成を示す略線図である。
【図５５】チャンネルにおけるデータ割当転送量の余剰分を利用した送信依頼データの送信の説明に供する略線図である。
【図５６】映像プリント注文画面の構成を示す略線図である。
【図５７】音楽サービスを受けた携帯型音楽再生装置の説明に供する略線図である。
【図５８】アイコン画像の構成を示す略線図である。
【図５９】貼付用ラベルの説明に供する略線図である。
【図６０】他の実施の形態によるパーソナルコンピュータの回路構成を示すブロック図である。
【図６１】他の実施の形態によるラインスキャナタイプの光学系を有する写真画像焼付装置の構成を示す略線的断面図である。
【図６２】スキャナ部の構成を示す略線的斜視図である。
【図６３】電子シャッタ回路の回路構成を示すブロック図である。
【符号の説明】
【０５８２】
１……ＡＰＳフィルム、１Ａ……ＡＰＳネガフィルム、１００、１００Ａ、１００Ｂ、３０２、５７１……写真画像焼付装置、１０１……写真画像取込機、２２０、２５０、３００、３６０、４００、５００……写真画像商取引システム、２２１、２５１、３０１、３６２、４０３……受付写真店、２２２、２５２、４０５……引渡写真店、２２３、２５３……受付店側サービスプロバイダ、２２４、２５４……引渡店側サービスプロバイダ、２２５……インターネット、２２６、２５６……金融機関、２２７、２５７、３０３、３６３、４０４……受付店パーソナルコンピュータ、２２８、２６０、４０６……引渡店パーソナルコンピュータ、２２９、２５８……受付店サーバ、２３０、２３２、３６１、４０１、４０２、５７０……パーソナルコンピュータ、２３１、２６１……引渡店サーバ、２７５、３０５……写真画像、２７８、２８０、３４９、３４３、３５２……インデックスプリント、２８４……固有制御データ格納部、２８５、３５３、３７１……付加制御データ格納部、３０６、３２５……フレーム飾り、３０９、３２６、３３０、３３１……メッセージ、３１２、３３５……広告、３４５、３４６……広告画像、４１６……送付内容表示画面、５０１……データ配信センタ、５０３……ノード局、５０７、５０８……写真店、５０９……銀行、５３４……配信局、５３０……編成局、５３６……データ送出局、５５０……衛星放送受信装置、５５１……衛星放送受信機、５５２……ホームサーバ、Ｄ１５……フィルムデータ、Ｄ５０……変換写真画像データ、Ｄ５１……写真画像ヘッダデータ、Ｄ５２……フィルムヘッダデータ、Ｄ１０２……固有制御データ、Ｄ１０７……付加制御データ。
【図１】
2006099091.tif 000003
【図２】
2006099091.tif 000004
【図３】
2006099091.tif 000005
【図４】
2006099091.tif 000006
【図５】
2006099091.tif 000007
【図６】
2006099091.tif 000008
【図７】
2006099091.tif 000009
【図８】
2006099091.tif 000010
【図９】
2006099091.tif 000011
【図１０】
2006099091.tif 000012
【図１１】
2006099091.tif 000013
【図１２】
2006099091.tif 000014
【図１３】
2006099091.tif 000015
【図１４】
2006099091.tif 000016
【図１５】
2006099091.tif 000017
【図１６】
2006099091.tif 000018
【図１７】
2006099091.tif 000019
【図１８】
2006099091.tif 000020
【図１９】
2006099091.tif 000021
【図２０】
2006099091.tif 000022
【図２１】
2006099091.tif 000023
【図２２】
2006099091.tif 000024
【図２３】
2006099091.tif 000025
【図２４】
2006099091.tif 000026
【図２５】
2006099091.tif 000027
【図２６】
2006099091.tif 000028
【図２７】
2006099091.tif 000029
【図２８】
2006099091.tif 000030
【図２９】
2006099091.tif 000031
【図３０】
2006099091.tif 000032
【図３１】
2006099091.tif 000033
【図３２】
2006099091.tif 000034
【図３３】
2006099091.tif 000035
【図３４】
2006099091.tif 000036
【図３５】
2006099091.tif 000037
【図３６】
2006099091.tif 000038
【図３７】
2006099091.tif 000039
【図３８】
2006099091.tif 000040
【図３９】
2006099091.tif 000041
【図４０】
2006099091.tif 000042
【図４１】
2006099091.tif 000043
【図４２】
2006099091.tif 000044
【図４３】
2006099091.tif 000045
【図４４】
2006099091.tif 000046
【図４５】
2006099091.tif 000047
【図４６】
2006099091.tif 000048
【図４７】
2006099091.tif 000049
【図４８】
2006099091.tif 000050
【図４９】
2006099091.tif 000051
【図５０】
2006099091.tif 000052
【図５１】
2006099091.tif 000053
【図５２】
2006099091.tif 000054
【図５３】
2006099091.tif 000055
【図５４】
2006099091.tif 000056
【図５５】
2006099091.tif 000057
【図５６】
2006099091.tif 000058
【図５７】
2006099091.tif 000059
【図５８】
2006099091.tif 000060
【図５９】
2006099091.tif 000061
【図６０】
2006099091.tif 000062
【図６１】
2006099091.tif 000063
【図６２】
2006099091.tif 000064
【図６３】
2006099091.tif 000065